(57)【要約】【課題】ネットワーク側の処理負荷を軽減し、無線リソースを無駄に使用することを解消する。【解決手段】移動体通信システムは、ＣＳＧメンバーがアクセス可能なＣＳＧセル、ＣＳＧセルであると同時に非ＣＳＧメンバーもアクセス許可されているハイブリッドセル、及びＣＳＧメンバーとして登録されており、ＣＳＧセルもしくはハイブリッドセルにＣＳＧメンバーとして接続中の移動端末を備え、ＣＳＧメンバーの登録期間が満了すると、移動端末がＣＳＧセルに接続中の場合は、ＣＳＧセルはハンドオーバを開始し、移動端末がハイブリッドセルに接続中の場合は、ハイブリッドセルは移動端末をＣＳＧメンバーとしての扱いから非ＣＳＧメンバーとしての扱いへ変更することで、ＣＳＧメンバーの登録期間が満了した場合であっても、移動端末の接続を継続可能とする。【選択図】図７
2014220827.tif 000002
【特許請求の範囲】
【請求項１】
ＣＳＧメンバーはアクセス可能なＣＳＧセルと、前記ＣＳＧセルであると同時に非ＣＳＧメンバーもアクセス許可されているハイブリッドセルと、前記ＣＳＧメンバーとして登録されており、前記ＣＳＧセルもしくは前記ハイブリッドセルに前記ＣＳＧメンバーとして接続中の移動端末とを備え、
前記ＣＳＧメンバーの登録期間が満了すると、前記移動端末が前記ＣＳＧセルに接続中の場合、前記ＣＳＧセルはハンドオーバを開始し、前記移動端末が前記ハイブリッドセルに接続中の場合、前記ハイブリッドセルは前記移動端末を前記ＣＳＧメンバーとしての扱いから前記非ＣＳＧメンバーとしての扱いへ変更することを特徴とする移動体通信システム。
【発明の詳細な説明】
【技術分野】
【０００１】
本発明は、複数の移動端末と基地局との間で無線通信を実施する移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH：High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についてもサービスが開始されている。Ｗ−ＣＤＭＡは、移動体通信システムの規格化団体である３ＧＰＰ（3rd Generation Partnership Project）により定められた通信方式であり、リリース８版の規格書がとりまとめられている。
【０００３】
また、３ＧＰＰにおいて、Ｗ−ＣＤＭＡとは別の通信方式として、無線区間については「ロングタームエボリューション」（Long Term Evolution  LTE）、コアネットワーク（単にネットワークとも称する）を含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。
【０００４】
ＬＴＥはＷ−ＣＤＭＡのコアネットワーク（GPRS）とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE：User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core）（aGW：Access Gatewayと称されることもある)と称される。このＬＴＥの通信システムでは、ユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。
【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４．６．１章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC：Radio Link Control、MAC：Medium Access Control、PHY：Physical layer）が基地局１０２で終端するなら、Ｅ−ＵＴＲＡＮ（Evolved Universal Terrestrial Radio Access）は１つあるいは複数の基地局１０２によって構成される。基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。ＭＭＥ１０３は移動端末が待ち受け状態及び、アクティブ状態（Active State）の際に、トラッキングエリア（Tracking Area）リストの管理を行う。Ｓ−ＧＷ１０４はひとつまたは複数の基地局１０２とユーザデータの送受信を行う。Ｓ−ＧＷ１０４は基地局間のハンドオーバの際、ローカルな移動性のアンカーポイント（Mobility Anchor Point）となる。更にＰ−ＧＷ（PDN Gateway）が存在し、ユーザ毎のパケットフィルタリングやＵＥ−ＩＤアドレスの割当などを行う。
【０００６】
移動端末１０１と基地局１０２間の制御プロトコルＲＲＣは、報知（Broadcast）、ページング（paging）、ＲＲＣ接続マネージメント（RRC connection management）などを行う。ＲＲＣにおける基地局と移動端末の状態として、ＲＲＣ＿Ｉｄｌｅ、ＲＲＣ＿ＣＯＮＮＥＣＴＥＤがある。ＲＲＣ＿ＩＤＬＥでは、ＰＬＭＮ（Public Land Mobile Network）選択、システム情報（System information、SI）の報知、ページング（paging）、セル再選択（cell re-selection）、モビリティ等が行われる。ＲＲＣ＿ＣＯＮＮＥＣＴＥＤでは、移動端末はＲＲＣ接続（connection）を有し、ネットワークとのデータの送受信を行うことができ、また、ハンドオーバ（Handover、ＨＯ）、隣接セル（Neighbour cell）のメジャメント等が行われる。
【０００７】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。無線フレーム毎に１番目と６番目のサブフレームに下り同期信号（Downlink Synchronization Signal：SS）が含まれる。同期信号には第一同期信号（Primary Synchronization Signal：P-SS）と第二同期信号（Secondary Synchronization Signal：S-SS）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【０００８】
３ＧＰＰでの、ＬＴＥシステムにおけるチャネル構成に関する現在の決定事項が、非特許文献１に記載されている。ＣＳＧ（Closed Subscriber Group cell）セルにおいてもｎｏｎ−ＣＳＧセルと同じチャネル構成が用いられると想定されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel：PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel：PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel：PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。ＰＤＣＣＨはＬ１／Ｌ２制御信号とも呼ばれる。物理下り共有チャネル４０４（Physical downlink shared channel：PDSCH）は、基地局１０２から移動端末１０１へ送信される下りチャネルである。ＰＤＳＣＨはトランスポートチャネルであるＤＬ-ＳＣＨ（下り共有チャネル）やトランスポートチャネルであるＰＣＨがマッピングされている。物理マルチキャストチャネル４０５（Physical multicast channel：PMCH）は基地局１０２から移動端末１０１へ送信される下りチャネルである。ＰＭＣＨはトランスポートチャネルであるＭＣＨ（マルチキャストチャネル）がマッピングされている。
【０００９】
物理上り制御チャネル４０６（Physical Uplink control channel：PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。またＰＵＣＣＨは、スケジューリングリクエスト（Scheduling Request：SR）を運ぶ。物理上り共有チャネル４０７（Physical Uplink shared channel：PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel：PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel：PRACH）は移動端末１０１から基地局１０２へ送信される上りチャネルである。ＰＲＡＣＨはランダムアクセスプリアンブル（random access preamble）を運ぶ。
【００１０】
下りリファレンスシグナル（Reference signal）は、移動体通信システムとして既知のシンボルが、毎スロットの最初、３番目、最後のＯＦＤＭシンボルに挿入される。移動端末の物理レイヤの測定として、リファレンスシンボルの受信電力（Reference symbol received power：ＲＳＲＰ）がある。
【００１１】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel：BCH）はその基地局（セル）全体に報知される。ＢＣＨは物理報知チャネル（PBCH）にマッピングされる。下り共有チャネル（Downlink Shared channel：DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末のＤＲＸ（Discontinuous reception）をサポートする。ＤＬ−ＳＣＨは物理下り共有チャネル（PDSCH）へマッピングされる。ページングチャネル（Paging channel：PCH）は移動端末の低消費電力を可能とするために移動端末のＤＲＸをサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel：MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。
【００１２】
上り共有チャネル（Uplink Shared channel：UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel：RACH）は制御情報に限られている。衝突のリスクがある。ＲＡＣＨは物理ランダムアクセスチャネル（PRACH）へマッピングされる。
【００１３】
ＨＡＲＱについて説明する。ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC＝NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC＝OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。
【００１４】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel：BCCH）は報知システム制御情報のための下りチャネルである。論理チャネルであるＢＣＣＨはトランスポートチャネルである報知チャネル（BCH）、あるいは下り共有チャネル（DL-SCH）へマッピングされる。ページング制御チャネル（Paging control channel：PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル（PCH）へマッピングされる。共有制御チャネル（Common control channel：CCCH）は移動端末と基地局間の送信制御情報のためのチャネルである。ＣＣＣＨは移動端末がネットワークとの間でＲＲＣ接続（connection）を持っていない場合に用いられる。下り方法では、ＣＣＣＨはトランスポートチャネルである下り共有チャネル（ＤＬ−ＳＣＨ）へマッピングされる。上り方向では、ＣＣＣＨはトランスポートチャネルである上り共有チャネル（UL-SCH）へマッピングされる。
【００１５】
マルチキャスト制御チャネル（Multicast control channel：MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル（DL-SCH）あるいはマルチキャストチャネル（MCH）へマッピングされる。個別制御チャネル（Dedicated control channel：DCCH）は移動端末とネットワーク間の個別制御情報を送信するチャネルである。ＤＣＣＨは上りでは上り共有チャネル（UL-SCH）へマッピングされ、下りでは下り共有チャネル（DL-SCH）にマッピングされる。個別トラフィックチャネル（Dedicate Traffic channel：DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。
【００１６】
ＧＣＩとは、グローバルセル識別子（Global Cell Identity）のことである。ＬＴＥ及びＵＭＴＳ（Universal Mobile Telecommunication System）においてＣＳＧセル（Closed Subscriber Group cell）が導入される。ＣＳＧについて以下説明する（非特許文献３  ３．１章）。ＣＳＧ（Closed Subscriber Group）とは、利用可能な加入者をオペレータが特定しているセルである（特定加入者用セル）。特定された加入者は、ＰＬＭＮ（Public Land Mobile Network）のひとつ以上のＥ-ＵＴＲＡＮセルにアクセスすることが許可される。特定された加入者がアクセスを許可されている１つ以上のＥ−ＵＴＲＡＮセルを“ＣＳＧ  ｃｅｌｌ（ｓ）”とよぶ。ただし、ＰＬＭＮにはアクセス制限がある。ＣＳＧセルとは、固有のＣＳＧアイデンティティ（CSG identity：CSG ID，CSG-ID）を報知するＰＬＭＮの一部である。あらかじめ利用登録し、許可された加入者グループのメンバーは、アクセス許可情報であるところのＣＳＧ−ＩＤを用いてＣＳＧセルにアクセスする。
ＣＳＧ−ＩＤはＣＳＧセルかセルによって報知される。移動体通信システムにＣＳＧ−ＩＤは複数存在する。そして、ＣＳＧ−ＩＤは、ＣＳＧ関連のメンバーのアクセスを容易にするために移動端末（UE）によって使用される。移動端末の位置追跡は、１つ以上のセルからなる区域を単位に行われる。位置追跡は、待受け状態であっても移動端末の位置を追跡し、呼び出す（移動端末が着呼する）ことを可能にするためである。この移動端末の位置追跡のための区域をトラッキングエリアとよぶ。ＣＳＧホワイトリスト（CSG White List）とは、加入者が属するＣＳＧセルのすべてのＣＳＧ ＩＤが記録されている、ＵＳＩＭに格納されたリストである。ＣＳＧホワイトリストは、許可ＣＳＧリスト（Allowed CSG ID List）と呼ばれることもある。
【００１７】
「適切なセル」（Suitable cell）について以下説明する（非特許文献３  4.3章）。「適切なセル」（Suitable cell）とは、ＵＥが通常（normal）サービスを受けるためにキャンプオン（Camp ON）するセルである。そのようなセルは、（１）セルは選択されたＰＬＭＮか登録されたＰＬＭＮ、または「Ｅｑｕｉｖａｌｅｎｔ  ＰＬＭＮリスト」のＰＬＭＮの一部であること、（２）ＮＡＳ（non-access stratum）によって提供された最新情報にてさらに以下の条件を満たすこと、（a）そのセルが禁じられた（barred）セルでないこと。（b）そのセルが“ローミングのための禁止されたＬＡｓ”リストの一部ではなく、少なくとも１つのトラッキングエリア（Tracking Area：TA）の一部であること。その場合、そのセルは上記（１）を満たす必要がある、（c）そのセルが、セル選択評価基準を満たしていること、（d）そのセルが、ＣＳＧセルとしてシステム情報（System Information：SI）によって特定されたセルに関しては、ＣＳＧ−ＩＤはＵＥの「ＣＳＧホワイトリスト」（CSG WhiteList）の一部であること（UEのCSG WhiteList中に含まれること）。
【００１８】
「アクセプタブルセル」（Acceptable cell）について以下説明する（非特許文献３  ４．３章）これは、ＵＥが限られたサービス（緊急通報）を受けるためにキャンプオンするセルである。そのようなセルは以下のすべての要件を充足するものとする。つまり、Ｅ−ＵＴＲＡＮネットワークで緊急通報を開始するための最小のセットの要件を以下に示す。（１）そのセルが禁じられた（barred）セルでないこと。（２）そのセルが、セル選択評価基準を満たしていること。
【００１９】
セルにキャンプオン（camp on）するとは、ＵＥがセル選択／再選択（cell selection/reselection）処理を完了し、ＵＥがシステム情報とページング情報をモニタするセルを選択した状態である。
【００２０】
３ＧＰＰにおいて、Ｈｏｍｅ−ＮｏｄｅＢ（Home-NB、HNB）、Ｈｏｍｅ−ｅＮｏｄｅＢ（Home-eNB、HeNB）と称される基地局が検討されている。ＵＴＲＡＮにおけるＨＮＢ、またはＥ-ＵＴＲＡＮにおけるＨｅＮＢは、例えば家庭、法人、商業用のアクセスサービス向けの基地局である。非特許文献４にＨｅＮＢ及びＨＮＢへのアクセスの３つの異なるモードが開示されている。オープンアクセスモード（Open access mode）とクローズドアクセスモード（Closed access mode）とハイブリッドアクセスモード（Hybrid access mode）である。各々のモードは以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルである。ハイブリッドアクセスモードのセルは、言い換えれば、オープンアクセスモードとクローズドアクセスモードの両方をサポートするセルである。
【先行技術文献】
【非特許文献】
【００２１】
【非特許文献１】３ＧＰＰ  ＴＳ３６．３００  Ｖ９．０．０  ４．６．１章、４．６．２章、５章、６章
【非特許文献２】３ＧＰＰ  Ｒ１−０７２９６３
【非特許文献３】３ＧＰＰ  ＴＳ３６．３０４  Ｖ８．６．０  ３．１章、４．３章、５．２．４．８．１章
【非特許文献４】３ＧＰＰ  Ｓ１−０８３４６１
【非特許文献５】３ＧＰＰ  Ｒ２−０８２８９９
【非特許文献６】３ＧＰＰ  ＴＳ２２．２２０  Ｖ９．１．１
【非特許文献７】３ＧＰＰ  ＴＳ２３．４０１  Ｖ９．１．０  ４．３．１３章、５．３．２．１章、５．３．３．２章、５．３．４．１章、５．３．４．３章、５．７章
【非特許文献８】３ＧＰＰ  ＴＳ２３．１２２  Ｖ８．６．０  ４．５．３章
【発明の概要】
【発明が解決しようとする課題】
【００２２】
３ＧＰＰでは、ページング方法について現在以下の内容が決定している。ＨｅＮＢＧＷとＭＭＥの機能としてページングの最適化（paging optimization）がある。ページングの最適化とは、呼び出された移動端末のネットワーク側管理の許可ＣＳＧリスト（以降、「CSG Subscription Data」と称することもある）がページングメッセージ中に含まれた場合オプションとして認められる機能である。ページングの最適化用には、期限切れのＣＳＧ登録（expired CSG subscriptions）は有効なＣＳＧ登録（valid CSG subscriptions）のように扱う（非特許文献７  ５．３．４．３）。
【００２３】
ＭＭＥ、あるいはＳＧＳＮ（Serving General packet radio service Support Node）の機能としてページング手順の管理がある。ＭＭＥ、あるいはＳＧＳＮがページングリクエストメッセージ（Paging Request message）に対する移動端末からの応答を受信しない場合は、ページングを反復する。ページングの反復では、ページングの最適化は行わない。
【００２４】
ＣＳＧセルのＣＳＧメンバーとしてテンポラリー登録する移動端末が多くなると、テンポラリメンバーをＣＳＧメンバーとして認める期間が満了する移動端末も増加する。したがって、ネットワーク側が管理する期限切れのＣＳＧ登録（expired CSG subscriptions）に含まれる移動端末の数が増加する。
【００２５】
このように、テンポラリー登録する移動端末が多くなることにより、ネットワーク側が管理する期限切れのＣＳＧ登録に含まれる移動端末数が増える。よって期限切れのＣＳＧ登録の管理に対する処理負荷が増加するという課題が発生する。
【００２６】
また、ページングの最適化用には、期限切れのＣＳＧ登録（expired CSG subscriptions）は有効なＣＳＧ登録（valid CSG subscriptions）のように扱うため、ＭＭＥなどがページングの最適化を実行出来ない場合が多く発生する。これにより、無駄なページングが発生する機会が増える。よって、無線リソースの有効活用が図れないという課題が発生する。
本発明の目的は、ネットワーク側の処理負荷を軽減でき、無線リソースを無駄に使用することを解消できる移動体通信システムを提供することである。
【課題を解決するための手段】
【００２７】
本発明は、ＣＳＧメンバーはアクセス可能なＣＳＧセルと、前記ＣＳＧセルであると同時に非ＣＳＧメンバーもアクセス許可されているハイブリッドセルと、前記ＣＳＧメンバーとして登録されており、前記ＣＳＧセルもしくは前記ハイブリッドセルに前記ＣＳＧメンバーとして接続中の移動端末とを備え、前記ＣＳＧメンバーの登録期間が満了すると、前記移動端末が前記ＣＳＧセルに接続中の場合、前記ＣＳＧセルはハンドオーバを開始し、前記移動端末が前記ハイブリッドセルに接続中の場合、前記ハイブリッドセルは前記移動端末を前記ＣＳＧメンバーとしての扱いから前記非ＣＳＧメンバーとしての扱いへ変更することを特徴とする移動体通信システムである。
【発明の効果】
【００２８】
本発明によれば、ＣＳＧメンバーはアクセス可能なＣＳＧセルと、前記ＣＳＧセルであると同時に非ＣＳＧメンバーもアクセス許可されているハイブリッドセルと、前記ＣＳＧメンバーとして登録されており、前記ＣＳＧセルもしくは前記ハイブリッドセルに前記ＣＳＧメンバーとして接続中の移動端末とを備え、前記ＣＳＧメンバーの登録期間が満了すると、前記移動端末が前記ＣＳＧセルに接続中の場合、前記ＣＳＧセルはハンドオーバを開始し、前記移動端末が前記ハイブリッドセルに接続中の場合、前記ハイブリッドセルは前記移動端末を前記ＣＳＧメンバーとしての扱いから前記非ＣＳＧメンバーとしての扱いへ変更するので、ＣＳＧメンバーの登録期間が満了した場合であっても、移動端末の接続を継続可能とすることができる。その結果、ユーザにとって不便を生じさせることなく、ネットワーク側の処理負荷を軽減でき、無線リソースを無駄に使用することを解消できる。
【図面の簡単な説明】
【００２９】
【図１】ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰで議論されている移動体通信システムの全体的な構成を示すブロック図である。
【図８】本発明に係る移動端末３１１の構成を示すブロック図である。
【図９】本発明に係る基地局３１２の構成を示すブロック図である。
【図１０】本発明に係るＭＭＥの構成を示すブロック図である。
【図１１】本発明に係るＨｅＮＢＧＷの構成を示すブロック図である。
【図１２】ＬＴＥ方式の通信システムにおいて移動端末（ＵＥ）が行うセルサーチの概略を示すフローチャートである。
【図１３】実施の形態１の課題を説明する移動体通信システムのシーケンス図である。
【図１４】実施の形態１の解決策におけるＭＭＥの動作を示すフロー図である。
【図１５】実施の形態１の変形例１の解決策におけるＭＭＥの動作を示すフロー図である。
【図１６】実施の形態２の解決策における移動体通信システムのシーケンス図である。
【図１７】実施の形態２の変形例１の解決策における移動体通信システムのシーケンス図である。
【図１８】実施の形態３の解決策における移動体通信システムのシーケンス図である。
【図１９】従来のページング手順における移動端末の動作を示すフロー図である。
【図２０】実施の形態４の通知方法（２）の解決策における移動端末の動作を示すフロー図である。
【図２１】実施の形態４の通知方法（３）の解決策における移動端末の動作を示すフロー図である。
【図２２】実施の形態４の解決策における移動体通信システムのシーケンス図である。
【図２３】実施の形態４の変形例２の解決策における移動体通信システムのシーケンス図である。
【図２４】実施の形態５の解決策にて、「テンポラリー延長期間」に具体例（１）を用いた場合における移動体通信システムのシーケンス図である。
【図２５】実施の形態５の解決策にて、「テンポラリー延長期間」に具体例（２）を用いた場合における移動体通信システムのシーケンス図である。
【図２６】実施の形態５の変形例１の解決策における移動体通信システムのシーケンス図である。
【図２７】実施の形態５の変形例２の解決策における移動体通信システムのシーケンス図である。
【図２８】実施の形態６の解決策における移動端末が待受け状態であった場合の移動体通信システムのシーケンス図である。
【図２９】実施の形態６の解決策における移動端末が通話状態であった場合の移動体通信システムのシーケンス図である。
【図３０】実施の形態６の変形例１の解決策における移動端末が待受け状態であった場合の移動体通信システムのシーケンス図である。
【図３１】実施の形態７の課題を説明する移動体通信システムのシーケンス図である。
【図３２】ＬＴＥ方式の通信システムにおけるＣＳＧリストの管理方法についての概念図である。
【発明を実施するための形態】
【００３０】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（e-UTRANのHome-eNodeB（Home-eNB,HeNB）,UTRANのHome-NB（HNB））とｎｏｎ-ＣＳＧセル（e-UTRANのeNodeB（eNB）、UTRANのNodeB（NB）、GERANのBSS）とを含めたシステムの全体的な構成が検討されており、ｅ−ＵＴＲＡＮについては、図７のような構成が提案されている（非特許文献１  ４．６．１.章）。
【００３１】
図７について説明する。移動端末（ＵＥ）７１は基地局７２と送受信を行う。基地局７２はｅＮＢ７２−１と、Ｈｏｍｅ−ｅＮＢ７２−２とに分類される。ｅＮＢ７２−１はＭＭＥ７３とインタフェースＳ１により接続され、ｅＮＢとＭＭＥとの間で制御情報が通信される。ひとつのｅＮＢ７２−１に対して複数のＭＭＥ７３が接続されてもよい。ｅＮＢ間はインタフェースＸ２により接続され、ｅＮＢ間で制御情報が通信される。
【００３２】
Ｈｏｍｅ−ｅＮＢ７２−２はＭＭＥ７３とインタフェースＳ１により接続され、Ｈｏｍｅ−ｅＮＢとＭＭＥとの間で制御情報が通信される。ひとつのＭＭＥに対して複数のＨｏｍｅ−ｅＮＢが接続される。あるいは、Ｈｏｍｅ−ｅＮＢ７２−２はＨｅＮＢＧＷ（Home-eNB GateWay）７４を介してＭＭＥ７３と接続される。Ｈｏｍｅ−ｅＮＢとＨｅＧＷはインタフェースＳ１により接続され、ＨｅＮＢＧＷ７４とＭＭＥ７３はインタフェースＳ１を介して接続される。ひとつまたは複数のＨｏｍｅ−ｅＮＢ７２−２がひとつのＨｅＮＢＧＷ７４と接続され、Ｓ１を通して情報が通信される。ＨｅＮＢＧＷ７４はひとつまたは複数のＭＭＥ７３と接続され、Ｓ１を通して情報が通信される。
【００３３】
さらに現在３ＧＰＰでは以下のような構成が検討されている。Ｈｏｍｅ−ｅＮＢ７２−２間のインタフェースＸ２はサポートされない。ＭＭＥ７３からは、ＨｅＮＢＧＷ７４はｅＮＢ７２−１として見える。Ｈｏｍｅ−ｅＮＢ７２−２からは、ＨｅＮＢＧＷ７４はＭＭＥ７３として見える。Ｈｏｍｅ−ｅＮＢ７２−２がＨｅＮＢＧＷ７４を介してＥＰＣに接続されるか否かに関係なく、Ｈｏｍｅ−ｅＮＢ７２−２とＥＰＣ間のインタフェースＳ１は同じである。ＭＭＥ７３をまたがるような、Ｈｏｍｅ−ｅＮＢ７２−２へのモビリティ、あるいはＨｏｍｅ−ｅＮＢ７２−２からのモビリティはサポートされない。Ｈｏｍｅ−ｅＮＢ７２−２は唯一のセルをサポートする。
【００３４】
図８は、本発明に係る移動端末（図７の端末７１）の構成を示すブロック図である。図８に示す移動端末の送信処理を説明する。まず、プロトコル処理部８０１からの制御データ、アプリケーション部８０２からのユーザデータが送信データバッファ部８０３へ保存される。送信データバッファ部８０３に保存されたデータはエンコーダー部８０４へ渡され、誤り訂正などのエンコード処理が施される。エンコード処理を施さずに送信データバッファ部８０３から変調部８０５へ直接出力されるデータが存在しても良い。エンコーダー部８０４でエンコード処理されたデータは変調部８０５にて変調処理が行われる。変調されたデータはベースバンド信号に変換された後、周波数変換部８０６へ出力され、無線送信周波数に変換される。その後、アンテナ８０７から基地局３１２に送信信号が送信される。また、移動端末３１１の受信処理は以下のとおり実行される。基地局３１２からの無線信号がアンテナ８０７により受信される。受信信号は、周波数変換部８０６にて無線受信周波数からベースバンド信号に変換され、復調部８０８において復調処理が行われる。復調後のデータはデコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末の一連の処理は制御部８１０によって制御される。よって制御部８１０は、図面では省略しているが、各部（801〜809）と接続している。
【００３５】
図９は、本発明に係る基地局（図７の基地局７２）の構成を示すブロック図である。図９に示す基地局の送信処理を説明する。ＥＰＣ通信部９０１は、基地局７２とＥＰＣ（MME73，HeNBGW74など）間のデータの送受信を行う。他基地局通信部９０２は、他の基地局との間のデータの送受信を行う。Ｈｏｍｅ−ｅＮＢ７２−２間のインタフェースＸ２はサポートされない方向であるため、Ｈｏｍｅ−ｅＮＢ７２−２では、他基地局通信部９０２が存在しないことも考えられる。ＥＰＣ通信部９０１、他基地局通信部９０２はそれぞれプロトコル処理部９０３と情報の受け渡しを行う。プロトコル処理部９０３からの制御データ、またＥＰＣ通信部９０１と他基地局通信部９０２からのユーザデータ及び制御データが送信データバッファ部９０４へ保存される。送信データバッファ部９０４に保存されたデータはエンコーダー部９０５へ渡され、誤り訂正などのエンコード処理が施される。エンコード処理を施さずに送信データバッファ部９０４から変調部９０６へ直接出力されるデータが存在しても良い。エンコードされたデータは変調部９０６にて変調処理が行われる。変調されたデータはベースバンド信号に変換された後、周波数変換部９０７へ出力され、無線送信周波数に変換される。その後、アンテナ９０８より一つもしくは複数の移動端末７１に対して送信信号が送信される。また、基地局７２の受信処理は以下のとおり実行される。ひとつもしくは複数の移動端末３１１からの無線信号がアンテナ９０８により受信される。受信信号は周波数変換部９０７にて無線受信周波数からベースバンド信号に変換され、復調部９０９で復調処理が行われる。復調されたデータはデコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１、他基地局通信部９０２へ渡される。基地局７２の一連の処理は制御部９１１によって制御される。よって制御部９１１は図面では省略しているが各部（901〜910）と接続している。
【００３６】
現在３ＧＰＰにおいて議論されているＨｏｍｅ−ｅＮＢ７２−２の機能を以下に示す（非特許文献１  ４．６．２章）。Ｈｏｍｅ−ｅＮＢ７２−２はｅＮＢ７２−１と同じ機能を持つ。加えてＨｅＮＢＧＷ７４と接続する場合、以下示す機能を有する。適当なサービングＨｅＮＢＧＷ７４を発見する機能を有する。Ｈｏｍｅ−ｅＮＢ７２−２は１つのＨｅＮＢＧＷ７４に唯一接続する、つまり、ＨｅＮＢＧＷ７４との接続の場合は、Ｈｏｍｅ−ｅＮＢ７２−２でＳ１におけるＦｌｅｘ機能を使用しない。Ｈｏｍｅ−ｅＮＢ７２−２がＨｅＮＢＧＷ７４に接続されると、同時に別のＨｅＮＢＧＷ７４や別のＭＭＥ７３に接続しない。Ｈｏｍｅ−ｅＮＢ７２−２のＴＡＣとＰＬＭＮ  ＩＤは、ＨｅＮＢＧＷ７４によってサポートされる。Ｈｏｍｅ−ｅＮＢ７２−２をＨｅＮＢＧＷ７４に接続すると、「ＵＥ  ａｔｔａｃｈｍｅｎｔ」でのＭＭＥ７３の選択は、Ｈｏｍｅ−ｅＮＢ７２−２の代わりにＨｅＮＢＧＷ７４によって行われる。Ｈｏｍｅ−ｅＮＢ７２−２はネットワーク計画なしで配備されるかもしれない。よってＨｏｍｅ−ｅＮＢ７２−２は１つの地理的な領域から別の地理的な領域へ移されるかもしれない。したがって位置による異なったＨｅＮＢＧＷ７４に接続する必要があるかもしれない。
【００３７】
図１０は、本発明に係るＭＭＥ（Mobility Management Entity）の構成を示すブロック図である。ＰＤＮ  ＧＷ通信部１００１はＭＭＥ７３とＰＤＮ  ＧＷ間のデータの送受信を行う。基地局通信部１００２はＭＭＥ７３と基地局７２間をＳ１インタフェースによるデータの送受信を行う。ＰＤＮ  ＧＷから受信したデータがユーザデータであった場合、ユーザデータはＰＤＮ  ＧＷ通信部１００１からユーザプレイン処理部１００３経由で基地局通信部１００２に渡され、１つあるいは複数の基地局７２へ送信される。基地局７２から受信したデータがユーザデータであった場合、ユーザデータは基地局通信部１００２からユーザプレイン処理部１００３経由でＰＤＮ  ＧＷ通信部１００１に渡され、ＰＤＮ  ＧＷへ送信される。
【００３８】
ＰＤＮ  ＧＷから受信したデータが制御データであった場合、制御データはＰＤＮ  ＧＷ通信部１００１から制御プレイン制御部１００５へ渡される。基地局７２から受信したデータが制御データであった場合、制御データは基地局通信部１００２から制御プレイン制御部１００５へ渡される。ＨｅＮＢＧＷ通信部１００４は、ＨｅＮＢＧＷ７４が存在する場合に設けられ、情報種別によって、ＭＭＥ７３とＨｅＮＢＧＷ７４間のインタフェース（ＩＦ）によるデータの送受信を行う。ＨｅＮＢＧＷ通信部１００４から受信した制御データはＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００３９】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１はＮＡＳ（Non-Access Stratum）メッセージのセキュリティなどを行う。ＳＡＥベアラコントロール部１００５―２はＳＡＥ（System Architecture Evolution）のベアラの管理などを行う。アイドルステートモビリティ管理部１００５―３は、待受け（LTE‐IDLE状態、単にアイドルとも称される）状態のモビリティ管理、待受け状態時のページング信号の生成及び制御、傘下の１つあるいは複数の移動端末７１のトラッキングエリア（TA）の追加、削除、更新、検索、トラッキングエリアリスト（TA List）管理などを行う。ＭＭＥはＵＥが登録されている（registered）追跡領域（トラッキングエリア：tracking Area：TA）に属するセルへページングメッセージを送信することで、ページングプロトコルに着手する。ＭＭＥに接続されるＨｏｍｅ−ｅＮＢ７２−２のＣＳＧの管理やＣＳＧ−ＩＤの管理、そしてホワイトリスト管理を、アイドルステートモビリティ管理部１００５―３で行っても良い。ＣＳＧ−ＩＤの管理では、ＣＳＧ−ＩＤに対応する移動端末とＣＳＧセルの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルの関係であっても良い。ホワイトリスト管理では、移動端末とＣＳＧ−ＩＤの関係が管理（追加、削除、更新、検索）される。例えば、ホワイトリストには、ある移動端末がユーザ登録した一つまたは複数のＣＳＧ−ＩＤが記憶されても良い。これらのＣＳＧに関する管理はＭＭＥ７３の中の他の部分で行われても良い。ＭＭＥ３１３の一連の処理は制御部１００６によって制御される。よって制御部１００６は図面では省略しているが各部（1001〜1005）と接続している。
【００４０】
現在３ＧＰＰにおいて議論されているＭＭＥ７３の機能を以下に示す（非特許文献１  ４．６．２章）。ＭＭＥ７３はＣＳＧ（Closed Subscriber Groups）のメンバーの１つ、あるいは複数の移動端末のアクセスコントロールを行う。ページングの最適化（Paging optimization）の実行をオプションとして認める。
【００４１】
図１１は、本発明に係るＨｅＮＢＧＷの構成を示すブロック図である。ＥＰＣ通信部１１０１はＨｅＮＢＧＷ７４とＭＭＥ７３間をＳ１インタフェースによるデータの送受信を行う。基地局通信部１１０２はＨｅＮＢＧＷ７４とＨｏｍｅ−ｅＮＢ７２−２間をＳ１インタフェースによるデータの送受信を行う。ロケーション処理部１１０３は、ＥＰＣ通信部１１０１経由で渡されたＭＭＥ７３からのデータのうちレジストレーション情報など、複数のＨｏｍｅ−ｅＮＢに送信する処理を行う。ロケーション処理部１１０３で処理されたデータは、基地局通信部１１０２に渡され、ひとつまたは複数のＨｏｍｅ−ｅＮＢ７２−２にＳ１インタフェースを介して送信される。ロケーション処理部１１０３での処理を必要とせず通過（透過）させるだけのデータは、ＥＰＣ通信部１１０１から基地局通信部１１０２に渡され、ひとつまたは複数のＨｏｍｅ−ｅＮＢ７２−２にＳ１インタフェースを介して送信される。ＨｅＮＢＧＷ７４の一連の処理は制御部１１０４によって制御される。よって制御部１１０４は図面では省略しているが各部（1101〜1103）と接続している。
【００４２】
現在３ＧＰＰにおいて議論されているＨｅＮＢＧＷ７４の機能を以下に示す（非特許文献１  ４・６・２章）。Ｓ１アプリケーションについてリレーする。Ｈｏｍｅ−ｅＮＢ７２−２へのＭＭＥ７３の手順の一部分であるが、移動端末７１に関係しないＳ１アプリケーションについて終端する。ＨｅＮＢＧＷ７４が配置されるとき、移動端末７１に無関係な手順がＨｏｍｅ−ｅＮＢ７２−２とＨｅＮＢＧＷ７４間、そしてＨｅＮＢＧＷ７４とＭＭＥ７３間を通信される。ＨｅＮＢＧＷ７４と他のノード間でインタフェースＸ２は設定されない。ページングの最適化（Paging optimization）の実行をオプションとして認める。
【００４３】
次に移動体通信システムにおける一般的なセルサーチ方法の一例を示す。図１２は、ＬＴＥ方式の通信システムにおいて移動端末（UE）が行うセルサーチから待ち受け動作までの概略を示すフローチャートである。移動端末にてセルサーチが開始されると、ステップＳＴ１２０１で周辺の基地局から送信される第一同期信号（P−SS）、第二同期信号（S−SS）を用いてスロットタイミング、フレームタイミングの同期をとる。Ｐ−ＳＳとＳ−ＳＳあわせて、同期信号（SS）にはセル毎に割り当てられたＰＣＩ（Physical Cell Identity）に１対１対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。次に同期がとれたセルに対して、ステップＳＴ１２０２で、基地局からセル毎に送信される参照信号ＲＳ（Reference Signal）を検出し受信電力の測定を行う。参照信号ＲＳにはＰＣＩと１対１に対応したコードが用いられており、そのコードで相関をとることによって他セルと分離できる。ＳＴ１２０１で特定したＰＣＩから該セルのＲＳ用のコードを導出することによって、ＲＳを検出し、ＲＳ受信電力を測定することが可能となる。次にＳＴ１２０３で、ＳＴ１２０２までで検出されたひとつ以上のセルの中から、ＲＳの受信品質が最も良いセル（例えば、ＲＳの受信電力が最も高いセル、つまりベストセル）を選択する。次にＳＴ１２０４でベストセルのＰＢＣＨを受信して、報知情報であるＢＣＣＨを得る。ＰＢＣＨ上のＢＣＣＨには、セル構成情報が含まれるＭＩＢ（Master Information Block）がのる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００４４】
次に１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には該セルへのアクセスに関する情報や、セルセレクションに関する情報、他のＳＩＢ（SIBk;k≧2の整数）のスケジューリング情報が含まれる。また、ＳＩＢ１にはＴＡＣ（Tracking Area Code）が含まれる。次にＳＴ１２０６で、移動端末は、ＳＴ１２０５で受信したＴＡＣと、移動端末が既に保有しているＴＡＣと比較する。比較した結果、同じならば、該セルで待ち受け動作に入る。比較して異なる場合は、移動端末は該セルを通してコアネットワーク（Core Network，EPC）（ＭＭＥなどが含まれる）へ、ＴＡＵ（Tracking Area Update）を行うためＴＡの変更を要求する。コアネットワークは、ＴＡＵ要求信号とともに移動端末から送られてくる該移動端末の識別番号（UE−IDなど）をもとに、ＴＡの更新を行う。コアネットワークはＴＡの更新後、移動端末にＴＡＵ受領信号を送信する。移動端末は該セルのＴＡＣで、移動端末が保有するＴＡＣ（あるいはＴＡＣリスト）を書き換える（更新する）。その後移動端末は該セルで待ち受け動作に入る。
【００４５】
ＬＴＥやＵＭＴＳ（Universal Mobile Telecommunication System）においては、ＣＳＧ（Closed Subscriber Group）セルの導入が検討されている。前述したように、ＣＳＧセルに登録したひとつまたは複数の移動端末のみにアクセスが許される。ＣＳＧセルと登録されたひとつまたは複数の移動端末がひとつのＣＳＧを構成する。このように構成されたＣＳＧにはＣＳＧ−ＩＤと呼ばれる固有の識別番号が付される。なお、ひとつのＣＳＧには複数のＣＳＧセルがあっても良い。移動端末はどれかひとつのＣＳＧセルに登録すればそのＣＳＧセルが属するＣＳＧの他のＣＳＧセルにはアクセス可能となる。また、ＬＴＥでのＨｏｍｅ−ｅＮＢやＵＭＴＳでのＨｏｍｅ−ＮＢがＣＳＧセルとして使われることがある。ＣＳＧセルに登録した移動端末は、ホワイトリストを有する。具体的にはホワイトリストはＳＩＭ／ＵＳＩＭに記憶される。ホワイトリストには、移動端末が登録したＣＳＧセルのＣＳＧ情報がのる。ＣＳＧ情報として具体的には、ＣＳＧ−ＩＤ、ＴＡＩ（Tracking Area Identity）、ＴＡＣなどが考えられる。ＣＳＧ−ＩＤとＴＡＣが対応づけられていれば、どちらか一方で良い。また、ＣＳＧ−ＩＤやＴＡＣとＧＣＩ（Global Cell Identity）が対応付けられていればＧＣＩでもよい。以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【００４６】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５）。またＰＣＩスプリット情報は、システム情報にて基地局から傘下の移動端末に対して報知されることが議論されている。ＰＣＩスプリットを用いた移動端末の基本動作を開示する。ＰＣＩスプリット情報を有しない移動端末は、全ＰＣＩを用いて（例えば５０４コード全てを用いて）セルサーチを行う必要がある。対してＰＣＩスプリット情報を有する移動端末は、当該ＰＣＩスプリット情報を用いてセルサーチを行うことが可能である。
【００４７】
３ＧＰＰでは、一時的なＣＳＧメンバーを認める。一時的なメンバーはテンポラリメンバー（temporary member）、あるいは訪問者（ビジタ：visitor）とも呼ばれる。テンポラリメンバーはＣＳＧメンバーとして認める期間（テンポラリー期間）を設定することが可能である（非特許文献６）。
【００４８】
３ＧＰＰでは、移動端末がＣＳＧセルをセレクション、あるいはリセレクションする方法について２つのモードが存在する。１つ目は自動（Automatic）モードである。自動モードの特徴を以下に示す。移動端末内の許可ＣＳＧリスト（Allowed CSG ID List）を利用してセレクション、あるいはリセレクションを行う。ＰＬＭＮ選択が完了した後、ｎｏｎ−ＣＳＧセル、あるいは許可ＣＳＧリストに存在するＣＳＧ  ＩＤを伴うＣＳＧセルである場合にのみ、選択している該ＰＬＭＮ中の１つのセルにキャンプオンする。移動端末の許可ＣＳＧリストが空であるなら、移動端末はＣＳＧセルの自立（autonomous）サーチ機能を停止する（非特許文献３  ５．２．４．８．１章）。
【００４９】
２つ目は手動（Manual）モードである。手動モードの特徴を以下に示す。移動端末は、現在選択されているＰＬＭＮで利用可能なＣＳＧのリストをユーザに示す。移動端末がユーザに提供するＣＳＧのリストは移動端末に保存されている許可ＣＳＧリストに含まれるＣＳＧに限られない。ユーザが該ＣＳＧのリストを基に選定した後、移動端末は選択されたＣＳＧ  ＩＤを伴うセルへキャンプオンし、登録（register）を試みる（非特許文献３  ５．２．４．８．１章）。
【００５０】
３ＧＰＰでは、移動端末内の許可ＣＳＧリストの更新方法について、現在以下の内容が決定している。
【００５１】
移動端末が、ＥＰＳ（Evolved Packet system）ベアラを設定（establish）するための方法である「E-UTRAN initial attach」を行った結果、ネットワーク側から拒絶（reject）のメッセージを受信した場合、そのＣＳＧ  ＩＤを移動端末内の許可ＣＳＧリストから削除する。一方、移動端末が、「E-UTRAN initial attach」を行った結果、ネットワーク側から受諾（accept、attach accept）のメッセージを受信した場合、そのＣＳＧ  ＩＤを移動端末内の許可ＣＳＧリストへ追加する（非特許文献７  ５．３．２．１章）。
【００５２】
移動端末が、ユーザプレイン（u-plane）無線（radio）ベアラをセットアップするための方法である「UE triggered service Request」を行った結果、ネットワーク側から拒絶（reject）のメッセージを受信した場合、該サービスリクエストを開始したセルの伴うＣＳＧ  ＩＤを移動端末内の許可ＣＳＧリストから削除する（非特許文献７  ５．３．４．１章）。
【００５３】
移動端末が、トラッキングエリアを更新するための方法である「E-UTRAN Tracking Area update」を行った結果、ネットワーク側から拒絶（reject）のメッセージを受信した場合、そのＣＳＧ  ＩＤを移動端末内の許可ＣＳＧリストから削除する。移動端末がＣＳＧセルをセレクション、あるいはリセレクションする方法として手動（Manual）モードを実行した場合は、移動端末は、ネットワーク側からＴＡＵ受諾（accept）のメッセージを受信した場合、そのＣＳＧ  ＩＤを移動端末内の許可ＣＳＧリストへ追加する（非特許文献７  ５．３．３．２章）。
【００５４】
３ＧＰＰでは、ページング方法について現在以下の内容が決定している。
【００５５】
ＨｅＮＢＧＷとＭＭＥの機能としてページングの最適化（paging optimization）がある。ページングの最適化とは、呼び出された移動端末のネットワーク側管理の許可ＣＳＧリスト（以降、「CSG Subscription Data」と称することもある）がページングメッセージ中に含まれた場合オプションとして認められる機能である。また、ページングの最適化は、移動端末がアクセスするのを許されていないＣＳＧセルにて呼び出すことを避けるために、トラッキングエリアリスト、ユーザのＣＳＧ登録データとＣＳＧアクセスモードに基づき、ページングメッセージにフィルタをかけるために用いられる。また、ページングの最適化用には、期限切れのＣＳＧ登録（expired CSG subscriptions）は有効なＣＳＧ登録（valid CSG subscriptions）のように扱うことが決定している（非特許文献７  ４．３．１３、５．３．４．３）。一方、ページングの最適化の具体的動作については、決定していない。
【００５６】
ＭＭＥ、あるいはＳＧＳＮ（Serving General packet radio service Support Node）の機能としてページング手順の管理がある。ＭＭＥ、あるいはＳＧＳＮがページングリクエストメッセージ（Paging Request message）に対する移動端末からの応答を受信しない場合は、ページングを反復する。ページングの反復では、ページングの最適化は行わない。
【００５７】
ＣＳＧリストの管理方法について説明する。
【００５８】
移動端末は、許可ＣＳＧリストを管理（保管）する。移動端末は、許可ＣＳＧリストとして該移動端末がメンバーであるＣＳＧ  ＩＤとＰＬＭＮ（Public Land Mobile Network）を管理する（非特許文献７  ５．７章）。移動端末内の許可ＣＳＧリストの概念図の具体例を図３２（ａ）―（１）、（ａ）−（２）に示す。(ａ)−（１）に移動端末ＡがＣＳＧに未登録の場合の移動端末内の許可ＣＳＧリストを示す。許可ＣＳＧリストとして管理されているＣＳＧ  ＩＤが無い、つまり許可ＣＳＧリストが空となる。（ａ）−（２）では移動端末ＡがＣＳＧ  ＩＤ「１」のＣＳＧグループに登録している場合の移動端末内の許可ＣＳＧリストを示す。許可ＣＳＧリストとしてＣＳＧ  ＩＤが「１」が管理される。
【００５９】
ＭＭＥは、移動端末毎に許可ＣＳＧリストを管理（保管）する。ＭＭＥは、移動端末毎にＰＬＭＮ毎の登録されるＣＳＧ  ＩＤを管理する。テンポラリー登録の場合は、テンポラリー期間も合わせて管理する。テンポラリー期間が管理されていないＣＳＧ登録は、無期限の登録を示す（非特許文献７  ５．７章）。ＭＭＥ内の許可ＣＳＧリストの概念図の具体例を図３２（ｂ）−（１）、（ｂ）−（２）、（ｂ）−（３）に示す。（ｂ）−（１）に移動端末ＡがＣＳＧに未登録の場合のＭＭＥ内の許可ＣＳＧリストを示す。移動端末Ａの許可ＣＳＧリストとして管理されているＣＳＧ  ＩＤが無い、つまり許可ＣＳＧリストが空となる。（ｂ）−（２）に移動端末ＡがＣＳＧ  ＩＤ「１」のＣＳＧグループにテンポラリー期間「Ａ」として、テンポラリー登録している場合のＭＭＥ内の許可ＣＳＧリストを示す。移動端末Ａの許可ＣＳＧリストとしてＣＳＧ  ＩＤが「１」、及びテンポラリー期間「Ａ」が管理される。（ｂ）−（３）に移動端末ＡのＣＳＧ「１」のＣＳＧグループへのテンポラリー登録に係る、テンポラリー期間が満了した場合のＭＭＥ内の許可ＣＳＧリストを示す。移動端末Ａの許可ＣＳＧリストとして管理されているＣＳＧ  ＩＤが無い、つまり許可ＣＳＧリストが空となる。一方、期限切れのＣＳＧ登録として、移動端末ＡのＣＳＧ「１」への登録が管理される。
【００６０】
ＨＳＳは、ＭＭＥ同様に移動端末毎に許可ＣＳＧリストを管理（保管）する（非特許文献７  ５．７章）。詳細な説明は、ＭＭＥと同様であるので省略する。
【００６１】
ＣＳＧセルのＣＳＧメンバーとしてテンポラリー登録する移動端末が多くなると、テンポラリメンバーをＣＳＧメンバーとして認める期間が満了する移動端末も増加する。したがって、ネットワーク側が管理する期限切れのＣＳＧ登録（expired CSG subscriptions）に含まれる移動端末の数が増加する。テンポラリー登録する移動端末が多くなる具体例としては、レストラン所有のＣＳＧセルへ来客者がテンポラリー登録を行う場合などが考えられる。
【００６２】
このように、テンポラリー登録する移動端末が多くなることにより以下の状況が発生し、以下の課題１が発生する。ネットワーク側が管理する期限切れのＣＳＧ登録に含まれる移動端末数が増える。よって期限切れのＣＳＧ登録の管理に対する処理負荷が増加するという課題が発生する。
【００６３】
また、ページングの最適化用には、期限切れのＣＳＧ登録（expired CSG subscriptions）は有効なＣＳＧ登録（valid CSG subscriptions）のように扱うため、ＭＭＥなどがページングの最適化を実行出来ない場合が多く発生する。これにより、無駄なページングが発生する機会が増える。よって、無線リソースの有効活用が図れないという課題が発生する。
【００６４】
テンポラリー登録の期間満了の際、移動端末内の許可ＣＳＧリストから該テンポラリー登録に関するＣＳＧ  ＩＤが削除される方法について検討する。現在の移動端末内の許可ＣＳＧリストの更新方法では、該ＣＳＧ  ＩＤを削除するためには、テンポラリー登録の期間満了したＣＳＧ  ＩＤを伴うセルからの拒絶（reject）のメッセージを受信する必要がある。これにより、ネットワーク側管理の許可ＣＳＧリスト（CSG Subscription Data）と移動端末内の許可ＣＳＧリストの不整合が継続する可能性がある。
【００６５】
許可ＣＳＧリストの不整合が継続する具体例を説明する。レストラン所有のＣＳＧセルへ来客者がテンポラリー登録を行う。登録の際、レストランに在席の間、テンポラリー登録が継続するように、十分長いテンポラリー期間を与えられることが考えられる。移動端末は、十分長いテンポラリー期間が与えられているため、レストラン所有のＣＳＧセルから拒絶（reject）されることはない。
【００６６】
このように、ネットワーク側管理の許可ＣＳＧリストと移動端末内の許可ＣＳＧリストの不整合が継続することにより以下の状況が発生し、以下の課題２が発生する。テンポラリー期間満了を理由にネットワーク側管理の許可ＣＳＧリストに含まれなくなったＣＳＧ  ＩＤであっても、移動端末内の許可ＣＳＧリストからは削除されていないために、移動端末の自動モードにおけるＣＳＧセルセレクション、リセレクションにて該ＣＳＧ  ＩＤを伴うセルを選択、あるいはキャンプオンする状況が発生する。つまり、移動端末がその後のサービスを受けることが出来ないセルを選択、あるいはキャンプオンする状況が発生する。よって移動端末の消費電力にて無駄が生じるという課題が発生する。
【００６７】
また、例えばテンポラリー期間満了を理由にネットワーク側管理の許可ＣＳＧリストからテンポラリー登録に関するＣＳＧ  ＩＤを削除したことにより、該移動端末がサービスを受けることが出来る、あるいは登録しているＣＳＧ  ＩＤが存在しない場合であっても移動端末内の許可ＣＳＧリストが空にならない状況（テンポラリー登録に関するＣＳＧ  ＩＤが含まれる状況）が発生する。これにより、移動端末でのＣＳＧセルの自立サーチ機能を停止することが出来ない状況が発生する。よって移動端末の消費電力にて無駄が生じるという課題が発生する。
【００６８】
上記の課題１、課題２が発生する具体的動作例を、図１３を用いて説明する。ステップＳＴ１３０１にて、移動端末Ａ（ＵＥＡ）をＣＳＧ  ＩＤ「１」に対して、テンポラリー期間Ａとして、テンポラリー登録する。ここでＣＳＧは、１以上の移動端末および１以上のセル（基地局）からなるアクセスグループである。ステップＳＴ１３０１では、移動端末Ａ（ＵＥＡ）がＣＳＧ  ＩＤ「１」を伴うＣＳＧのメンバーとして登録されるものとする。これにより、移動端末Ａは同じＣＳＧメンバーのセル（基地局）にアクセスすることが許可される。また、移動端末Ａについは一時的にセル（基地局）へのアクセスが許可される種類の登録であるテンポラリー登録が行われるので、所定のアクセス許可期間としてのテンポラリー期間Ａにセル（基地局）へのアクセスが許可される。
【００６９】
ステップＳＴ１３０２にてネットワーク側、具体例としてＭＭＥは、移動端末ＡをＣＳＧ  ＩＤ「１」のＣＳＧのメンバーとしてテンポラリー登録した許可ＣＳＧリストを管理する（図３２（ｂ）−（２））。ここではＭＭＥはＣＳＧメンバのアクセスを管理するアクセス管理装置として機能する。ステップＳＴ１３０３にて移動端末Ａは、ＣＳＧ  ＩＤ「１」を収録した許可ＣＳＧリストを管理する。詳細には、ＣＳＧ  ＩＤ「１」を伴うＣＳＧに移動端末Ａがそのメンバーとして登録され、ＣＳＧ  ＩＤ「１」を収録した許可ＣＳＧリストは、移動端末Ａ内部のアクセス管理部において管理される（図３２（ａ）−（２））。
【００７０】
ステップＳＴ１３０４にて待受け状態の移動端末Ａは、ＣＳＧ  ＩＤ「１」を伴うＣＳＧセル１と同じトラッキングエリアに属するマクロセル２へ移動（セルリセレクト）する。上述したとおり、レストラン所有のＣＳＧセルへ来客者がテンポラリー登録した際、レストランに在席している間、テンポラリメンバーが継続するように、十分長いテンポラリー期間を与えられることが考えられる。このことから、テンポラリー期間満了前に移動端末が該ＣＳＧ以外のセルへ移動することは十分発生しうる状況である。
【００７１】
ステップＳＴ１３０５にて移動端末Ａは、移動端末内の許可ＣＳＧリストが空ではないため、具体的には許可ＣＳＧリスト中にＣＳＧ  ＩＤ「１」が含まれているので、ＣＳＧセルの自立サーチを実行する。ステップＳＴ１３０６にて移動端末ＡのＣＳＧ  ＩＤ「１」に関するテンポラリー期間が満了する。ステップＳＴ１３０７にてネットワーク側、具体例としてＭＭＥは、移動端末ＡのＣＳＧ  ＩＤ「１」への登録を期限切れのＣＳＧ登録（expired CSG subscriptions）として管理する（図３２（ｂ）−（３））。
【００７２】
ステップＳＴ１３０８にてＭＭＥは、移動端末Ａ宛のページングが発生するか否か判断する。移動端末Ａ宛のページングが発生する場合はステップＳＴ１３０９へ移行し、発生しない場合はステップＳＴ１３０８の判断を繰り返す。
【００７３】
ステップＳＴ１３０９にてネットワーク側、具体例としてＭＭＥは、移動端末Ａへのページングに関して、ページングの最適化を行わない。何故ならば、ページングの最適化用には、期限切れのＣＳＧ登録は有効なＣＳＧ登録のように扱うことが、現在の規格にて決定されているからである。ネットワーク側、具体例としてＭＭＥは、移動端末Ａが属するトラッキングエリア内の基地局（セル）に対してページングを送信する。図１３では、例として移動端末Ａが属するトラッキングエリア内にＣＳＧ  ＩＤ「１」を伴うＣＳＧセル１とマクロセル２が含まれる。
【００７４】
ステップＳＴ１３１０にてネットワーク側、具体例としてＭＭＥは、マクロセル２へ移動端末Ａ宛のページングを送信する。ステップＳＴ１３１１にてネットワーク側、具体例としてＭＭＥは、ＣＳＧセル１へ移動端末Ａ宛のページングを送信する。
【００７５】
ステップＳＴ１３１２にてマクロセル２は、移動端末Ａ宛のページング送信処理を行う。処理の具体例としては、物理下り共有チャネル（ＰＤＳＣＨ）にページングメッセージをマッピングするためのスケジューリングなどがある。ステップＳＴ１３１３にてマクロセル２は、移動端末Ａ宛にページングを送信する。
【００７６】
ステップＳＴ１３１４にてＣＳＧセル１は、移動端末Ａ宛のページング送信処理を行う。処理の具体例としては、物理下り共有チャネル（ＰＤＳＣＨ）にページングメッセージをマッピングするためのスケジューリングなどがある。ステップＳＴ１３１５にてＣＳＧセル１は、移動端末Ａ宛にページングを送信する。
【００７７】
ステップＳＴ１３１１、ステップＳＴ１３１４、ステップＳＴ１３１５のように、本来テンポラリー登録の期間満了につき、ＣＳＧセル１において、サービスのサポートが不要な移動端末Ａに対する無駄なページング送信処理などが発生する。これにより、無駄なページングが発生する機会が増え、無線リソースの有効活用が図れないという、上記課題１が発生する。
【００７８】
ステップＳＴ１３１６にて移動端末Ａは、マクロセル２からページングを受信し、ページング受信処理を行う。ステップＳＴ１３１７にて移動端末Ａは、マクロセル２経由でＭＭＥへページング応答を送信する。ステップＳＴ１３１８にてＭＭＥは、マクロセル２経由で移動端末Ａへページング応答受諾（accept）を送信する。
【００７９】
このように移動端末Ａは、テンポラリー登録の期間が満了したＣＳＧ  ＩＤ「１」を伴うＣＳＧセル１からの拒絶（reject）のメッセージを受信しないために、移動端末内の許可ＣＳＧリストからＣＳＧ  ＩＤ「１」が削除しない、つまり移動端末内の許可ＣＳＧリスト中にＣＳＧ  ＩＤ「１」が残る（図３２（ａ）−（２））。よって、移動端末ＡはＣＳＧ  ＩＤ「１」を伴うＣＳＧセルをサーチし続ける。更には例えサービスをうけ得るＣＳＧ  ＩＤが存在しない場合であっても、移動端末内の許可ＣＳＧリストが空にならないため、ＣＳＧセルの自立サーチ機能を停止することが出来ない（ステップＳＴ１３０５の継続）。このように移動端末の消費電力にて無駄が生じるという、上記課題２が発生する。
【００８０】
次にＣＳＧ登録、及びテンポラリー登録の際、移動端末内の許可ＣＳＧリストへ該登録に関するＣＳＧ  ＩＤが追加される方法について検討する。現在の移動端末内の許可ＣＳＧリストの更新方法では、該ＣＳＧ  ＩＤを追加するためには、登録したＣＳＧ  ＩＤを伴うセルからの受諾（accept）のメッセージを受信する必要がある。これにより、ネットワーク側管理の許可ＣＳＧリスト（CSG Subscription Data）と移動端末内の許可ＣＳＧリストの不整合が継続する可能性がある。
【００８１】
許可ＣＳＧリストの不整合が継続する具体例を説明する。レストラン所有のＣＳＧセル（ＣＳＧ  ＩＤ「１」）へ来客者（移動端末Ａ）が「事前」テンポラリー登録を行う。ネットワーク側管理の許可ＣＳＧリストは、図３２（ｂ）−（２）となる。「事前」の登録であるため、該移動端末が該ＣＳＧセル傘下に位置することはない。よって、レストラン所有のＣＳＧセルから受諾（accept）されることはない。よって、移動端末内の許可ＣＳＧリストにＣＳＧ  ＩＤ「１」は追加されない（図３２（ａ）−（１））。このようにネットワーク側管理の許可ＣＳＧリストと移動端末内の許可ＣＳＧリストの不整合が生じる。更に現在の方法では、移動端末がＣＳＧセルをセレクション、あるいはリセレクションする方法の自動モードでは、ｎｏｎ−ＣＳＧセル、あるいは許可ＣＳＧリストに存在するＣＳＧ  ＩＤを伴うＣＳＧセルである場合にのみ、キャンプオンする。移動端末内の許可ＣＳＧリストに存在しないＣＳＧ  ＩＤを伴うＣＳＧセルにキャンプオンするためには、手動モードにより新規登録のＣＳＧ  ＩＤを伴うＣＳＧセルを選択する必要がある。
【００８２】
このような現行のＣＳＧ登録方法のために、以下の課題３が発生する。「事前」の登録を行っても、自動モードにおける該ＣＳＧセルへのリセレクションは不可能であるという課題が発生する。言い換えれば、登録を行ったＣＳＧ  ＩＤを伴うセル傘下において、手動モードにおけるリセレクションを行わなければ登録を行ったＣＳＧ  ＩＤを伴うセルにてサービスを受けることが出来ないため、ユーザにとって使い勝手が悪いという課題がある。また、本来は該移動端末にとってベストセルであるにも関わらず、登録済みではあるが移動端末内の許可ＣＳＧリストに含まれないために、自動モードの対象外となり、移動端末がキャンプオン、あるいは通話中であればハンドオーバ先として選択しない状況が発生する。移動端末がベストセルではない他のセルを選択するため、移動端末及び基地局にて無用に送信電力が増大する。これにより干渉が増大するという課題が発生する。
【００８３】
実施の形態１にて解決する課題１について再度説明する。現在の方法においては、テンポラリー登録の期間が満了した際は、テンポラリー登録を行っていた移動端末の該ＣＳＧ  ＩＤへの登録は、期限切れのＣＳＧ登録として扱う。また、ページングの最適化用には、期限切れのＣＳＧ登録は有効なＣＳＧ登録のように扱う。これにより、テンポラリー登録の期間が満了した該移動端末が、該ＣＳＧ  ＩＤを伴うセルへキャンプオンを継続した場合であっても、該移動端末宛のページングについてページングの最適化が実行されないため、該セルから該移動端末宛のページングが送信されることになる。よって現在の方法にて、テンポラリー登録の期間が満了した移動端末がページングを取りこぼすことがない移動体通信システムが構築されている。
【００８４】
しかし、その弊害としてテンポラリー登録する移動端末が多くなるにつれ、期限切れのＣＳＧ登録として管理するテンポラリー登録が増加し、期限切れのＣＳＧ登録の管理に対するネットワーク側の処理負荷増加、無駄なページングメッセージによる無線リソースの無駄という上記課題１が生じる。
【００８５】
実施の形態１での解決策を以下に示す。ネットワーク側が管理する期限切れのＣＳＧ登録としての管理を、一定条件にて終了させる。または、一定条件にて、テンポラリー期間が満了した移動端末を、該ＣＳＧへ未登録の移動端末同様に取り扱う。または、一定条件にて、テンポラリー期間が満了した登録をページングの最適化用に、有効なＣＳＧ登録として取り扱わない。または、一定条件にてＭＭＥあるいはＳＧＳＮが、テンポラリー期間が満了した移動端末宛のページングに対してページングの最適化を実行可能とする。または、一定条件にてテンポラリー期間が満了した移動端末を呼出（ページング）メッセージが同じアクセスグループに含まれる基地局を経由して送信される宛先から除外する。または、一定条件にてテンポラリー期間が満了した移動端末がアクセスするのを許されていないＣＳＧセルにて呼び出すことを避けるために、トラッキングエリアリスト、ユーザのＣＳＧ登録データとＣＳＧアクセスモードに基づき、ページングメッセージにフィルタすることを可能とする。または、一定条件にてテンポラリー期間が満了した移動端末宛の呼出メッセージの送付先から、テンポラリー登録を行ったＣＳＧに属するＣＳＧセルを、移動端末が属するトラッキングエリア内であっても、除外することを可能とする。
【００８６】
一定条件の具体例としては、テンポラリー登録の期間が満了した移動端末から、テンポラリー登録を行ったＣＳＧ  ＩＤを伴うセル経由で行われたアクセスに関する要求などに対して、ネットワーク側が拒絶（reject）を通知した際がある。これにより、移動端末内の許可ＣＳＧリストから該ＣＳＧ  ＩＤが削除されるときに、ネットワーク側の期限切れのＣＳＧ登録として該ＣＳＧ  ＩＤと該移動端末を関連付けての管理を終了することが可能となり、移動端末とネットワーク側で整合性の取れた移動体通信システムの構築が可能となる。
【００８７】
拒絶通知の具体例として以下３つを開示する。（１）移動端末がＥＰＳ（Evolved Packet system）ベアラを設定（establish）するための方法である「E-UTRAN initial attach」を行った結果、ネットワーク側から通知する拒絶（reject）のメッセージ。（２）移動端末が、ユーザプレイン（u-plane）無線（radio）ベアラをセットアップするための方法である「UE triggered service Request」を行った結果、ネットワーク側から通知する拒絶（reject）のメッセージ。（３）移動端末が、トラッキングエリアを更新するための方法である「E-UTRAN Tracking Area update」を行った結果、ネットワーク側から通知する拒絶（reject）のメッセージ。
【００８８】
管理を終了する方法の具体例としては、期限切れのＣＳＧ登録から、テンポラリー登録を行った移動端末を識別する情報と該移動端末がテンポラリー登録を行ったＣＳＧを識別する情報を削除する。移動端末を識別する情報の具体例としては、ＵＥ−ＩＤ、ＩＭＳＩ（International Mobile Subscriber Identity）、テンポラリーのＵＥ識別情報などが考えられる。ＣＳＧを識別する情報の具体例としては、ＣＳＧ  ＩＤ、ＰＣＩ、ＧＣＩなどが考えられる。
【００８９】
ネットワーク側にて管理する期限切れのＣＳＧ登録としての管理を、一定条件にて終了させるエンティティの具体例としては、ＭＭＥ、あるいはＨＳＳ（Home Subscriber Server）などがある。ＨＳＳとは、３ＧＰＰ移動体通信網における加入者情報データベースであり、認証情報及び在圏情報の管理を行うエンティティである。
【００９０】
図１４にネットワーク側、具体例としてはＭＭＥの動作の一例を示す。移動端末Ａ（ＵＥＡ）をＣＳＧ  ＩＤ「１」に対してテンポラリー登録し、テンポラリー期間が満了した場合を示す。
【００９１】
ステップＳＴ１４０１にて、移動端末ＡのＣＳＧ  ＩＤ「１」への登録を期限切れのＣＳＧ登録（expired CSG subscriptions）として管理する。ステップＳＴ１４０２にて、テンポラリー登録の期間が満了した移動端末から、テンポラリー登録を行ったＣＳＧ  ＩＤを伴うセル経由で行われた要求などに対して、拒絶（reject）を通知したか否か判断する。具体的には、移動端末Ａに対してＣＳＧ  ＩＤ「１」経由で拒絶を通知したか否かを判断する。拒絶を通知した場合は、ステップＳＴ１４０３へ移行する。拒絶を通知しない場合は、ステップＳＴ１４０６へ移行する。ステップＳＴ１４０３にて、移動端末ＡのＣＳＧ  ＩＤ「１」への登録の期限切れのＣＳＧ登録としての管理を終了する。
【００９２】
ステップＳＴ１４０４にて、ＭＭＥは移動端末Ａ宛のページングが発生するか否か判断する。移動端末Ａ宛のページングが発生する場合はステップＳＴ１４０５へ移行し、発生しない場合はステップＳＴ１４０４の判断を繰り返す。ステップＳＴ１４０５にて、移動端末Ａ宛のページングに対してページングの最適化を実行する。ページングの最適化の具体的動作例は、ページングメッセージ中に移動端末Ａのネットワーク側管理の許可ＣＳＧリストが含まれている場合、許可ＣＳＧリストに含まれないＣＳＧ  ＩＤを伴うＣＳＧセルへは、移動端末Ａが登録しているトラッキングエリア内のセルであっても、ページングを通知しない。本動作例においては、ＭＭＥは移動端末Ａが属するトラッキングエリア内のＣＳＧ  ＩＤ「１」を伴うＣＳＧセルへ、ページングを通知しない。
【００９３】
ステップＳＴ１４０６にて、ＭＭＥは移動端末Ａ宛のページングが発生するか否か判断する。移動端末Ａ宛のページングが発生する場合はステップＳＴ１４０７へ移行し、発生しない場合はステップＳＴ１４０２の処理へ戻る。ステップＳＴ１４０７にて、移動端末Ａへのページングに関して、ページングの最適化を行わない。あるいは、ページング最適化を実行し、期限切れのＣＳＧ登録は有効なＣＳＧ登録のように扱うとしても良い。何故ならば、ページングの最適化用には、期限切れのＣＳＧ登録は有効なＣＳＧ登録のように扱うことが、現在の規格にて決定されているからである。本動作例においては、ＭＭＥは移動端末Ａが属するトラッキングエリア内のＣＳＧ  ＩＤ「１」を伴うＣＳＧセルを含むセルへ、ページングを通知する。
【００９４】
実施の形態１により以下の効果を得ることが出来る。実施の形態１により、期限切れのＣＳＧ登録としての管理を終了させることが可能となり、テンポラリー登録する移動端末が多くなるにつれ、期限切れのＣＳＧ登録として管理するテンポラリー登録が増加することを防ぐことが可能となる。これにより、期限切れのＣＳＧ登録の管理に対するネットワーク側の処理負荷増加という上記課題１を解決することが出来る。
【００９５】
更には、期限切れのＣＳＧ登録としての管理を終了させることが可能となったため、ページングの最適化を実行可能と出来る。これにより、本来テンポラリー登録の期間満了につき、サービスのサポートが不要な移動端末に対する、ＭＭＥや該ＣＳＧ  ＩＤを伴うＣＳＧセルにおける無駄なページング送信処理、無駄なページング送信用の無線リソースなどを削減することが出来る。
【００９６】
テンポラリー登録の期間が満了した際は、テンポラリー登録を行っていた移動端末の該ＣＳＧ  ＩＤへの登録は、期限切れのＣＳＧ登録として扱う。また、ページングの最適化用には、期限切れのＣＳＧ登録は有効なＣＳＧ登録のように扱う。これにより、テンポラリー登録の期間が満了した該移動端末が、該ＣＳＧ  ＩＤを伴うセルへキャンプオンを継続した場合であっても、該移動端末宛のページングについてページングの最適化が実行されないため、該セルから該移動端末宛のページングが送信されることになる。さらに実施の形態１を実行してテンポラリー登録を行ったＣＳＧ  ＩＤを伴うセル経由で行われた要求などに対して、ネットワーク側が拒絶（reject）を通知した際に、ネットワーク側が該テンポラリー登録の期限切れのＣＳＧ登録としての管理を終了した場合であっても、該拒絶の通知により移動端末内の許可ＣＳＧリストから該ＣＳＧ  ＩＤが削除される。よって該移動端末が該ＣＳＧ  ＩＤを伴うセルへキャンプオンを継続させることはない。よって現在の方法のテンポラリー登録の期間が満了した移動端末がページングを取りこぼすことがない移動体通信システムが構築可能という利点を本実施の形態１も継承している。
【００９７】
実施の形態１  変形例１.
実施の形態１の変形例１にて解決する課題について説明する。実施の形態１の解決策を実行した場合であっても、テンポラリー登録時に十分長いテンポラリー期間、つまり該ＣＳＧ  ＩＤを伴うセルに在圏する期間より長いテンポラリー期間を許可された場合、実施の形態１の一定条件を満たさず、該テンポラリー登録の期限切れのＣＳＧ登録としての管理を終了することが出来ない。具体例としては、テンポラリー登録時に十分長いテンポラリー期間を許可されていることから、該移動端末からテンポラリー登録を行ったＣＳＧ  ＩＤを伴うセル経由の要求が発生しないことから、該テンポラリー登録の期限切れのＣＳＧ登録としての管理を終了することが出来ない。よって上記課題１が再度発生する。
【００９８】
実施の形態１の変形例１での解決策を以下に示す。ネットワーク側が管理する期限切れのＣＳＧ登録としての管理を、一定時間後、あるいは一定時間満了後にて終了させる。
【００９９】
一定時間（以降、「期限切れのＣＳＧ登録管理タイマ」と称する）の具体例を以下２つ開示する。（１）全てのテンポラリー登録共通の期限切れのＣＳＧ登録管理タイマ値とする。これにより、テンポラリー登録毎に管理が不要であり、ネットワーク側の処理負荷軽減という効果を有する。タイマ値は静的（Static）であっても、準静的であっても良い。テンポラリー登録共通の期限切れのＣＳＧ登録管理タイマ値は、全移動端末共通としても良い。これにより、移動端末毎の管理が不要であり、ネットワーク側の処理負荷軽減という効果を有する。または、テンポラリー登録共通の期限切れのＣＳＧ登録管理タイマ値は、移動端末毎に異なるとしても良い。移動端末の性能など対応したタイマ値とすることができ、より柔軟な移動体通信システムを構築可能という効果を得ることが出来る。（２）テンポラリー登録毎に異なる期限切れのＣＳＧ登録管理タイマ値とする。これにより、柔軟な移動体通信システムを構築可能という効果を得ることが出来る。テンポラリー登録と共に期限切れのＣＳＧ登録管理タイマ値を管理すれば良い。該管理方法にて、テンポラリー登録毎に異なるタイマ値を管理しやすくなるという効果を有する。また、ネットワーク側管理の許可ＣＳＧリストと共に期限切れのＣＳＧ登録管理タイマ値を管理しても良い。該管理方法においても、テンポラリー登録毎に異なるタイマ値を管理しやすくなるという効果を有する。タイマ値は静的（Static）であっても、準静的であっても良い。テンポラリー登録毎に異なる期限切れのＣＳＧ登録管理タイマ値は、全移動端末共通としても良い。これにより、移動端末毎の管理が不要であり、ネットワーク側の処理負荷軽減という効果を有する。または、テンポラリー登録毎に異なる期限切れのＣＳＧ登録管理タイマ値は、移動端末毎に異なるとしても良い。移動端末の性能など対応したタイマ値とすることができ、より柔軟な移動体通信システムを構築可能という効果を得ることが出来る。
【０１００】
管理を終了する方法の具体例は、実施の形態１と同様であるため説明を省略する。ネットワーク側にて期限切れのＣＳＧ登録としての管理を、一定条件にて終了させるエンティティの具体例は、実施の形態１と同様であるため説明を省略する。
【０１０１】
図１５にネットワーク側、具体例としてはＭＭＥの動作の一例を示す。図１４と同じ参照符号は相当する部分であるので、説明は省略する。移動端末Ａ（ＵＥＡ）をＣＳＧ  ＩＤ「１」に対してテンポラリー登録し、テンポラリー期間が満了した場合を示す。ステップＳＴ１５０１にて、期限切れのＣＳＧ登録管理タイマが満了したか否かを判断する。満了した場合は、ステップＳＴ１４０３へ移行する。満了していない場合は、ステップＳＴ１４０６へ移行する。
【０１０２】
実施の形態１の変形例１により以下の効果を得ることが出来る。実施の形態１により、テンポラリー登録時に十分長いテンポラリー期間が許可されるような場合であっても、一定時間後に期限切れのＣＳＧ登録としての管理を終了させることが可能となり、テンポラリー登録する移動端末が多くなるにつれ、期限切れのＣＳＧ登録として管理するテンポラリー登録が増加することを防ぐことが可能となる。これにより、期限切れのＣＳＧ登録の管理に対するネットワーク側の処理負荷増加という上記課題１を解決することが出来る。
【０１０３】
更には、実施の形態１同様に、期限切れのＣＳＧ登録としての管理を終了させることが可能となったため、ページングの最適化を実行可能と出来る。これにより、本来テンポラリー登録の期間満了につき、サービスのサポートが不要な移動端末に対する、ＭＭＥや該ＣＳＧ  ＩＤを伴うＣＳＧセルにおける無駄なページング送信処理、ページング送信での無線リソースなどを削減することが出来る。
【０１０４】
テンポラリー登録の期間が満了した際は、テンポラリー登録を行っていた移動端末の該ＣＳＧ  ＩＤへの登録は、期限切れのＣＳＧ登録として扱う。また、ページングの最適化用には、期限切れのＣＳＧ登録は有効なＣＳＧ登録のように扱う。これにより、テンポラリー登録の期間が満了した該移動端末が、該ＣＳＧ  ＩＤを伴うセルへキャンプオンを継続した場合であっても、該移動端末宛のページングについてページングの最適化が実行されないため、該セルから該移動端末宛のページングが送信されることになる。さらに実施の形態１の変形例１を実行して期限切れのＣＳＧ登録管理タイマ値満了により、ネットワーク側が該テンポラリー登録の期限切れのＣＳＧ登録としての管理を終了した場合であって、該移動端末が該ＣＳＧ  ＩＤを伴うセルへのキャンプオンを継続する場合であっても、ネットワーク側が該移動端末からのページング応答を受信しない場合は、ページングを反復する。ページングの反復ではページングの最適化は行われない。よって現在の方法のテンポラリー登録の期間が満了した移動端末がページングを取りこぼすことがない移動体通信システムが構築可能という利点を本実施の形態１の変形例１も継承している。
【０１０５】
実施の形態１の変形例１は、実施の形態１と組み合わせて用いることが出来る。これにより、移動端末内の許可ＣＳＧリストから該ＣＳＧ  ＩＤが削除されるさいに、ネットワーク側の期限切れのＣＳＧ登録として該ＣＳＧ  ＩＤと該移動端末を関連付けての管理を終了することで、移動端末とネットワーク側で整合性の取れた移動体通信システムを構築しつつ、期限切れのＣＳＧ登録としての管理を一定時間後に確実に終了させることが可能となる。
【０１０６】
実施の形態２．
実施の形態２にて解決する課題は、上記課題２である。実施の形態２での解決策を以下に示す。移動端末内の許可ＣＳＧリストから、一定条件にて、移動端末自身がテンポラリー登録を行ったＣＳＧを識別する情報を移動端末内の許可ＣＳＧリストから削除する。ＣＳＧを識別する情報の具体例としては、実施の形態１と同様であるので説明を省略する。一定条件の具体例としては、一定時間後、あるいは一定時間満了後がある。
【０１０７】
一定時間（以降、「ローカルテンポラリー期間」と称する）の具体例を以下開示する。ローカルテンポラリー期間は、テンポラリー期間を基に決定する。テンポラリー期間を基に決定する方法の具体例を以下２つ開示する。（１）ローカルテンポラリー期間とテンポラリー期間を同じにする。（２）ローカルテンポラリー期間は、テンポラリー期間に一定時間を加えた値とする。ローカルテンポラリー期間をテンポラリー期間に一定時間を加えた値とすることで、例えローカルテンポラリー期間とテンポラリー期間の開始タイミングにずれが生じた場合であっても、一定時間を設定可能することで、ネットワーク側でサービスを受けることが可能と登録されている期間中、移動端末内の許可ＣＳＧリストの登録を継続することができるという効果がある。
【０１０８】
テンポラリー期間に加える一定時間の具体例を以下２つ開示する。（１）全てのテンポラリー登録共通の値とする。これにより、テンポラリー登録毎に管理が不要であり、移動端末の処理負荷軽減という効果を有する。加える一定時間は静的（Static）であっても、準静的（Semi-Static）であっても良い。（２）テンポラリー登録毎に異なる値とする。これにより、柔軟な移動体通信システムを構築可能という効果を得ることが出来る。
【０１０９】
また、テンポラリー期間に加える一定時間の具体例として、実施の形態１の変形例１で示した「期限切れのＣＳＧ登録管理タイマ値」などがある。ローカルテンポラリー期間をテンポラリー期間に実施の形態１の変形例１で示した「期限切れのＣＳＧ登録管理タイマ値」を加えた値とすることで、ネットワーク側で「ネットワーク側管理の許可ＣＳＧリスト」として、あるいは「期限切れのＣＳＧ登録」として、該移動端末と該ＣＳＧ  ＩＤとを関連付けて管理している期間中、移動端末内の許可ＣＳＧリストの登録を継続することができるという効果がある。
【０１１０】
ローカルテンポラリー期間の開始タイミングの具体例を以下に２つ開示する。（１）移動端末内の許可ＣＳＧリストに、テンポラリー登録を行ったＣＳＧを識別する情報が登録されたときに、ローカルテンポラリー期間を開始させる。（２）登録を行ったＣＳＧ  ＩＤを伴うセル経由で行われた要求などに対して、ネットワーク側から受諾（accept、attach accept）を受信したときに、ローカルテンポラリー期間を開始させる。
【０１１１】
該登録が、テンポラリー登録であるか、通常（テンポラリー期間の設定無し）の登録であるかを移動端末が判断する方法の具体例について以下開示する。ネットワーク側から通知する。通知方法の具体例としては、登録を行ったＣＳＧ  ＩＤを伴うセル経由で行われた要求などに対して、ネットワーク側が受諾（accept、attach accept）を通知する際に、移動端末に対して、テンポラリー登録であるか否か、あるいは通常の登録であるかいなか、あるいはテンポラリー登録か通常の登録であるかの種別を通知する。
【０１１２】
受諾通知の具体例として以下２つを開示する。（１）移動端末がＥＰＳ（Evolved Packet system）ベアラを設定（establish）するための方法である「E-UTRAN initial attach」を行った結果、ネットワーク側から受諾（accept、attach accept）のメッセージを通知する。（２）移動端末がＣＳＧセルをセレクション、あるいはリセレクションする方法として手動（Manual）モードを実行する際の、「E-UTRAN Tracking Area update」を行った結果、ネットワーク側からＴＡＵ受諾（accept）のメッセージを通知する。
【０１１３】
ネットワーク側が移動端末に対して、テンポラリー登録であるか否か、あるいは通常の登録であるかいなか、あるいはテンポラリー登録か通常の登録であるかの種別を通知するさいに、テンポラリー期間、あるいはテンポラリー期間と実施の形態１の変形例１で示した「期限切れのＣＳＧ登録管理タイマ値」を合わせ通知してもよい。
【０１１４】
ネットワーク側から、テンポラリー登録であるか否か、あるいは通常の登録であるかいなか、あるいはテンポラリー登録か通常の登録であるかの種別など、またテンポラリー期間、あるいはテンポラリー期間と実施の形態１の変形例１で示した「期限切れのＣＳＧ登録管理タイマ値」などの通知を受けた移動端末は、該情報を、該テンポラリー登録を行ったＣＳＧ  ＩＤとともに移動端末内の許可ＣＳＧリストに保存しても良い。これにより、テンポラリー登録に関する情報を移動端末内で関連付けて保存しておくことが容易となる効果を得ることが出来る。更には許可ＣＳＧリストをＳＩＭカード等に保管する場合、ユーザが例え移動端末を交換した場合であっても同じ条件で動作することが可能となり、ユーザにとって使いやすい移動体通信システムの構築が可能となる。
【０１１５】
さらに、以下実施することで、上記課題１を合わせて解決することが出来る。解決策を２つ開示する。（１）実施の形態１及び実施の形態１の変形例１と組み合わせて用いる。（２）移動端末から基地局（ＣＳＧセル、ｎｏｎ−ＣＳＧセル含む）経由でネットワーク側へ移動端末自身がテンポラリー登録を行ったＣＳＧを識別する情報を移動端末内の許可ＣＳＧリストから削除した旨を通知する。あるいは、ローカルテンポラリー期間が満了したことを通知してもよい。通知先のネットワーク側のエンティティの具体例としては、ＭＭＥ、ＨＳＳなどがある。移動端末自身がテンポラリー登録を行ったＣＳＧを識別する情報を移動端末内の許可ＣＳＧリストから削除した旨の通知を移動端末から受けたネットワーク側は、該移動端末の該ＣＳＧ  ＩＤを期限切れのＣＳＧ登録の管理から削除する。これにより、移動端末内の許可ＣＳＧリストから該ＣＳＧ  ＩＤが削除されるときに、ネットワーク側の期限切れのＣＳＧ登録として該ＣＳＧ  ＩＤと該移動端末を関連付けての管理を終了することで、移動端末とネットワーク側で整合性の取れた移動体通信システムを構築することが出来る。移動端末からネットワーク側へ通知する情報の具体例としては、移動端末自身がテンポラリー登録の削除を行ったＣＳＧを識別する情報がある。ＣＳＧを識別する情報の具体例は実施の形態１と同様であるので説明を省略する。
【０１１６】
図１６に移動体通信システムの動作の一例を示す。ステップＳＴ１６０１にて、移動端末Ａ（ＵＥＡ）をＣＳＧ  ＩＤ「１」に対してテンポラリー登録する。ステップＳＴ１６０２にてネットワーク側、具体例としてＭＭＥは、移動端末ＡをＣＳＧ  ＩＤ「１」に対して登録し、ＣＳＧ  ＩＤ「１」を伴うＣＳＧを収録した許可ＣＳＧリストを管理する。ステップＳＴ１６０３にて移動端末Ａは、ＣＳＧセルのセレクション、あるいはリセレクションの手動モードにおいてＣＳＧ  ＩＤ「１」を選択する。ステップＳＴ１６０４にて移動端末Ａは、ＣＳＧ  ＩＤ「１」を伴うＣＳＧセル１経由でＭＭＥに対してＴＡＵ（Tracking Area update）を送信する。
【０１１７】
ステップＳＴ１６０５にてＭＭＥは、移動端末ＡがＴＡＵの送信のために用いたセル、つまりＣＳＧセル１が、移動端末Ａにとって「適切なセル」であるか否か判断する。言い換えるとＭＭＥは、移動端末ＡがＣＳＧセル１のＣＳＧ  ＩＤ（ＣＳＧ  ＩＤ「１」）にＣＳＧとして登録されているか否か判断する。判断の際に許可ＣＳＧリストを参照しても良い。「適切なセル」の場合、ステップＳＴ１６０６へ移行する。「適切なセル」でない場合、本実施の形態の特徴部分ではないので説明を省略する。
【０１１８】
ステップＳＴ１６０６にてＭＭＥは、ＣＳＧセル１経由で移動端末Ａに対してＴＡＵ受諾メッセージを送信する。ステップＳＴ１６０７にてＭＭＥは、移動端末Ａの該登録がテンポラリー登録であるか否か判断する。判断の際に許可ＣＳＧリストを参照しても良い。テンポラリー登録であった場合、ステップＳＴ１６０８へ移行する。テンポラリー登録でない場合、本実施の形態の特徴部分ではないので説明を省略する。
【０１１９】
ステップＳＴ１６０８にてＭＭＥは、ＣＳＧセル１経由で移動端末Ａに対して、該登録がテンポラリー登録である旨を通知する。ステップＳＴ１６０６とステップＳＴ１６０８は一緒に行っても良い。一緒に行う場合、ＣＳＧセル１が移動端末Ａに行う下りスケジューリングが１回で良く、基地局のスケジューリング負荷の軽減、無線リソースの有効活用という効果を得ることができる。また、テンポラリー登録であるか否か、あるいは通常の登録であるかいなか、あるいはテンポラリー登録か通常の登録であるかの種別などの情報をＴＡＵ受諾メッセージの情報要素の一部としても良い。
【０１２０】
ステップＳＴ１６０９にて移動端末Ａは、ステップＳＴ１６０６にて送信されたＴＡＵ受諾のメッセージを受信したことを契機に、該ＣＳＧ  ＩＤを許可ＣＳＧリストへ保管する。ステップＳＴ１６１０にて移動端末Ａは、該ＣＳＧ  ＩＤへの登録がテンポラリー登録であるか否かを判断する。判断には、ステップＳＴ１６０８にて受信した情報を用いることが出来る。テンポラリー登録である場合、ステップＳＴ１６１１へ移行する。テンポラリー登録でない場合、本実施の形態の特徴部分ではないので説明を省略する。ステップＳＴ１６１１にて移動端末Ａは、ローカルテンポラリー期間を開始する。ステップＳＴ１６１２にて移動端末Ａは、ローカルテンポラリー期間が満了するか否か判断する。満了する場合、あるいは満了した場合、ステップＳＴ１６１３へ移行する。満了しない場合、ステップＳＴ１６１２の判断を繰り返す。ステップＳＴ１６１３にて移動端末Ａは、許可ＣＳＧリストから該ＣＳＧ  ＩＤを削除する。
【０１２１】
ステップＳＴ１６１４にて移動端末Ａは、基地局（ＣＳＧセル、ｎｏｎ−ＣＳＧセル含む）経由でＭＭＥへ移動端末自身がテンポラリー登録を行ったＣＳＧを識別する情報を移動端末内の許可ＣＳＧリストから削除した旨を通知する。経由する基地局はＣＳＧセル１、あるいはＣＳＧセル１とは異なるセルでも良いとする。これにより、移動端末ＡのＣＳＧ  ＩＤ「１」へのテンポラリー登録が満了した後であっても、移動端末ＡがＭＭＥへ移動端末自身がテンポラリー登録を行ったＣＳＧを識別する情報を移動端末内の許可ＣＳＧリストから削除した旨の通知を行うことが可能となる。ステップＳＴ１６１５にてＭＭＥは、移動端末ＡのＣＳＧ  ＩＤ「１」への登録の期限切れのＣＳＧ登録としての管理を終了する。
【０１２２】
また、一定条件を満たした場合、ローカルテンポラリー期間が満了した際など、移動端末がユーザに対してその旨を通知するようにしても良い。これによりユーザがテンポラリー期間満了を知ることができ、ユーザが使いやすい移動体通信システムを構築することが可能となる。
【０１２３】
また通知タイミングは、ローカルテンポラリー期間が満了した際ではなく、ローカルテンポラリー期間満了前、あるいは満了時、あるいは満了後、あるいは移動端末自身がテンポラリー登録を行ったＣＳＧを識別する情報を移動端末内の許可ＣＳＧリストから削除する前、あるいは削除時、あるいは削除後であっても同様の効果を得ることができる。
【０１２４】
ユーザへの通知方法の具体例として以下３つを開示する。（１）移動端末、あるいは移動端末が接続されたディスプレイに表示することで通知する。表示内容としてはローカルテンポラリー期間が満了するＣＳＧ  ＩＤ、ＨｅＮＢの名称（name of the home eNB：hnb-Name）などがある。（２）通知音を用いて通知する。（３）バイブレータ機能を用いて通知する。これらを組み合わせて用いても良い。
【０１２５】
実施の形態２により以下の効果を得ることが出来る。実施の形態２によりネットワーク側から指示を受けることなく、テンポラリー登録が満了し、サービスを受けることが出来ないＣＳＧ  ＩＤを移動端末内の許可ＣＳＧリストから削除することが可能となる。
【０１２６】
これにより、移動端末の自動モードにおけるＣＳＧセルセレクション、リセレクションにて移動端末がサービスを受けることが出来ない該ＣＳＧ  ＩＤを伴うセルを選択、あるいはキャンプオンする状況を防ぐことができ、移動端末の無駄な動作を削減することができる。これにより、移動端末の低消費電力化という効果を得ることができる。
【０１２７】
また、該テンポラリー登録以外にＣＳＧ登録を行っていない移動端末においては、移動端末内の許可ＣＳＧリストを空にすることができ、移動端末でのＣＳＧセルの自立サーチ機能を停止することが可能となる。これにより、移動端末の低消費電力化という効果を得ることができる。
【０１２８】
また、移動端末の電源が切られている場合、移動端末が一定条件にて、ユーザの電源投入操作を経ることなく自動で立ち上がり、移動端末自身がテンポラリー登録を行ったＣＳＧを識別する情報を移動端末内の許可ＣＳＧリストから削除するようにしても良い。このように、ネットワーク側から指示を受ける必要がないため、電源がＯＦＦされた移動端末においても、移動端末内の許可ＣＳＧリストに含まれるＣＳＧ  ＩＤを削除することが可能となる効果を得ることが出来る。
【０１２９】
実施の形態２  変形例１．
実施の形態２の変形例１にて解決する課題は、上記課題２である。実施の形態２の変形例１では、実施の形態２とは別の解決策を以下に示す。移動端末が一定条件にて、ネットワーク側に自移動端末のＣＳＧ登録状況を確認する。確認の結果、テンポラリー期間が満了したＣＳＧ登録、削除されたＣＳＧ登録があれば、移動端末は、自移動端末内の許可ＣＳＧリストから該ＣＳＧ  ＩＤを削除する。
【０１３０】
一定条件の具体例は、一定時間後、あるいは一定時間満了後がある。一定時間の具体例は、実施の形態２と同様であるので説明を省略する。ローカルテンポラリー期間の開始タイミングの具体例は、実施の形態２と同様であるので説明を省略する。該登録が、テンポラリー登録であるか、通常（テンポラリー期間の設定無し）の登録であるかを移動端末が判断する方法の具体例は、実施の形態２と同様であるので説明を省略する。
【０１３１】
移動端末がネットワーク側に自移動端末のＣＳＧ登録状況を確認する方法の具体例を以下に２つ開示する。（１）移動端末が、「自移動端末のＣＳＧ登録状況を確認する旨の情報」をネットワーク側へ通知する。（２）移動端末が、「ローカルテンポラリー期間満了を示す情報」をネットワーク側へ通知する。
【０１３２】
自移動端末のＣＳＧ登録状況を確認する旨の情報の具体例を以下２つ開示する。（１）自移動端末のＣＳＧ登録状況を確認する旨、あるいは自移動端末のＣＳＧ登録状況を確認するか、自移動端末のＣＳＧ登録状況を確認しないかの別を示す情報を通知する。該情報であれば、最低１ビットの情報にて通知可能となるため、無線リソースの有効活用という効果を得ることができる。（２）状況を確認したいＣＳＧ  ＩＤの情報を通知する。移動端末がテンポラリー登録するＣＳＧの種類が増加した場合であっても、移動端末がＣＳＧ登録状況を確認したいＣＳＧ  ＩＤを特定することが可能となる。（２）と（１）は、ともに通知しても良い。
【０１３３】
ローカルテンポラリー期間満了を示す情報の具体例を以下２つ開示する。（１）ローカルテンポラリー期間満了の旨、あるいはローカルテンポラリー期間満了か、ローカルテンポラリー期間満了でないかの別の情報を通知する。該情報であれば、最低１ビットの情報にて通知可能となるため、無線リソースの有効活用という効果を得ることができる。（２）該タイマが関係するテンポラリー登録のＣＳＧ  ＩＤの情報を通知する。これによって、移動端末がテンポラリー登録するＣＳＧの種類が増加した場合であっても、ローカルテンポラリー期間が満了したＣＳＧ  ＩＤを移動端末が特定可能となる。（２）と（１）は、ともに通知しても良い。
【０１３４】
移動端末がネットワーク側へ通知する方法の具体例を以下に２つ開示する。（１）移動端末が、自移動端末のＣＳＧ登録状況を確認する旨の情報などを、ＲＡＣＨ送信方法を用いてネットワーク側へ通知する。具体的には、トランスポートチャネルであるＲＡＣＨへマッピングし、物理チャネルＰＲＡＣＨを用いて、ネットワーク側へ通知する。自移動端末のＣＳＧ登録状況を確認する旨の情報などをトランスポートチャネルであるＲＡＣＨの情報要素の１つとしてもよい。あるいは、ランダムアクセスプロシジャーのメッセージ３の情報要素の１つとしてもよい。これにより、移動端末からの上り送信を行う初期段階で、該上り送信が「自移動端末のＣＳＧ登録状況を確認する」ためであることを、ネットワーク側へ通知することが出来るという利点がある。（２）移動端末は、移動端末とネットワーク側の確立されたコネクションを用いて、自移動端末のＣＳＧ登録状況を確認する旨の情報などを通知する。移動端末は、該コネクションのうち制御情報（c-plane）を用いて、自移動端末のＣＳＧ登録状況を確認する旨の情報などを通知する。さらに具体例としては移動端末が、自移動端末のＣＳＧ登録状況を確認する旨の情報などを、論理チャネルであるＣＣＣＨ、あるいはＤＣＣＨへマッピングし、トランスポートチャネルＵＬ-ＳＣＨ、物理チャネルＰＵＳＣＨを用いて、ネットワーク側へ通知する。これにより、移動体通信システムを構築する上で、ＰＵＳＣＨの情報量の増加を許容することが比較的容易である。よって、本実施の形態で新たに設ける「自移動端末のＣＳＧ登録状況を確認する旨の情報」をＰＵＳＣＨにて通知することは、移動体通信システムの構築を容易にするという効果を得ることができる。
【０１３５】
移動端末から「自移動端末のＣＳＧ登録状況を確認する旨の情報」などを受信したネットワーク側は、「該移動端末のＣＳＧ登録状況」を移動端末へ通知する。
【０１３６】
該移動端末のＣＳＧ登録状況の具体例を以下４つ開示する。（１）テンポラリー期間が満了した旨、あるいはテンポラリー期間が満了しない旨、あるいはテンポラリー期間が満了したか、テンポラリー期間が満了しないかの別を示す情報を通知する。該情報であれば、最低１ビットの情報にて通知可能となるため、無線リソースの有効活用という効果を得ることができる。（２）テンポラリー期間が満了したＣＳＧ  ＩＤの情報を通知する。これにより、移動端末がテンポラリー登録するＣＳＧの種類が増加した場合であっても、ＣＳＧ登録状況を通知するＣＳＧ  ＩＤを特定することが可能となる。（２）と（１）は、ともに通知しても良い。（１）（２）においては、テンポラリー期間が満了した旨ではなく、該ＣＳＧ登録が削除された旨であっても良い。（３）該移動端末の期限切れのＣＳＧ登録を通知する。（４）該移動端末のネットワーク側管理の許可ＣＳＧリストを通知する。
【０１３７】
ネットワーク側（ＭＭＥ、基地局など）が移動端末へ通知する方法の具体例を以下開示する。（１）ネットワーク側は、移動端末とネットワーク側の確立されたコネクションを用いて、該移動端末のＣＳＧ登録状況などを通知する。ネットワーク側は、該コネクションのうち制御情報（c-plane）を用いて、該移動端末のＣＳＧ登録状況などを通知する。  さらに具体例としてはネットワーク側が、該移動端末のＣＳＧ登録状況などを、論理チャネルであるＣＣＣＨ、あるいはＤＣＣＨへマッピングし、トランスポートチャネルＤＬ-ＳＣＨ、物理チャネルＰＤＳＣＨを用いて、移動端末へ通知する。移動体通信システム構築の上で、ＰＤＳＣＨの情報量の増加を許容することが比較的容易である。よって、本実施の形態で新たに設ける「該移動端末のＣＳＧ登録状況」をＰＤＳＣＨにて通知することは、移動体通信システムの構築を容易にするという効果を得ることができる。
【０１３８】
さらに、以下実施することで、上記課題１を合わせて解決することが出来る。解決策を２つ開示する。（１）実施の形態１及び実施の形態１の変形例１と組み合わせて用いる。（２）移動端末から「自移動端末のＣＳＧ登録状況を確認する旨の情報」などを受信したネットワーク側が、移動端末への応答にてテンポラリー期間が満了した旨などを通知したＣＳＧ  ＩＤについて、該移動端末の該ＣＳＧ  ＩＤを期限切れのＣＳＧ登録の管理から削除する。これにより、移動端末内の許可ＣＳＧリストから該ＣＳＧ  ＩＤが削除されるときに、ネットワーク側の期限切れのＣＳＧ登録として該ＣＳＧ  ＩＤと該移動端末を関連付けての管理を終了することで、移動端末とネットワーク側で整合性の取れた移動体通信システムを構築することが出来る。ネットワーク側のエンティティの具体例としては、ＭＭＥ、ＨＳＳなどがある。（３）移動端末から「自移動端末のＣＳＧ登録状況を確認する旨の情報」などを受信したネットワーク側が、移動端末への応答にてＣＳＧ登録が削除された旨などを通知したＣＳＧ  ＩＤについて、該移動端末の該ＣＳＧ  ＩＤをネットワーク側管理の許可ＣＳＧリストから削除する。これにより、移動端末内の許可ＣＳＧリストから該ＣＳＧ  ＩＤが削除されるときに、ネットワーク側管理の許可ＣＳＧリストからも該ＣＳＧ  ＩＤを削除することができ、移動端末とネットワーク側で整合性の取れた移動体通信システムを構築することが出来る。ネットワーク側のエンティティの具体例としては、ＭＭＥ、ＨＳＳなどがある。
【０１３９】
また、移動端末の電源が切られている場合、移動端末が一定条件にて、ユーザの電源投入操作を経ることなく自動で立ち上がり、ネットワーク側に自移動端末のＣＳＧ登録状況を確認するようにしても良い。確認の結果、テンポラリー期間が満了したＣＳＧ登録、削除されたＣＳＧ登録があれば、移動端末は、自移動端末内の許可ＣＳＧリストから該ＣＳＧ  ＩＤを削除すれば良い。詳細は上記同様であるため、説明を省略する。
【０１４０】
また、一定条件を満たした場合、ローカルテンポラリー期間が満了した際など、移動端末がユーザに対してその旨を通知するようにしても良い。これによりユーザがテンポラリー期間満了を知ることができ、ユーザが使いやすい移動体通信システムを構築することが可能となる。あるいは、移動端末内の許可ＣＳＧリストから削除されたＣＳＧ  ＩＤが存在した場合、移動端末がユーザに対してその旨を通知するようにしても良い。これによりユーザが許可ＣＳＧリストからＣＳＧ  ＩＤが削除されたことを知ることができ、ユーザが使いやすい移動体通信システムを構築することが可能となる。
【０１４１】
通知タイミングは、ローカルテンポラリー期間が満了した際ではなく、ローカルテンポラリー期間満了前、あるいは満了時、あるいは満了後、あるいは移動端末自身が登録を行ったＣＳＧを識別する情報を移動端末内の許可ＣＳＧリストから削除する前、あるいは削除時、あるいは削除後であっても同様の効果を得ることができる。
【０１４２】
ユーザへの通知方法の具体例として以下３つを開示する。（１）移動端末、あるいは移動端末が接続されたディスプレイに表示することで通知する。表示内容としてはローカルテンポラリー期間が満了するＣＳＧ  ＩＤ、移動端末内の許可ＣＳＧリストから削除されたＣＳＧ  ＩＤなどがある。（２）通知音を用いて通知する。（３）バイブレータ機能を用いて通知する。
【０１４３】
図１７に移動体通信システムの動作の一例を示す。図１６と同じ参照符号は相当する部分であるので、説明は省略する。ステップＳＴ１７０１にて移動端末Ａは、基地局（ＣＳＧセル、ｎｏｎ−ＣＳＧセル含む）経由でＭＭＥへＣＳＧ登録状況を確認する旨を通知する。経由する基地局はＣＳＧセル１、あるいはＣＳＧセル１とは異なるセルでも良いとする。これにより、移動端末ＡのＣＳＧ  ＩＤ「１」へのテンポラリー登録が満了した後であっても、移動端末ＡがＭＭＥへＣＳＧ登録状況を確認する旨の通知を行うことが可能となる。ステップＳＴ１７０２にてＭＭＥは、移動端末ＡのＣＳＧ登録状況を確認する。例えばＭＭＥは、ＭＭＥあるいは、ＨＳＳなどに保管されている、ネットワーク側管理の許可ＣＳＧリスト、あるいは期限切れのＣＳＧ登録などを確認する。
【０１４４】
ステップＳＴ１７０３にてＭＭＥは、基地局（ＣＳＧセル、ｎｏｎ−ＣＳＧセル含む）経由で移動端末ＡへＣＳＧ登録状況を通知する。経由する基地局はＣＳＧセル１、あるいはＣＳＧセル１とは異なるセルでも良いとする。これにより、移動端末ＡのＣＳＧ  ＩＤ「１」へのテンポラリー登録が満了した後であっても、ＭＭＥが移動端末ＡへＣＳＧ登録状況の通知を行うことが可能となる。ステップＳＴ１７０４にて移動端末ＡがステップＳＴ１７０３で送信されたＣＳＧ登録状況を受信してテンポラリー期間が満了したＣＳＧ  ＩＤであるＣＳＧ  ＩＤ「１」を認識した場合、移動端末Ａは、許可ＣＳＧリストから該ＣＳＧ  ＩＤを削除する。ステップＳＴ１７０５にてＭＭＥは、ＳＴ１７０３にて移動端末Ａへ通知したＣＳＧ登録状況にてテンポラリー期間が満了した、ＣＳＧ  ＩＤである、移動端末ＡのＣＳＧ  ＩＤ「１」への登録の期限切れのＣＳＧ登録としての管理を終了する。
【０１４５】
実施の形態２の変形例１により以下の効果を得ることが出来る。実施の形態２の変形例１によりネットワーク側から指示を受けることなく、移動端末が自立的に自移動端末のＣＳＧ登録状況を確認することが可能となる。該確認の結果、テンポラリー期間が満了したＣＳＧ登録、削除されたＣＳＧ登録があれば、移動端末は、自移動端末内の許可ＣＳＧリストから該ＣＳＧ  ＩＤを削除することが可能となる。これにより、実施の形態２同様の効果を得ることが出来る。またネットワーク側から指示を受けることなく移動端末が自立的に動作可能な点においては、実施の形態２と同様であるが、実施の形態２の変形例１では移動端末からネットワーク側へのＣＳＧ登録状況を確認することから、移動端末とネットワーク側で整合性の取れた移動体通信システムを構築することが出来るという更なる効果を得ることが出来る。
【０１４６】
実施の形態３．
実施の形態３にて解決する課題は、上記課題２である。実施の形態３は、実施の形態２、実施の形態２の変形例１とは別の解決策を以下に示す。テンポラリー期間が満了したＣＳＧ  ＩＤとは異なるＣＳＧ  ＩＤを伴うＣＳＧセル、あるいはＣＳＧ登録が削除されたＣＳＧ  ＩＤとは異なるＣＳＧ  ＩＤを伴うＣＳＧセル、あるいはｎｏｎ−ＣＳＧセル経由で行われた、移動端末からの要求などに対して、ネットワーク側が応答する場合に、該移動端末のＣＳＧ登録状況を移動端末へ通知する。移動端末は該ＣＳＧ登録状況を確認し、確認の結果テンポラリー期間が満了したＣＳＧ登録、削除されたＣＳＧ登録があれば、自移動端末内の許可ＣＳＧリストから該ＣＳＧ  ＩＤを削除する。
【０１４７】
移動端末からネットワーク側への要求の具体例として以下３つを開示する。（１）移動端末がＥＰＳ（Evolved Packet system）ベアラを設定（establish）するための方法である「E-UTRAN initial attach」メッセージ。（２）移動端末が、ユーザプレイン（u-plane）無線（radio）ベアラをセットアップするための方法である「UE triggered service Request」メッセージ。（３）移動端末が、トラッキングエリアを更新するための方法である「E-UTRAN Tracking Area update」メッセージ。
【０１４８】
移動端末の要求に対して応答するネットワーク側のエンティティの具体例としては、ＭＭＥ、あるいはＨＳＳ（Home Subscriber Server）、基地局（ＣＳＧセル、ｎｏｎ−ＣＳＧセル含む）などがある。
【０１４９】
ネットワーク側が移動端末への応答の具体例として以下３つを開示する。（１）移動端末がＥＰＳ（Evolved Packet system）ベアラを設定（establish）するための方法である「E-UTRAN initial attach」を行った結果、ネットワーク側から通知する受諾（accept、attach accept）、あるいは拒絶（reject）のメッセージ。（２）移動端末が、ユーザプレイン（u-plane）無線（radio）ベアラをセットアップするための方法である「UE triggered service Request」を行った結果、ネットワーク側から通知する受諾（accept、attach accept）、あるいは拒絶（reject）のメッセージ。（３）移動端末が、トラッキングエリアを更新するための方法である「E-UTRAN Tracking Area update」を行った結果、ネットワーク側から通知する受諾（accept、attach accept）、あるいは拒絶（reject）のメッセージ。
【０１５０】
ネットワーク側から移動端末へ通知される、該移動端末のＣＳＧ登録状況の具体例は、実施の形態２の変形例１と同様であるので説明を省略する。
【０１５１】
ネットワーク側（ＭＭＥ、基地局など）が移動端末へ「該移動端末のＣＳＧ当登録状況」を通知する方法の具体例を以下開示する。（１）実施の形態２の変形例１同様、ネットワーク側は、上記応答後に移動端末とネットワーク側の確立されたコネクションを用いて、該移動端末のＣＳＧ登録状況などを通知する。ネットワーク側は、該コネクションのうち制御情報（c-plane）を用いて、該移動端末のＣＳＧ登録状況などを通知する。さらに具体例としてはネットワーク側が、該移動端末のＣＳＧ登録状況などを、論理チャネルであるＣＣＣＨ、あるいはＤＣＣＨへマッピングし、トランスポートチャネルＤＬ-ＳＣＨ、物理チャネルＰＤＳＣＨを用いて、移動端末へ通知する。これにより、移動体通信システムを構築する上で、ＰＤＳＣＨの情報量の増加を許容することが比較的容易である。よって、本実施の形態で新たに設ける「該移動端末のＣＳＧ登録状況」をＰＤＳＣＨにて通知することは、移動体通信システムの構築を容易にするという効果を得ることができる。（２）ネットワーク側が移動端末への上記応答信号の情報要素として通知する。これにより、基地局は新たな下りデータのスケジューリングを行う必要がなく、基地局のスケジューリング負荷軽減、及び無線リソースの有効活用という効果を得ることが出来る。
【０１５２】
ネットワーク側にて実施の形態３の解決策を実行する範囲の具体例を以下２つ開示する。（１）テンポラリー期間が満了したＣＳＧ  ＩＤを伴うセル、あるいはＣＳＧ登録が削除されたＣＳＧ  ＩＤを伴うセルを管理するＭＭＥ内とする。ネットワーク側管理の許可ＣＳＧリスト、期限切れのＣＳＧ登録などをＨＳＳが管理する場合、ＨＳＳから該移動端末のＣＳＧ登録状況を通知するＭＭＥの数が制限できる。これにより、ネットワーク側の通信量負荷の軽減という効果を得ることができる。また、実施の形態３を実施するＭＭＥが制限されるためＭＭＥの処理負荷軽減という効果を得ることができる。（２）全範囲とする。これにより、該移動端末が広範囲へ移動した後でネットワーク側へ要求を行った場合にも実施の形態３を実行することができるという効果を得ることができる。
【０１５３】
さらに、以下実施することで、上記課題１を合わせて解決することが出来る。解決策を２つ開示する。（１）実施の形態１及び実施の形態１の変形例１と組み合わせて用いる。（２）ネットワーク側が、移動端末への応答にて「該移動端末のＣＳＧ登録状況」としてテンポラリー期間か満了した旨などを通知したＣＳＧ  ＩＤについて、該移動端末の該ＣＳＧ  ＩＤを期限切れのＣＳＧ登録の管理から削除する。これにより、移動端末内の許可ＣＳＧリストから該ＣＳＧ  ＩＤが削除されるときに、ネットワーク側の期限切れのＣＳＧ登録として該ＣＳＧ  ＩＤと該移動端末を関連付けての管理を終了することで、移動端末とネットワーク側で整合性の取れた移動体通信システムを構築することが出来る。ネットワーク側のエンティティの具体例としては、でＭＭＥ、ＨＳＳなどがある。（３）ネットワーク側が、移動端末への応答にて「該移動端末のＣＳＧ登録状況」としてＣＳＧ登録が削除された旨などを通知したＣＳＧ  ＩＤについて、該移動端末の該ＣＳＧ  ＩＤをネットワーク側管理の許可ＣＳＧリストから削除する。これにより、移動端末内の許可ＣＳＧリストから該ＣＳＧ  ＩＤが削除されるときに、ネットワーク側管理の許可ＣＳＧリストからも該ＣＳＧ  ＩＤを削除することができ、移動端末とネットワーク側で整合性の取れた移動体通信システムを構築することが出来る。ネットワーク側のエンティティの具体例としては、でＭＭＥ、ＨＳＳなどがある。
【０１５４】
また、移動端末内の許可ＣＳＧリストから削除されたＣＳＧ  ＩＤが存在した場合、移動端末がユーザに対してその旨を通知するようにしても良い。これによりユーザが許可ＣＳＧリストからＣＳＧ  ＩＤが削除されたことを知ることができ、ユーザが使いやすい移動体通信システムを構築することが可能となる。通知タイミングは、移動端末自身が登録を行ったＣＳＧを識別する情報を移動端末内の許可ＣＳＧリストから削除する前、あるいは削除時、あるいは削除後とできる。あるいは、移動端末がネットワーク側から、テンポラリー期間が満了したＣＳＧ登録、削除されたＣＳＧ登録を含んだＣＳＧ登録状況を受信した時、あるいは受信後でも良い。ユーザへの通知方法の具体例は、実施の形態２の変形例１と同様であるので、説明を省略する。
【０１５５】
図１８に移動体通信システムの動作の一例を示す。図１３と同じ参照符号は相当する部分であるので、説明は省略する。ステップＳＴ１８０１にてＭＭＥは、マクロセル２経由で移動端末Ａへページング応答受諾（accept）を送信する。その際、移動端末ＡのＣＳＧ登録状況も合わせて通知する。本動作例においては、テンポラリー期間が満了したＣＳＧ登録としてＣＳＧ  ＩＤ「１」を通知する。ステップＳＴ１８０２にてＭＭＥは、移動端末への応答にて「該移動端末のＣＳＧ登録状況」としてテンポラリー期間が満了した旨などを通知したＣＳＧ  ＩＤについて、該移動端末の該ＣＳＧ  ＩＤを期限切れのＣＳＧ登録の管理から削除する。本動作例においては、移動端末ＡのＣＳＧ  ＩＤ「１」を期限切れのＣＳＧ登録の管理から削除する。
【０１５６】
ステップＳＴ１８０３にて移動端末Ａは、ステップＳＴ１８０１にて送信されたＣＳＧ登録状況を受信しテンポラリー期間が満了したＣＳＧ登録、削除されたＣＳＧ登録があれば、自移動端末内の許可ＣＳＧリストから該ＣＳＧ  ＩＤを削除する。本動作例においては、テンポラリー期間が満了したＣＳＧ登録としてＣＳＧ  ＩＤ「１」を確認し、ＣＳＧ  ＩＤ「１」を移動端末内の許可ＣＳＧリストから削除する。ステップＳＴ１８０４にて移動端末Ａは、移動端末内の許可ＣＳＧリストが空か否か判断する。空であった場合、ステップＳＴ１８０５に移行する。空でなかった場合、つまり許可ＣＳＧリスト内にＣＳＧ  ＩＤが登録されていた場合、ステップＳＴ１８０５を処理せずに終了する。ステップＳＴ１８０５にて移動端末Ａは、ＣＳＧセルの自立サーチ機能を停止する。
【０１５７】
実施の形態３により以下の効果を得ることが出来る。テンポラリー登録時に十分長いテンポラリー期間が許可されるような場合であって、テンポラリー登録を行ったＣＳＧ  ＩＤを伴うセルの圏外に移動端末が移動した場合であっても、期限切れのＣＳＧ登録としての管理を終了させることが可能となる。これにより、テンポラリー登録する移動端末が多くなるにつれ、期限切れのＣＳＧ登録として管理するテンポラリー登録が増加することを防ぐことが可能となる。よって、期限切れのＣＳＧ登録の管理に対するネットワーク側の処理負荷増加という上記課題１を解決することが出来る。
【０１５８】
更には、実施の形態１同様に、期限切れのＣＳＧ登録としての管理を終了させることが可能となったため、ページングの最適化を実行可能と出来る。これにより、本来テンポラリー登録の期間満了につき、サービスのサポートが不要な移動端末に対する、ＭＭＥや該ＣＳＧ  ＩＤを伴うＣＳＧセルにおける無駄なページング送信処理、無駄なページング送信での無線リソースなどを削減することが出来る。
【０１５９】
さらには、ネットワークからの通知にテンポラリー期間が満了したＣＳＧ登録、削除されたＣＳＧ登録があれば、移動端末は、自移動端末内の許可ＣＳＧリストから該ＣＳＧ  ＩＤを削除することが可能となる。これにより、実施の形態２同様の効果を得ることが出来る。また実施の形態３では移動端末は、ネットワーク側からのＣＳＧ登録状況を確認することから、移動端末とネットワーク側で整合性の取れた移動体通信システムを構築することが出来るという更なる効果を得ることが出来る。
【０１６０】
また、現在の方法では、移動端末内の許可ＣＳＧリストに含まれないＣＳＧ  ＩＤを伴うＣＳＧセルは、該移動端末の自動モードの対象外となる。これにより、移動端末がＣＳＧへ未登録が原因でサービスを受けることが出来ないセルに対して無用な要求、あるいは無用なＴＡＵの送信を防ぐという利点がある。本実施の形態３は、移動端末内の許可ＣＳＧリストに含まれないＣＳＧ  ＩＤを伴うＣＳＧセルは、該移動端末の自動モードの対象外を継承し、該利点を継承しつつ、課題１及び課題２を解決可能となる。
【０１６１】
また実施の形態３でのネットワーク側から移動端末へのＣＳＧ登録状況の通知において、以下情報を通知しても良い。テンポラリー期間が満了したＣＳＧ  ＩＤ、あるいはＣＳＧ登録が削除されたＣＳＧ  ＩＤのみではなく、テンポラリー登録されたＣＳＧ  ＩＤ、あるいはＣＳＧ登録されたＣＳＧ  ＩＤを含んでも良い。その場合、該ＣＳＧ  ＩＤが追加されたか、削除されたかの別を示す情報、あるいは該ＣＳＧ  ＩＤが追加された旨、あるいは該ＣＳＧ  ＩＤが削除された旨を合わせて通知すると良い。
【０１６２】
これにより、以下の通り課題３を解決するという効果を得ることが出来る。新規登録のＣＳＧ  ＩＤを伴うセル傘下において手動モードにおけるリセレクションを行わずとも、ユーザの介入無しに新規登録のＣＳＧ  ＩＤを移動端末内の許可ＣＳＧリストに登録することが可能となる。これにより、事前登録した場合であっても、該新規登録のＣＳＧ  ＩＤを伴うセルを自動モードにおけるリセレクション動作において選択することが可能となる。よってユーザにとって使い勝手が良い移動体通信システムを構築可能となる。
【０１６３】
また、新規のＣＳＧへの登録後、早期に移動端末内の許可ＣＳＧリストへ該ＣＳＧ  ＩＤが登録されることから、本来は該移動端末にとってベストセルにも関わらず、登録済みではあるが移動端末内の許可ＣＳＧリストに含まれないために、自動モードの対象外となり、移動端末がキャンプオン、あるいは通話中であればハンドオーバ先として選択されない状況が発生しにくくなる。これにより、移動端末がベストセルではない他のセルを用いるため、移動端末及び基地局にて無用に送信電力が増大することを防ぎ。干渉を抑制することが可能となる。
【０１６４】
また、移動端末内の許可ＣＳＧリストに含まれないＣＳＧ  ＩＤを伴うＣＳＧセルは、該移動端末の自動モードの対象外を継承し、移動端末がＣＳＧへ未登録が原因でサービスを受けることが出来ないセルに対して無用な要求、あるいは無用なＴＡＵの送信を防ぐという利点を継承しつつ、課題３を解決可能となる。
【０１６５】
実施の形態３  変形例１．
実施の形態３の変形例１にて解決する課題について説明する。実施の形態３の解決策を実行した場合であっても、移動端末から何らかの要求が無ければ、上記課題２が継続する。ここで、現在の方法において、周期的なトラッキングエリアアップデートが存在する。この周期的なトラッキングエリアアップデートは、移動端末のシステム情報が周期的なトラッキングエリアアップデートを適用すべきことを指示した場合に適用される（非特許文献８  ４．５．３章）。
【０１６６】
本実施の形態３の変形例１での解決策を以下に示す。実施の形態３に加えて、テンポラリー登録をした移動端末は、周期的なトラッキングエリアアップデートを実行する。または、テンポラリー登録をした移動端末は、ネットワーク側からの指示がなくとも、周期的なトラッキングエリアアップデートを実行する。また、テンポラリー登録した移動端末は、システム情報が周期的なトラッキングエリアアップデートを適用すべきことを指示していない場合においても周期的なトラッキングエリアアップデートを実行する。
【０１６７】
実行の具体的動作例としては、移動端末は「E-UTRAN Tracking Area update」を実行する。自移動端末がテンポラリー登録を行っているか否かの判断には、実施の形態２で開示したテンポラリー登録であるか、通常（テンポラリー期間の設定無し）の登録であるかを移動端末が判断する方法の具体例を用いることができるので、説明を省略する。
【０１６８】
また周期的なトラッキングエリアアップデートの実行は、ネットワーク側からのＣＳＧ登録状況の通知において、該テンポラリー登録のテンポラリー期間満了の旨の通知を受信するまで継続しても良い。これにより、無駄に周期的なトラッキングエリアアップデートの実行を継続する必要がなく、無線リソースの有効活用、移動端末の低消費電力化という効果を得ることが出来る。
【０１６９】
また実施の形態３の変形例１において、実施の形態３に加えて、ＣＳＧ登録をした移動端末は、周期的なトラッキングエリアアップデートを実行するとしても良い。また移動端末内の許可ＣＳＧリスト内に登録のＣＳＧ  ＩＤが含まれている場合は、周期的なトラッキングエリアアップデートを実行するとしても良い。
【０１７０】
実施の形態３の変形例１により、実施の形態３の効果に加えて以下の効果を得ることが出来る。周期的にトラッキングエリアアップデートが実行されるため、周期的に移動端末からＴＡＵ要求が発生する。これにより、上記課題２が継続する時間が短縮化できるという効果を得ることが出来る。
【０１７１】
実施の形態３  変形例２．
実施の形態３の変形例２にて解決する課題について説明する。実施の形態３の変形例１の解決策を実行した場合を検討する。課題２が継続する期間を短くするために周期的なトラッキングエリアアップデートの周期を短く設定した場合、テンポラリー登録を行っていない移動端末、あるいはＣＳＧ登録を行っていない移動端末が、周期的なトラッキングエリアアップデートを適用すべきことを指示された場合において、無用に短い周期でトラッキングエリアアップデートを実行することとなる。これにより、無線リソースの無駄が発生し、移動端末の消費電力が増加するという課題が発生する。反対に、テンポラリー登録を行っていない移動端末、あるいはＣＳＧ登録を行っていない移動端末の動作を考慮して、周期的なトラッキングエリアアップデートの周期を長く設定した場合、課題２が継続する期間が長くなる課題が再発する。
【０１７２】
本実施の形態３の変形例２での解決策を以下に示す。実施の形態３、実施の形態３の変形例１に加えて、周期的なトラッキングエリアアップデートの周期を２種類持つようにする。また、該２種類の周期のうち、１つ目の周期は、テンポラリー登録を行っていない移動端末、あるいはＣＳＧ登録を行っていない移動端末用とし、２つ目の周期は、テンポラリー登録、あるいはＣＳＧ登録を行っている移動端末用に分けて用いる。該２種類の周期は、システム情報にてネットワーク側から移動端末へ通知される。
【０１７３】
また、テンポラリー登録、あるいはＣＳＧ登録を行っている移動端末用の周期を移動端末自身が決定しても良い。これにより、ネットワーク側から通知する情報量を削減可能となり、無線リソースの有効活用という効果を得ることが出来る。
【０１７４】
またテンポラリー登録、あるいはＣＳＧ登録を行っている移動端末用の周期を用いた、周期的なトラッキングエリアアップデートの実行は、ネットワーク側からのＣＳＧ登録状況の通知として、該テンポラリー登録のテンポラリー期間満了の旨の通知を受信するまで継続しても良い。ネットワーク側からのＣＳＧ登録状況の通知として、該テンポラリー登録のテンポラリー期間満了の旨の通知を受信後は、テンポラリー登録を行っていない移動端末、あるいはＣＳＧ登録を行っていない移動端末用の周期を用いた、周期的なトラッキングエリアアップデートを実行する。これにより、無駄に周期的なトラッキングエリアアップデートの実行を継続する必要がなく、無線リソースの有効活用、移動端末の低消費電力化という効果を得ることが出来る。
【０１７５】
実施の形態３の変形例２により、実施の形態３、実施の形態３の変形例１の効果に加えて以下の効果を得ることが出来る。周期的なトラッキングエリアアップデートの周期を、（１）テンポラリー登録を行っていない移動端末、あるいはＣＳＧ登録を行っていない移動端末用と（２）テンポラリー登録、あるいはＣＳＧ登録を行っている移動端末用に分けて用いることができる。よって、テンポラリー登録を行っていない移動端末、あるいはＣＳＧ登録を行っていない移動端末からの無用に短い周期での周期的なトラッキングエリアアップデートの実行を抑制しつつ、テンポラリー登録、あるいはＣＳＧ登録を行っている移動端末用の周期を調整可能となる効果を得ることができる。これにより、上記課題２が継続する時間を移動体通信システムが柔軟に調整の上、短縮化できるという効果を得ることが出来る。
【０１７６】
実施の形態４．
実施の形態４にて解決する課題は、上記課題２である。実施の形態４は、実施の形態２、実施の形態２の変形例１、実施の形態３、実施の形態３の変形例１、実施の形態３の変形例２とは別の解決策を以下に示す。
【０１７７】
移動端末に対する、ネットワーク側管理の許可ＣＳＧリストに変更があった場合、該移動端末に該変更を通知する。通知を受信した移動端末は、該通知に応答する。ネットワーク側は、移動端末とネットワーク側の確立されたコネクションを用いて、該移動端末へ該移動端末に対するネットワーク側管理の許可ＣＳＧリストを通知する。ネットワーク側は、該コネクションのうち制御情報（c-plane）を用いて、該移動端末へ該移動端末に対するネットワーク側管理の許可ＣＳＧリストを通知する。該移動端末は、受信したネットワーク側管理の許可ＣＳＧリストを用いて、移動端末内の許可ＣＳＧリストを上書き、あるいは更新する。
【０１７８】
ネットワーク側管理の許可ＣＳＧリストの変更の具体例としては、該移動端末が新たなＣＳＧへ登録した際、該移動端末がＣＳＧ登録から削除された際、該移動端末のテンポラリー登録のテンポラリー期間が満了した際、該移動端末のテンポラリー期間が変更された際などがある。移動端末へ変更を通知する、ネットワーク側のエンティティの具体例としてはＭＭＥ、ＨＳＳなどがある。また、ＭＭＥ、ＨＳＳなどは、移動端末が登録する１つあるいは複数のトラッキングエリアに属する１つあるいは複数の基地局（ＣＳＧセル、ｎｏｎ−ＣＳＧセルを含む）経由で移動端末への変更通知を行う。通知のタイミングの具体例は、該移動端末に対するネットワーク側管理の許可ＣＳＧリストの変更に先立って、変更の際、変更の後処理としてなどが考えられる。
【０１７９】
ネットワーク側から該移動端末に変更を通知する方法の具体例としては、移動端末に対してページング方法を用いて該移動端末のネットワーク側管理の許可ＣＳＧリストの変更を通知する。
【０１８０】
図１９を用いて、まず、従来のページング方法における移動端末の動作ついて以下説明する。ステップＳＴ１９０１にてページングメッセージを受信する。ステップＳＴ１９０２にて、ページングメッセージ中に、ページングレコード（Paging record）情報が存在するか否か判断する。存在する場合、ステップＳＴ１９０３へ移行する。存在しない場合、ステップＳＴ１９０５へ移行する。ステップＳＴ１９０３にて、ページングレコード中に含まれる移動端末の識別子と、上位レイヤから割当てられた移動端末の識別子が一致するか否か判断する。言い換えると、自移動端末宛のページングレコードであるか否か判断する。識別子が一致した場合、つまり自移動端末宛のページングレコードであった場合、ステップＳＴ１９０４へ移行する。識別子が一致しない場合、つまり自移動端末宛のページングレコードでなかった場合、ステップＳＴ１９０５へ移行する。ステップＳＴ１９０４にて、コアネットワークドメイン（Core Network domain：ＣＮドメイン）と移動端末の識別子を上位へ報告する。ステップＳＴ１９０５にて、ページングメッセージ中に、システム情報変更を示す情報、「System infor Modification」とも称される、が存在するか否か判断する。存在する場合、ステップＳＴ１９０６へ移行する。存在しない場合、ステップＳＴ１９０７へ移行する。ステップＳＴ１９０６にて、システム情報受信を行う。ステップＳＴ１９０７にて、ページングメッセージ中に、ＥＴＷＳ（Earthquake and Tsumani Warning System）情報を示す情報、「etws-Indication」とも称される、が存在するか否か判断する。存在する場合、ステップＳＴ１９０８へ移行する。存在しない場合、処理を終了する。ステップＳＴ１９０８にて、ＥＴＷＳに関する情報を受信する。
【０１８１】
ネットワーク側が移動端末に対してページング方法を用いて該移動端末のネットワーク側管理の許可ＣＳＧリストの変更を通知する方法の具体例について、以下に３つ開示する。
【０１８２】
（１）ネットワーク側は、ネットワーク側管理の許可ＣＳＧリストに変更があった場合、該移動端末に対して、ページングメッセージを通知する。ページングメッセージ中に該移動端末に割当てられた識別子で、識別可能な情報を通知する。従来の方法のページングレコードを用いても良い。従来のページングメッセージを用いることで、移動体通信システムの複雑性を回避しつつ、新たな機能を追加できるという効果を得ることが出来る。（１）の方法で変更を通知した場合の移動端末の動作は、図１９と同様であるので説明を省略する。
【０１８３】
（２）ネットワーク側は、ネットワーク側管理の許可ＣＳＧリストに変更があった場合、該移動端末に対して、ページングメッセージを通知する。方法（１）と異なり、従来の方法のページングレコードとは異なる情報を新規に設ける。これ以降、該新規の情報を「許可ＣＳＧリスト変更インジケータ」と称する。「許可ＣＳＧリスト変更インジケータ」は、移動端末に割当てられた識別子で識別可能な情報とする。これにより、ネットワーク側管理の許可ＣＳＧリストにて変更が生じた移動端末にのみ、通知を行うことが可能となる。これにより、ネットワーク側管理の許可ＣＳＧリストにて変更が生じていない、移動端末による無駄な処理負荷がかからないという効果を得ることができる。また、従来の「ページングレコード」に対して、別途「許可ＣＳＧリスト変更インジケータ」を設けることで、例えば移動端末の処理負荷などに応じて、あるいはユーザの都合、意思などに応じて、着呼処理に関わる「ページングレコード」受信後の処理は即時おこなうが、着呼処理に関わらない「許可ＣＳＧリスト変更インジケータ」受信後の処理は、移動端末の処理負荷が軽減されてから行うなど、移動端末あるいはユーザの柔軟な動作が可能となる。
【０１８４】
図２０に、方法（２）で変更を通知した場合の移動端末の動作の一例を示す。図１９と同じ参照符号は相当する部分であるので、説明は省略する。ステップＳＴ１９０２にて、ページングメッセージ中に、ページングレコード（Paging record）情報が存在するか否か判断する。存在する場合、ステップＳＴ１９０３へ移行する。存在しない場合、ステップＳＴ２００１へ移行する。ステップＳＴ１９０３にて、ページングレコード中に含まれる移動端末の識別子と、上位レイヤから割当てられた移動端末の識別子が一致するか否か判断する。言い換えると、自移動端末宛のページングレコードであるか否か判断する。識別子が一致した場合、つまり自移動端末宛のページングレコードであった場合、ステップＳＴ１９０４へ移行する。識別子が一致しない場合、つまり自移動端末宛のページングレコードでなかった場合、ステップＳＴ２００１へ移行する。ステップＳＴ２００１にて、ページングメッセージ中に、「許可ＣＳＧリスト変更インジケータ」が存在するか否か判断する。存在する場合、ステップＳＴ２００２へ移行する。存在しない場合、ステップＳＴ１９０５へ移行する。ステップＳＴ２００２にて、「許可ＣＳＧリスト変更インジケータ」中に含まれる移動端末の識別子と、上位レイヤから割当てられた移動端末の識別子が一致するか否か判断する。言い換えると、自移動端末宛の「許可ＣＳＧリスト変更インジケータ」であるか否か判断する。識別子が一致した場合、つまり自移動端末宛の「許可ＣＳＧリスト変更インジケータ」であった場合、ステップＳＴ２００３へ移行する。識別子が一致しない場合、つまり自移動端末宛の「許可ＣＳＧリスト変更インジケータ」でなかった場合、ステップＳＴ１９０５へ移行する。ステップＳＴ２００３にて、「許可ＣＳＧリスト変更インジケータ」を受信した旨などと移動端末の識別子を上位へ報告する。
【０１８５】
（３）ネットワーク側は、ネットワーク側管理の許可ＣＳＧリストに変更があった場合、該移動端末に対して、ページングメッセージを通知する。従来の方法のページングレコード中に従来の着呼情報と、本実施の形態で新たに追加したネットワーク側管理の許可ＣＳＧリストに変更があった旨の情報を別個に設ける。これにより、方法（２）と同様の効果に加え、方法（２）で「ページングレコード」と「許可ＣＳＧリスト変更インジケータ」と別個２回（図２０のステップＳＴ１９０３とステップＳＴ２００２）必要であったメッセージ中の移動端末の識別子と、上位レイヤから割当てられた移動端末の識別子の照合が１回（後述の図２１のステップＳＴ１９０３）に省略可能と出来る。これにより、移動端末の低消費電力化を実現できる。
【０１８６】
図２１に、方法（３）で変更を通知した場合の移動端末の動作の一例を示す。図１９、図２０と同じ参照符号は相当する部分であるので、説明は省略する。ステップＳＴ１９０２にて、ページングメッセージ中に、ページングレコード（Paging record）情報が存在するか否か判断する。存在する場合、ステップＳＴ１９０３へ移行する。存在しない場合、ステップＳＴ１９０５へ移行する。ステップＳＴ１９０３にて、ページングレコード中に含まれる移動端末の識別子と、上位レイヤから割当てられた移動端末の識別子が一致するか否か判断する。言い換えると、自移動端末宛のページングレコードであるか否か判断する。識別子が一致した場合、つまり自移動端末宛のページングレコードであった場合、ステップＳＴ２１０１へ移行する。識別子が一致しない場合、つまり自移動端末宛のページングレコードでなかった場合、ステップＳＴ１９０５へ移行する。ステップＳＴ２１０１にて、ページングレコード中に着呼情報が含まれるか否か判断する。ページングレコード中の自移動端末の識別子と一致した情報エリアに、着呼情報が含まれるか否か判断しても良い。言い換えると、自移動端末宛の着呼の有無を判断する。着呼情報が含まれた場合、つまり自移動端末宛の着呼が有った場合、ステップＳＴ１９０４へ移行する。着呼情報が含まれない場合、つまり自移動端末宛の着呼が無かった場合、ステップＳＴ２１０２へ移行する。ステップＳＴ２１０２にて、ページングレコード中に「許可ＣＳＧリスト変更インジケータ」が存在するか否か判断する。ページングレコード中の自移動端末の識別子と一致した情報エリアに、「許可ＣＳＧリスト変更インジケータ」が含まれるか否か判断しても良い。存在する場合、ステップＳＴ２００３へ移行する。存在しない場合、ステップＳＴ１９０５へ移行する。
【０１８７】
さらに、以下実施することで、上記課題１を合わせて解決することが出来る。解決策を３つ開示する。（１）実施の形態１及び実施の形態１の変形例１と組み合わせて用いる。（２）ネットワーク側が、移動端末へネットワーク側管理の許可ＣＳＧリストに削除、あるいは更新の変更を通知した際に、該移動端末のネットワーク側管理の許可ＣＳＧリストから該ＣＳＧ  ＩＤを削除する、あるいは該移動端末の該ＣＳＧ  ＩＤを期限切れのＣＳＧ登録の管理に追加することを止める、あるいは該移動端末の該ＣＳＧ  ＩＤを期限切れのＣＳＧ登録の管理から削除する。これにより、移動端末内の許可ＣＳＧリストから該ＣＳＧ  ＩＤが削除されるときに、ネットワーク側のネットワーク側管理の許可ＣＳＧリストとして、あるいは期限切れのＣＳＧ登録として、該ＣＳＧ  ＩＤと該移動端末を関連付けての管理を終了することができる。これにより、移動端末とネットワーク側で整合性の取れた移動体通信システムを構築することが出来る。（３）ネットワーク側が、移動端末へネットワーク側管理の許可ＣＳＧリストに削除、あるいは更新の変更を通知後に、移動端末とネットワーク側の確立されたコネクションが確立される。該コネクションを用いて、ネットワーク側が該移動端末へ該移動端末に対するネットワーク側管理の許可ＣＳＧリストを通知した際に、該移動端末のネットワーク側管理の許可ＣＳＧリストから該ＣＳＧ  ＩＤを削除する、あるいは該移動端末の該ＣＳＧ  ＩＤを期限切れのＣＳＧ登録の管理に追加することを止める、あるいは該移動端末の該ＣＳＧ  ＩＤを期限切れのＣＳＧ登録の管理から削除する。これにより、移動端末内の許可ＣＳＧリストから該ＣＳＧ  ＩＤが削除されるときに、ネットワーク側のネットワーク側管理の許可ＣＳＧリストとして、あるいは期限切れのＣＳＧ登録として、該ＣＳＧ  ＩＤと該移動端末を関連付けての管理を終了することができる。これにより、移動端末とネットワーク側で整合性の取れた移動体通信システムを構築することが出来る。
【０１８８】
図２２に移動体通信システムの動作の一例を示す。図１３、図１８と同じ参照符号は相当する部分であるので、説明は省略する。ステップＳＴ２２０１にて移動端末Ａは、ＣＳＧ  ＩＤ「１」を伴うＣＳＧセル１からマクロセル２へ移動（セルリセレクト）する。ステップＳＴ２２０２にてＭＭＥは、該移動端末Ａのネットワーク側管理の許可ＣＳＧリストに変更が生じたため、つまり該移動端末ＡのＣＳＧ  ＩＤ「１」へのテンポラリー登録のテンポラリー期間が満了したため、移動端末に対して該変更を通知する。具体例としては、ＭＭＥは「許可ＣＳＧリスト変更インジケータ」をページングメッセージにマッピングする。ステップＳＴ２２０３にて移動端末Ａは、マクロセル２からページングを受信し、ページング受信処理を行う。移動端末がページングメッセージを受信した際の動作の具体例は図２０、図２１を用いて説明した通りであるので、ここでは詳細な説明は省略する。移動端末Ａはページングメッセージ中に「許可ＣＳＧリスト変更インジケータ」が存在するか否か判断する。存在する場合、ステップＳＴ１３１７へ移行する。存在しない場合、本実施の形態の特徴部分ではないので説明を省略する。ステップＳＴ２２０４にて移動端末Ａは、ネットワーク側との間にコネクションを確立する。
【０１８９】
ステップＳＴ２２０５にてＭＭＥは、ステップＳＴ２２０４のコネクションを用いて、移動端末Ａへ移動端末Ａに対するネットワーク側管理の許可ＣＳＧリストを通知する。ステップＳＴ２２０６にてＭＭＥは、移動端末Ａのネットワーク側管理の許可ＣＳＧリストに削除の変更が生じたために、ステップＳＴ２２０５にて移動端末Ａへネットワーク側管理の移動端末Ａの許可ＣＳＧリストを通知した場合、移動端末Ａのネットワーク側管理の許可ＣＳＧリストから該ＣＳＧ  ＩＤを削除する。本動作例においては、移動端末Ａのネットワーク側管理の許可ＣＳＧリストからＣＳＧ  ＩＤ「１」を削除する。ステップＳＴ２２０７にて移動端末Ａは、ステップＳＴ２２０５にて受信したネットワーク側管理の許可ＣＳＧリストを用いて、移動端末内の許可ＣＳＧリストを上書き、あるいは更新する。
【０１９０】
また、移動端末内の許可ＣＳＧリストが変更された場合、移動端末がユーザに対してその旨を通知するようにしても良い。これにより、現在のＣＳＧ登録状況をユーザ知ることができ、ユーザが使いやすい移動体通信システムを構築することが可能となる。ユーザへの通知方法の具体例として以下３つを開示する。（１）移動端末、あるいは移動端末が接続されたディスプレイに表示することで通知する。表示内容としては、現在のＣＳＧ登録リスト、あるいは変更（追加、削除、更新）が生じたＣＳＧ  ＩＤ、変更の種別などがある。（２）通知音を用いて通知する。（３）バイブレータ機能を用いて通知する。
【０１９１】
実施の形態４により以下の効果を得ることが出来る。テンポラリー登録時に十分長いテンポラリー期間が許可されるような場合であって、テンポラリー登録を行ったＣＳＧ  ＩＤを伴うセルの圏外に移動端末が移動した場合であっても、テンポラリー期間満了後すぐに、該登録満了を移動端末へ通知することが可能となる。本実施の形態４は、ネットワーク側管理の許可ＣＳＧリストの変更があった際に、ネットワーク主導の基で該登録満了を移動端末へ通知できるので、移動端末の要求動作などの有無に関係なく通知を実行できるという効果を有する。期限切れのＣＳＧ登録としての管理を終了させること、あるいは期限切れのＣＳＧ登録としての管理の開始を止めることが可能となり、テンポラリー登録する移動端末が多くなるにつれ、期限切れのＣＳＧ登録として管理するテンポラリー登録が増加することを防ぐことが可能となる。これにより、期限切れのＣＳＧ登録の管理に対するネットワーク側の処理負荷増加という上記課題１を解決することが出来る。
【０１９２】
更には、実施の形態１同様に、期限切れのＣＳＧ登録としての管理を終了させることが可能となったため、ページングの最適化を実行可能と出来る。これにより、本来テンポラリー登録の期間満了、あるいはＣＳＧ登録削除につき、サービスのサポートが不要な移動端末に対する、ＭＭＥや該ＣＳＧ  ＩＤを伴うＣＳＧセルにおける無駄なページング送信処理、ページング送信での無線リソースなどを削減することが出来る。
【０１９３】
さらには、ネットワークからのネットワーク側管理の許可ＣＳＧリストの通知により、移動端末は、自移動端末内の許可ＣＳＧリストを更新することが可能となる。これにより、実施の形態２同様の効果を得ることが出来る。また実施の形態４では移動端末は、ネットワーク側からのネットワーク側管理の許可ＣＳＧリストの通知により、移動端末内の許可ＣＳＧリストの更新を行うことから、移動端末とネットワーク側で整合性の取れた移動体通信システムを構築することが出来るという更なる効果を得ることが出来る。
【０１９４】
また、現在の方法では、移動端末内の許可ＣＳＧリストに含まれないＣＳＧ  ＩＤを伴うＣＳＧセルは、該移動端末の自動モードの対象外となる。これにより、移動端末がＣＳＧへ未登録であることが原因でサービスを受けることが出来ないセルに対して、無用な要求、あるいは無用なＴＡＵの送信を防ぐという利点がある。本実施の形態４は、移動端末内の許可ＣＳＧリストに含まれないＣＳＧ  ＩＤを伴うＣＳＧセルは、該移動端末の自動モードの対象外を継承し、該利点を継承しつつ、課題１及び課題２を解決可能となる。
【０１９５】
また実施の形態４では、ネットワークからのネットワーク側管理の許可ＣＳＧリストの通知により、移動端末は、自移動端末内の許可ＣＳＧリストを更新する。これにより、以下の通り課題３を解決するという効果を得ることが出来る。新規登録のＣＳＧ  ＩＤを伴うセル傘下において手動モードにおけるリセレクションを行わずとも、ユーザの介入無しに新規登録のＣＳＧ  ＩＤを移動端末内の許可ＣＳＧリストに登録することが可能となる。これにより、事前登録した場合であっても、該新規登録のＣＳＧ  ＩＤを伴うセルを自動モードにおけるリセレクション動作において選択することが可能となる。よってユーザにとって使い勝手が良い移動体通信システムを構築可能となる。
【０１９６】
また、新規のＣＳＧへの登録後、早期に移動端末内の許可ＣＳＧリストへ該ＣＳＧ  ＩＤが登録されることから、本来は該移動端末にとってベストセルにも関わらず、登録済みではあるが移動端末内の許可ＣＳＧリストに含まれないために、自動モードの対象外となり、移動端末がキャンプオン、あるいは通話中であればハンドオーバ先として用いない状況が発生しにくくなる。これにより、移動端末がベストセルではない他のセルを用いるため、移動端末及び基地局にて無用に送信電力が増大することを防ぎ、干渉を抑制することが可能となる。また、移動端末内の許可ＣＳＧリストに含まれないＣＳＧ  ＩＤを伴うＣＳＧセルは、該移動端末の自動モードの対象外を継承し、移動端末がＣＳＧへ未登録であることが原因でサービスを受けることが出来ないセルに対して無用な要求、あるいは無用なＴＡＵの送信を防ぐという利点を継承しつつ、課題３を解決可能となる。
【０１９７】
実施の形態４  変形例１．
実施の形態４の変形例１にて解決する課題について説明する。実施の形態４の解決策を実行した場合、該移動端末の登録ＣＳＧの種類が多い場合以下の新たな課題が発生する。ネットワーク側から移動端末へのネットワーク側管理の許可ＣＳＧリストを通知する際（具体例としては、図２２のステップＳＴ２２０５）に、無線区間を伝送する情報量が多くなり、無線リソースの無駄が発生するという課題が生じる。
【０１９８】
実施の形態４の変形例１での解決策を以下に示す。移動端末に対する、ネットワーク側管理の許可ＣＳＧリストに変更があった場合、該移動端末に該変更を通知する。通知を受信した移動端末は、該通知に応答する。ネットワーク側は、移動端末とネットワーク側の確立されたコネクションを用いて、該移動端末へ該移動端末に対するネットワーク側管理の許可ＣＳＧリスト全てではなく、変更にかかる部分の情報を通知する。ネットワーク側は、該コネクションのうち制御情報（c-plane）を用いて、該移動端末へ該移動端末に対するネットワーク側管理の許可ＣＳＧリスト全てではなく、変更にかかる部分の情報を通知する。該移動端末は、受信したネットワーク側管理の許可ＣＳＧリストの変更にかかる部分の情報を用いて、移動端末内の許可ＣＳＧリストを上書き、あるいは更新する。
【０１９９】
実施の形態４と異なる部分を中心に以下説明する。該移動端末に対するネットワーク側管理の許可ＣＳＧリスト全てではなく、変更にかかる部分の情報として、削除（テンポラリー期間満了によるもの含む）、追加が行われたＣＳＧ  ＩＤに関する情報のみ通知する。変更にかかる部分の情報の通知方法の具体例について以下に２つ開示する。（１）移動端末とネットワーク側の確立されたコネクションにて、変更の種別と変更に係るＣＳＧ  ＩＤを通知する。変更の種別の具体例としては、追加及び削除の別、あるいは追加であるか否か、あるいは削除であるか否かなどがある。（２）ページングメッセージにて変更の種別を通知し、移動端末とネットワーク側の確立されたコネクションにて、変更に係るＣＳＧ  ＩＤを通知する。変更の種別の具体例は方法（１）と同様である。
【０２００】
実施の形態４の変形例１により、実施の形態４の効果に加えて以下の効果を得ることが出来る。ネットワーク側から移動端末へのネットワーク側管理の許可ＣＳＧリストの通知に要する情報量を削減することが可能となり、移動端末の登録ＣＳＧの種類が多い場合に特に顕著である、無線リソースの無駄を削減することが可能となる。
【０２０１】
実施の形態４  変形例２．
実施の形態４の変形例２にて解決する課題について説明する。
【０２０２】
実施の形態４、実施の形態４の変形例１の解決策を実行した場合、ネットワークと移動端末の間でコネクションの確立（具体例としては、図２２のステップＳＴ２２０４）が必要となる。コネクションの確立を待って許可ＣＳＧリストの変更を通知する手順は、移動体通信システムの制御遅延発生の原因となる。
【０２０３】
実施の形態４の変形例２での解決策を以下に示す。移動端末に対する、ネットワーク側管理の許可ＣＳＧリストに変更があった場合、該移動端末に該変更を通知する。該変更通知の情報中に、あるいは該変更通知と一緒にネットワーク側管理の許可ＣＳＧリストのうち、変更にかかる部分の情報を通知する。該移動端末は、受信したネットワーク側管理の許可ＣＳＧリストのうち、変更にかかる部分の情報を用いて、移動端末内の許可ＣＳＧリストを上書き、あるいは更新する。
【０２０４】
実施の形態４と異なる部分を中心に以下説明する。変更通知の情報中に、あるいは該変更通知と一緒にネットワーク側管理の許可ＣＳＧリストのうち、変更にかかる部分の情報を通知する。ネットワーク側は、該移動端末へページング方法を用いて該変更にかかる部分の情報を通知してもよい。ネットワーク側は、該移動端末へのページングメッセージ中に該変更に係る部分の情報をマッピングしても良い。方法の具体例を以下開示する。変更にかかる部分の情報として、削除（テンポラリー期間満了によるもの含む）、追加が行われたＣＳＧ  ＩＤに関する情報としても良い。変更にかかる部分の情報の通知方法の具体例について以下に３つ開示する。（１）実施の形態４の変更を通知する具体例の方法（２）を用いた場合、「許可ＣＳＧリスト変更インジケータ」中に、あるいは「許可ＣＳＧリスト変更インジケータ」と一緒に、変更にかかる部分を通知する。（２）実施の形態４の変更を通知する具体例の方法（３）を用いた場合、「ネットワーク側管理の許可ＣＳＧリストに変更があった旨の情報」中にあるいは「許可ＣＳＧリスト変更インジケータ」と一緒に、変更にかかる部分を通知する。
【０２０５】
図２３に移動体通信システムの動作の一例を示す。図１３、図１８、図２２と同じ参照符号は相当する部分であるので、説明は省略する。ステップＳＴ２３０１にてＭＭＥは、ページングメッセージ中に、ネットワーク側管理の許可ＣＳＧリストのうち、変更にかかる部分の情報をマッピングする。本動作例においては、ＭＭＥは、ページングメッセージ中に、変更の種別として「削除」を、変更に係るＣＳＧ  ＩＤとして「ＣＳＧ  ＩＤ「１」」をマッピングする。ステップＳＴ２３０２にて移動端末Ａは、ステップＳＴ１３１３にて受信したページングメッセージ中の変更の種別、変更に係るＣＳＧ  ＩＤに従って、移動端末内の許可ＣＳＧリストを更新する。
【０２０６】
実施の形態４の変形例２により、実施の形態４、及び実施の形態４の変形例１の効果に加えて以下の効果を得ることが出来る。ネットワーク側管理の許可ＣＳＧリストの変更をページング方法を用いて通知する場合、移動端末からのページング応答、ページング応答後のネットワークと移動端末間のコネクション確立を待つことなく通知することが出来る。これにより、移動体通信システムの制御遅延の防止という効果を得ることができる。
【０２０７】
実施の形態５．
実施の形態５にて解決する課題について説明する。移動端末がテンポラリー登録を行っているＣＳＧ  ＩＤを伴うＣＳＧセル傘下にて通話中にテンポラリー期間が満了した場合を考える。テンポラリー登録のテンポラリー期間が満了したので、該ＣＳＧにとって該移動端末は、非ＣＳＧメンバーとなる。よって該ＣＳＧを伴うＣＳＧセルでの、該移動端末へのサービス提供は不要となる。このように、移動端末がテンポラリー登録を行っているＣＳＧ  ＩＤを伴うＣＳＧセル傘下にて通話中にテンポラリー期間が満了した場合、該ＣＳＧセルとのコネクションが切断されることになり、ユーザにとって不便が生じる。
【０２０８】
実施の形態５での解決策を以下に示す。ネットワーク側は、移動端末がテンポラリー登録を行っているＣＳＧ  ＩＤを伴うＣＳＧセル傘下にて通話中にテンポラリー期間が満了した場合、テンポラリー期間を延長する。あるいは、該移動端末の該ＣＳＧ  ＩＤを期限切れのＣＳＧ登録としての管理開始を遅らせる。テンポラリー期間を延長し、延長が完了したあと、該移動端末の該ＣＳＧ  ＩＤを期限切れのＣＳＧ登録として管理する。あるいは、該移動端末の該ＣＳＧ  ＩＤをネットワーク側管理の許可ＣＳＧリストから削除することを遅らせる。テンポラリー期間を延長し、延長が完了したあと、該移動端末の該ＣＳＧ  ＩＤをネットワーク側管理の許可ＣＳＧリストから削除する。または、ネットワーク側は、移動端末がテンポラリー登録を行っているＣＳＧ  ＩＤと同じＣＳＧ  ＩＤを伴う別のＣＳＧセルへハンドオーバしたさいも、テンポラリー期間が満了した場合、前記処理を行っても良い。
【０２０９】
ネットワーク側のテンポラリー期間を延長させるエンティティの具体例は、ＭＭＥ、ＨＳＳなどがある。
【０２１０】
テンポラリー期間を延長する延長期間、あるいは期限切れのＣＳＧ登録としての管理開始を遅らせる遅延期間を、以降「テンポラリー延長期間」と称する。テンポラリー延長期間の具体例を以下３つ開示する。（１）テンポラリー延長期間を一定期間とする。一定期間は静的、あるいは準静的であっても良い。一定期間延長した後であっても、該移動端末が該ＣＳＧ  ＩＤを伴うＣＳＧセル傘下にて通話中であれば、再度一定期間テンポラリー期間を延長しても良い。（２）該移動端末が通話（RRC Connected、Connected mode、Connected Stateなどとも称される）を継続する期間とする。言い換えれば、該移動端末が通話状態から待受け状態（RRC Idle、Idle mode、Idle Stateとも称される）へ移行するまでとする。（３）該移動端末が該ＣＳＧ  ＩＤを伴うＣＳＧセルから該ＣＳＧ  ＩＤを伴わない他のＣＳＧセル、あるいはオープンモード、あるいはマクロセルへハンドオーバするまでとする。上記（１）、（２）、（３）を組み合わせて用いても良い。
【０２１１】
さらに、以下実施することで、上記課題１及び課題２、課題３を合わせて解決することが出来る。解決策を２つ開示する。（１）実施の形態１、実施の形態１の変形例１、実施の形態２、実施の形態２の変形例１、実施の形態３、実施の形態３の変形例１、実施の形態３の変形例２、実施の形態４、実施の形態４の変形例１、実施の形態４の変形例２と組み合わせて用いる。
【０２１２】
（２）ネットワーク側は、通話状態から待受け状態へ移行するさい、該移動端末との間に確立されているコネクションを用いて、該移動端末に対してテンポラリー期間が満了した旨を通知する。ネットワーク側は、該コネクションのうち制御情報（c-plane）を用いて、テンポラリー期間が満了した旨を通知する。テンポラリー期間が満了した旨の情報の具体例は、テンポラリー期間が満了したＣＳＧを識別する情報などがある。ＣＳＧを識別する情報の具体例は実施の形態１と同様であるので説明を省略する。これにより、複数のＣＳＧへのテンポラリー登録が許されているような移動体通信システムにおいて、どのＣＳＧへのテンポラリー登録のテンポラリー期間が満了したか、ネットワーク側が移動端末へ正確に通知することが可能となる。ネットワーク側のエンティティの具体例としては、でＭＭＥ、ＨＳＳなどがある。テンポラリー期間が満了した旨を通知したネットワーク側は、期限切れのＣＳＧ登録として該ＣＳＧ  ＩＤと該移動端末を関連付けての管理を終了する、あるいは該移動端末の該ＣＳＧ  ＩＤを期限切れのＣＳＧ登録としての管理開始を行わない。また、テンポラリー期間が満了した旨の通知を受けた移動端末は、移動端末内の許可ＣＳＧリストから該ＣＳＧ  ＩＤを削除する。これにより、移動端末とネットワーク側で整合性の取れた移動体通信システムを構築することが出来る。
【０２１３】
図２４に移動体通信システムの動作の一例として「テンポラリー延長期間」に具体例（１）を用いた場合を示す。図１３と同じ参照符号は相当する部分であるので、説明は省略する。ステップＳＴ２４０１にて移動端末Ａは、テンポラリー登録を行ったＣＳＧ  ＩＤ「１」を伴うＣＳＧセル１をサービングセルとして通話を開始する。ステップＳＴ２４０２にてＭＭＥは、通話中のテンポラリー登録のテンポラリー期間が満了するか否か判断する。満了する場合は、ステップＳＴ２４０３へ移行する。満了しない場合は、ステップＳＴ２４０６へ移行する。ステップＳＴ２４０３にてＭＭＥは、通話中のテンポラリー登録のテンポラリー期間を一定期間延長する。
【０２１４】
ステップ２４０４にて移動端末Ａは、ユーザなどが通話を終了するか否かを判断する。通話を終了する場合は、ステップＳＴ２４０５へ移行する。通話を終了しない場合は、ステップＳＴ２４０４の判断を繰り返す。ステップＳＴ２４０５にて移動端末Ａは、ＭＭＥへ通話終了を通知する。ステップＳＴ２４０６にてＭＭＥは、通話を終了するか否かを判断する。通話を終了する場合は、ステップＳＴ２４０７へ移行する。通話を終了しない場合は、ステップＳＴ２４０２へ戻る。
【０２１５】
ステップＳＴ２４０７にてＭＭＥは、通話中のテンポラリー登録のテンポラリー期間を延長したか否かを判断する。つまり当初の移動端末Ａのテンポラリー登録のテンポラリー期間が満了したか否かを判断する。テンポラリー期間を延長した場合、あるいは当初のテンポラリー期間が満了した場合、ステップＳＴ２４０８へ移行する。テンポラリー期間を延長しない場合、あるいは当初のテンポラリー期間が満了していない場合、ステップＳＴ２４１１へ移行する。
【０２１６】
ステップＳＴ２４０８にてＭＭＥは、移動端末へテンポラリー期間が満了した旨を、該テンポラリー登録に係るＣＳＧ  ＩＤを伴うＣＳＧセル経由にて通知する。本動作例では、ＭＭＥはＣＳＧセル１経由で移動端末に対して、該情報通知する。ステップＳＴ２４０９にてＭＭＥは、該登録に係るＣＳＧ  ＩＤを期限切れのＣＳＧ登録として管理することを開始しない。本動作例においては、ＭＭＥは移動端末ＡのＣＳＧ  ＩＤ「１」を期限切れのＣＳＧ登録としての管理を開始しない。ステップＳＴ２４１０にて移動端末Ａは、許可ＣＳＧリストから該ＣＳＧ  ＩＤを削除する。本動作例においては、移動端末Ａは、許可ＣＳＧリストからＣＳＧ  ＩＤ「１」を削除する。ステップＳＴ２４１１にて移動端末Ａは、通話を終了する。
【０２１７】
ステップＳＴ２４０７からステップＳＴ２４１０の一連の処理は行わなくても良い。また、ステップＳＴ２４０７からステップＳＴ２４１０の一連の処理とステップＳＴ２４１１の順序は任意である。
【０２１８】
図２５に移動体通信システムの動作の一例として「テンポラリー延長期間」に具体例（２）を用いた場合を示す。図１３、図２４と同じ参照符号は相当する部分であるので、説明は省略する。ステップＳＴ２４０６にてＭＭＥは、通話を終了するか否かを判断する。通話を終了する場合は、ステップＳＴ２４０２へ移行する。通話を終了しない場合は、ステップＳＴ２４０６の判断を繰り返す。ステップＳＴ２４０２にてＭＭＥは、通話中のテンポラリー登録のテンポラリー期間が満了するか否か判断する。満了する場合は、ステップＳＴ２４０８へ移行する。満了しない場合は、ステップＳＴ２４１１へ移行する。
【０２１９】
また、テンポラリー期間が満了した旨の通知を移動端末が受信した場合、許可ＣＳＧリストから該テンポラリー登録に関するＣＳＧ  ＩＤを削除する場合、など、移動端末がユーザに対してその旨を通知するようにしても良い。これによりユーザがテンポラリー期間満了を知ることができ、ユーザが使いやすい移動体通信システムを構築することが可能となる。
【０２２０】
ユーザへの通知方法の具体例として以下３つを開示する。（１）移動端末、あるいは移動端末が接続されたディスプレイに表示することで通知する。表示内容としてはローカルテンポラリー期間が満了するＣＳＧ  ＩＤなどがある。（２）通知音を用いて通知する。（３）バイブレータ機能を用いて通知する。
【０２２１】
実施の形態５により以下の効果を得ることが出来る。移動端末がテンポラリー登録を行っているＣＳＧ  ＩＤを伴うＣＳＧセル傘下にて通話中にテンポラリー期間が満了した場合であっても、該通話を継続することが可能となり、ユーザにとって使いやすい移動体通信システムを構築することが可能となる。
【０２２２】
また、ネットワーク側にて期限切れのＣＳＧ登録としての管理を終了させること、あるいは期限切れのＣＳＧ登録としての管理の開始を止めることが可能となり、テンポラリー登録する移動端末が多くなるにつれ、期限切れのＣＳＧ登録として管理するテンポラリー登録が増加することを防ぐことが可能となる。これにより、期限切れのＣＳＧ登録の管理に対するネットワーク側の処理負荷増加という上記課題１を解決することが出来る。
【０２２３】
更には、実施の形態１同様に、期限切れのＣＳＧ登録としての管理を終了させることが可能となったため、ページングの最適化を実行可能と出来る。これにより、本来テンポラリー登録の期間満了、あるいはＣＳＧ登録削除につき、サービスのサポートが不要な移動端末に対する、ＭＭＥや該ＣＳＧ  ＩＤを伴うＣＳＧセルにおける無駄なページング送信処理、ページング送信での無線リソースなどを削減することが出来る。
【０２２４】
さらには、ネットワークからのテンポラリー期間が満了した旨の通知により、移動端末は、自移動端末内の許可ＣＳＧリストから、該テンポラリー登録に係るＣＳＧ  ＩＤを削除することが可能となり、課題２を解決することが出来る。これにより、実施の形態２同様の効果を得ることが出来る。
【０２２５】
実施の形態５  変形例１．
実施の形態５の変形例１にて解決する課題は、実施の形態５と同様であるので、説明を省略する。
【０２２６】
実施の形態５の変形例１での解決策を以下に示す。ネットワーク側は、移動端末がテンポラリー登録を行っているＣＳＧ  ＩＤを伴うＣＳＧセル傘下にて通話中にテンポラリー期間が満了した場合、ハンドオーバを実行する。従来のハンドオーバは、移動端末からのメジャメントレポートを契機（トリガとも称される）として、ネットワーク主導の基で行われる。一方、本実施の形態の解決策では、移動端末からのメジャメントレポートを契機としてではなく、テンポラリー登録のテンポラリー期間の満了、あるいはテンポラリー登録のテンポラリー期間満了直前を契機として、ハンドオーバを開始する。あるいは、ＣＳＧ登録の削除を契機として、ハンドオーバを開始するとしても良い。
【０２２７】
さらに、以下実施することで、上記課題１及び課題２、課題３を合わせて解決することが出来る。解決策を２つ開示する。（１）実施の形態１、実施の形態１の変形例１、実施の形態２、実施の形態２の変形例１、実施の形態３、実施の形態３の変形例１、実施の形態３の変形例２、実施の形態４、実施の形態４の変形例１、実施の形態４の変形例２と組み合わせて用いる。
【０２２８】
（２）ネットワーク側は、通話状態において、該移動端末との間に確立されているコネクションを用いて、該移動端末に対してテンポラリー期間が満了した旨を通知する。ネットワーク側は、該コネクションのうち制御情報（c-plane）を用いて、テンポラリー期間が満了した旨を通知する。テンポラリー期間が満了した旨の情報の具体例は、テンポラリー期間が満了したＣＳＧを識別する情報などがある。ＣＳＧを識別する情報の具体例は実施の形態１と同様であるので説明を省略する。これにより、複数のＣＳＧへのテンポラリー登録が許されているような移動体通信システムにおいて、どのＣＳＧへのテンポラリー登録のテンポラリー期間が満了したか、ネットワーク側が移動端末へ正確に通知することが可能となる。ネットワーク側のエンティティの具体例としては、でＭＭＥ、ＨＳＳなどがある。ＭＭＥ、ＨＳＳなどは、ソースセルあるいはターゲットセル経由で移動端末へテンポラリー期間が満了した旨を通知する。テンポラリー期間が満了した旨を通知したネットワーク側は、期限切れのＣＳＧ登録として該ＣＳＧ  ＩＤと該移動端末を関連付けての管理を終了する、あるいは該移動端末の該ＣＳＧ  ＩＤを期限切れのＣＳＧ登録としての管理開始を行わない。また、テンポラリー期間が満了した旨の通知を受けた移動端末は、移動端末内の許可ＣＳＧリストから該ＣＳＧ  ＩＤを削除する。これにより、移動端末とネットワーク側で整合性の取れた移動体通信システムの構築することが出来る。
【０２２９】
図２６に移動体通信システムの動作の一例を示す。図１３、図２４と同じ参照符号は相当する部分であるので、説明は省略する。ステップＳＴ２４０２にてＭＭＥは、通話中のテンポラリー登録のテンポラリー期間が満了するか否か判断する。満了する場合は、ステップＳＴ２６０１へ移行する。満了しない場合は、ステップＳＴ２４０２の判断を繰り返す。ステップＳＴ２６０１にてＭＭＥは、サービングセルである該移動端末がテンポラリー登録をしたＣＳＧ  ＩＤを伴うＣＳＧセルへ該テンポラリー登録のテンポラリー期間が満了した旨の通知を行う。本動作例においては、ＭＭＥはＣＳＧセル１へ移動端末Ａのテンポラリー期間が満了した旨の通知を行う。ステップＳＴ２６０２にてＣＳＧセル１は、ステップＳＴ２６０１にてＭＭＥより移動端末Ａのテンポラリー期間が満了した旨の通知を受信したことを契機として、移動端末Ａに対するハンドオーバ処理を開始する。ハンドオーバ処理の具体例としては、ＣＳＧセル１は、移動端末Ａのハンドオーバ先であるターゲットセルを決定する。
【０２３０】
ターゲットセルの決定は、ＭＭＥが行っても良い。その場合、ステップＳＴ２６０３、ステップＳＴ２６０４についてもＭＭＥが行っても良い。さらに、ＭＭＥからソースセル（本動作例ではＣＳＧセル１）へＭＭＥが決定したターゲットセルの情報を、Ｓ１インタフェースを用いて通知しても良い。あるいは、ターゲットセルからソースセルに対してターゲットセルの情報を、Ｘ２インタフェースを用いて通知しても良い。ＭＭＥがネットワーク側管理の許可ＣＳＧリストを有する場合、移動端末の「適切なセル」をターゲットセルとして選択することが容易となる効果を得ることが出来る。
【０２３１】
ステップＳＴ２６０３にてＣＳＧセル１は、ステップＳＴ２６０２にて決定したターゲットセルに対して、ハンドオーバリクエスト（Handover Request）を通知する。そのさい、該ハンドオーバがテンポラリー登録のテンポラリー期間が満了したことを契機する旨の情報を通知しても良い。該情報をハンドオーバリクエストの情報要素として追加しても良い。ステップＳＴ２６０４にてターゲットセルは、ＣＳＧセル１に対して、ハンドオーバリクエスト応答（Handover Request Ack）を通知する。ステップＳＴ２６０５にてＣＳＧセル１は、移動端末Ａに対して、ＲＲＣ接続再設定メッセージ（RRC Connection Reconfiguration message）を通知する。ＲＲＣ接続再設定メッセージ中には、ターゲットセルの情報が含まれる。ターゲットセルの情報の具体例としては、新しいテンポラリーの移動端末識別子（C-RNTIと称されることもある）、ターゲットセルのセキュリティーアルゴリズムに関する情報、ＲＡＣＨ割当情報、ターゲットセルのシステム情報などがある。ステップＳＴ２６０６にてＣＳＧセル１は、ハンドオーバを可能とするために、ターゲットセルに対して移動端末Ａのデータを送信する。そのさい、該ハンドオーバがテンポラリー登録のテンポラリー期間が満了したことを契機する旨の情報を通知しても良い。
【０２３２】
ステップＳＴ２６０７にて移動端末Ａは、ターゲットセルに対してＲＲＣ接続再設定完了メッセージ（RRC Connection Reconfiguration Complete message）を通知する。ステップＳＴ２６０８にてターゲットセルは、ＭＭＥに対して移動端末Ａに関するパススイッチ要求メッセージを通知する。ステップＳＴ２６０９にてＭＭＥは、ターゲットセルに対して移動端末Ａに関するパススイッチ要求応答メッセージを通知する。そのさい、該パススイッチがテンポラリー登録のテンポラリー期間が満了したことを契機する旨の情報を通知しても良い。該情報をパススイッチ要求応答メッセージの情報要素として追加しても良い。ステップＳＴ２４０９にてＭＭＥは、ステップＳＴ２６０８にてパススイッチ要求メッセージを受信することにより、該登録に係るＣＳＧ  ＩＤを期限切れのＣＳＧ登録として管理することを開始しない。本動作例においては、ＭＭＥは移動端末ＡのＣＳＧ  ＩＤ「１」を期限切れのＣＳＧ登録としての管理を開始しない。ステップＳＴ２６０１にてＭＭＥがサービングセルである該移動端末がテンポラリー登録をしたＣＳＧ  ＩＤを伴うＣＳＧセルへ該テンポラリー登録のテンポラリー期間が満了した旨の通知をすることにより、ステップＳＴ２４０９を行うようにしても良い。ステップＳＴ２６１０にてターゲットセルは、ＣＳＧセル１に対して移動端末Ａに係るデータを削除しても良いことを通知する。具体例としては、移動端末Ａの「UE context」をリリースしても良いことを通知する。
【０２３３】
ステップＳＴ２６１１にてターゲットセルは、移動端末Ａに対して該テンポラリー登録のテンポラリー期間が満了した旨の通知を行う。ステップＳＴ２４１０にて移動端末Ａは、ステップＳＴ２６１１にて該テンポラリー登録のテンポラリー期間が満了した旨の通知を受信したことにより、許可ＣＳＧリストから該ＣＳＧ  ＩＤを削除する。本動作例においては、移動端末Ａは、許可ＣＳＧリストからＣＳＧ  ＩＤ「１」を削除する。ステップＳＴ２６０１にてＭＭＥがサービングセルに通知する情報を、サービングセルが移動端末に対して通知するようにしても良い。その場合、ステップＳＴ２６０１にて移動端末が該情報を受信したことにより、ステップＳＴ２４０９を行うようにしても良い。また、ステップＳＴ２６０５にてサービングセルであるＣＳＧセル１が移動端末Ａに通知するＲＲＣ接続再設定メッセージ中に、あるいはＲＲＣ接続再設定メッセージとともに、該テンポラリー登録のテンポラリー期間が満了した旨を通知してよい。その場合、ステップＳＴ２６０５にて移動端末が該情報受信したことにより、ステップＳＴ２４０９を行うようにしても良い。
【０２３４】
また、移動端末へテンポラリー期間が満了した旨の通知を受信した場合、許可ＣＳＧリストから該テンポラリー登録に関するＣＳＧ  ＩＤを削除する場合、など、移動端末がユーザに対してその旨を通知するようにしても良い。これによりユーザがテンポラリー期間満了を知ることができ、ユーザが使いやすい移動体通信システムを構築することが可能となる。
【０２３５】
ユーザへの通知方法の具体例として以下３つを開示する。（１）移動端末、あるいは移動端末が接続されたディスプレイに表示することで通知する。表示内容としてはローカルテンポラリー期間が満了するＣＳＧ  ＩＤなどがある。（２）通知音を用いて通知する。（３）バイブレータ機能を用いて通知する。
【０２３６】
実施の形態５の変形例１により、実施の形態５の効果に加えて以下の効果を得ることが出来る。実施の形態５の解決策においては、ネットワーク側は、テンポラリー登録を行っているＣＳＧ  ＩＤを伴うＣＳＧセル傘下における移動端末の通話終了を待つ必要がある。当初のテンポラリー期間が満了してから、該テンポラリー登録を行ったＣＳＧから該移動端末へのサービス供給を停止するまでの時間は、ユーザの行動に左右されることになる。一方、本実施の形態では、当初のテンポラリー期間が満了してから、該テンポラリー登録を行ったＣＳＧから該移動端末へのサービス供給を停止するまでの時間は、ユーザの動作に左右されることがない。よってユーザの動作という不確定要素を含むことのない、安定した移動体通信システムの構築が可能となる。また、該移動端末の該セル傘下での通話の終了を待たずして、該ＣＳＧ  ＩＤを伴うセルからの該移動端末へのサービスを停止することが可能となり、ＣＳＧセルの所有者（オーナー）、あるいはオペレータの意思を尊重した移動体通信システムを構築可能となる。
【０２３７】
実施の形態５  変形例２．
実施の形態５の変形例２にて解決する課題は、実施の形態５と同様であるので、説明を省略する。
【０２３８】
実施の形態５の変形例２での解決策を以下に示す。ネットワーク側は、移動端末がテンポラリー登録を行っているＣＳＧ  ＩＤを伴うＣＳＧセル傘下にて通話中にテンポラリー期間が満了した場合、該移動端末に対して、該テンポラリー登録のテンポラリー期間が満了した旨の通知を行う。該通知を契機にネットワーク側は、該ＣＳＧ  ＩＤを伴うＣＳＧセルからの該移動端末へのサービスを停止する。該通知を契機にネットワーク側は、該ＣＳＧ  ＩＤを伴うＣＳＧセルと移動端末との間の通話を切断するとしても良い。該通知を契機にネットワーク側は、該ＣＳＧ  ＩＤを伴うＣＳＧセルと移動端末との間の無線リンクを開放するとしても良い。
【０２３９】
さらに、以下実施することで、上記課題１及び課題２、課題３を合わせて解決することが出来る。解決策を２つ開示する。（１）実施の形態１、実施の形態１の変形例１、実施の形態２、実施の形態２の変形例１、実施の形態３、実施の形態３の変形例１、実施の形態３の変形例２、実施の形態４、実施の形態４の変形例１、実施の形態４の変形例２と組み合わせて用いる。
【０２４０】
（２）ネットワーク側は、通話状態から待受け状態へ移行するさい、該移動端末との間に確立されているコネクションを用いて、該移動端末に対してテンポラリー期間が満了した旨を通知する。ネットワーク側は、該コネクションのうち制御情報（c-plane）を用いて、テンポラリー期間が満了した旨を通知する。テンポラリー期間が満了した旨の情報の具体例は、テンポラリー期間が満了したＣＳＧを識別する情報などがある。ＣＳＧを識別する情報の具体例は実施の形態１と同様であるので説明を省略する。これにより、複数のＣＳＧへのテンポラリー登録が許されているような移動体通信システムにおいて、どのＣＳＧへのテンポラリー登録のテンポラリー期間が満了したか、ネットワーク側が移動端末へ正確に通知することが可能となる。ネットワーク側のエンティティの具体例としては、でＭＭＥ、ＨＳＳなどがある。テンポラリー期間が満了した旨を通知したネットワーク側は、期限切れのＣＳＧ登録として該ＣＳＧ  ＩＤと該移動端末を関連付けての管理を終了する、あるいは該移動端末の該ＣＳＧ  ＩＤを期限切れのＣＳＧ登録としての管理開始を行わない。また、テンポラリー期間が満了した旨の通知を受けた移動端末は、移動端末内の許可ＣＳＧリストから該ＣＳＧ  ＩＤを削除する。これにより、移動端末とネットワーク側で整合性の取れた移動体通信システムを構築することが出来る。
【０２４１】
図２７に移動体通信システムの動作の一例を示す。図１３、図２４と同じ参照符号は相当する部分であるので、説明は省略する。ステップＳＴ２４０６にてＭＭＥは、通話を終了するか否かを判断する。通話を終了する場合は、ステップＳＴ２４１１へ移行する。通話を終了しない場合は、ステップＳＴ２４０２へ移行する。ステップ２４０２にてＭＭＥは、通話中のテンポラリー登録のテンポラリー期間が満了するか否か判断する。満了する場合は、ステップＳＴ２４０８へ移行する。満了しない場合は、ステップＳＴ２４０６へ戻る。ステップＳＴ２４０８にてＭＭＥは、移動端末へテンポラリー期間が満了した旨を、該テンポラリー登録に係るＣＳＧ  ＩＤを伴うＣＳＧセル経由にて通知する。本動作例では、ＭＭＥはＣＳＧセル１経由で移動端末に対して、該情報通知する。ステップＳＴ２４０９にてＭＭＥは、該登録に係るＣＳＧ  ＩＤを期限切れのＣＳＧ登録として管理することを開始しない。本動作例においては、ＭＭＥは移動端末ＡのＣＳＧ  ＩＤ「１」を期限切れのＣＳＧ登録としての管理を開始しない。ステップＳＴ２４１０にて移動端末Ａは、許可ＣＳＧリストから該ＣＳＧ  ＩＤを削除する。本動作例においては、移動端末Ａは、許可ＣＳＧリストからＣＳＧ  ＩＤ「１」を削除する。
【０２４２】
また、移動端末へテンポラリー期間が満了した旨の通知を受信した場合、許可ＣＳＧリストから該テンポラリー登録に関するＣＳＧ  ＩＤを削除する場合、など、移動端末がユーザに対してその旨を通知するようにしても良い。これによりユーザがテンポラリー期間満了を知ることができ、ユーザが使いやすい移動体通信システムを構築することが可能となる。
【０２４３】
ユーザへの通知方法の具体例として以下３つを開示する。（１）移動端末、あるいは移動端末が接続されたディスプレイに表示することで通知する。表示内容としてはローカルテンポラリー期間が満了するＣＳＧ  ＩＤなどがある。（２）通知音を用いて通知する。（３）バイブレータ機能を用いて通知する。
【０２４４】
実施の形態５の変形例２により以下の効果を得ることが出来る。移動端末がテンポラリー登録を行っているＣＳＧ  ＩＤを伴うＣＳＧセル傘下にて通話中にテンポラリー期間が満了した場合であっても、テンポラリー期間が満了する旨をユーザへ通知後に、通話を切断することが可能となる。これにより、ユーザにとって使いやすい移動体通信システムを構築することが可能となる。
【０２４５】
また、ネットワーク側にて期限切れのＣＳＧ登録としての管理を終了させること、あるいは期限切れのＣＳＧ登録としての管理の開始を止めることが可能となり、テンポラリー登録する移動端末が多くなるにつれ、期限切れのＣＳＧ登録として管理するテンポラリー登録が増加することを防ぐことが可能となる。これにより、期限切れのＣＳＧ登録の管理に対するネットワーク側の処理負荷増加という上記課題１を解決することが出来る。
【０２４６】
更には、実施の形態１同様に、期限切れのＣＳＧ登録としての管理を終了させることが可能となったため、ページングの最適化を実行可能と出来る。これにより、本来テンポラリー登録の期間満了、あるいはＣＳＧ登録削除につき、サービスのサポートが不要な移動端末に対する、ＭＭＥや該ＣＳＧ  ＩＤを伴うＣＳＧセルにおける無駄なページング送信処理、ページング送信での無線リソースなどを削減することが出来る。
【０２４７】
さらには、ネットワークからのテンポラリー期間が満了した旨の通知により、移動端末は、自移動端末内の許可ＣＳＧリストから、該テンポラリー登録に係るＣＳＧ  ＩＤを削除することが可能となる。これにより、実施の形態２同様の効果を得ることが出来る。
【０２４８】
実施の形態５の解決策においては、ネットワーク側は、テンポラリー登録を行っているＣＳＧ  ＩＤを伴うＣＳＧセル傘下における移動端末の通話終了を待つ必要がある。当初のテンポラリー期間が満了してから、該テンポラリー登録を行ったＣＳＧから該移動端末へのサービス供給を停止するまでの時間は、ユーザの行動に左右されることになる。一方、本実施の形態では、当初のテンポラリー期間が満了してから、該テンポラリー登録を行ったＣＳＧから該移動端末へのサービス供給を停止するまでの時間は、ユーザの動作に左右されることがない。よってユーザの動作という不確定要素を含むことのない、安定した移動体通信システムの構築が可能となる。また、該移動端末の該セル傘下での通話の終了を待たずして、該ＣＳＧ  ＩＤを伴うセルからの該移動端末へのサービスを停止することが可能となり、ＣＳＧセルの所有者（オーナー）、あるいはオペレータの意思を尊重した移動体通信システムを構築可能となる。
【０２４９】
実施の形態６．
実施の形態６にて解決する課題について説明する。ハイブリッドアクセスモードで運用されるセルは、オープンアクセスモードとクローズドアクセスモードの両方をサポートする。よって、ハイブリッドアクセスモードのクローズドアクセスモードとしての動作に対してもテンポラリー登録が認められる可能性がある。一方、現在の３ＧＰＰでは、ハイブリッドモードで運用されるセルに対するテンポラリー登録に関する技術は開示されていない。ハイブリッドアクセスモードで運用されるセルでのテンポラリー登録のテンポラリー期間が満了した際に、ハイブリッドアクセスモードで運用されるセルがオープンアクセスモードとクローズドアクセスモードの両方をサポートすることを生かした、ユーザにとって使いやすいサービスが提供可能な移動体通信システムを構築する必要があるという課題が発生する。
【０２５０】
実施の形態６での解決策を以下に示す。移動端末がテンポラリー登録するＣＳＧ  ＩＤを伴うハイブリッドアクセスモードで運用されているセルに在圏している際、該テンポラリー登録のテンポラリー期間が満了した場合、ネットワーク側は、該移動端末をＣＳＧメンバーとしての扱いから非ＣＳＧメンバーとしての扱いへ変更する。言い換えると、該ハイブリッドアクセスモードで運用されているセルは、該移動端末に対して、クローズドアクセスモードとしての動作から、オープンアクセスモードとしての動作へ変更する。
【０２５１】
該ハイブリッドアクセスモードで運用されているセルは、該テンポラリー登録のテンポラリー期間が満了した場合であっても、該移動端末のキャンプオンを継続可能とする。該ハイブリッドアクセスモードで運用されているセルは、該テンポラリー登録のテンポラリー期間が満了した場合であっても、該移動端末の通話を継続可能とする。継続される該通話において、該移動端末を非ＣＳＧメンバーとして取り扱っても良い。
【０２５２】
図２８に待受け状態の移動端末でテンポラリー期間が満了した場合の移動体通信システムの動作の一例を示す。ステップＳＴ２８０１にて、移動端末Ｂ（ＵＥＢ）をＣＳＧ  ＩＤ「２」に対してテンポラリー登録する。ステップＳＴ２８０２にてネットワーク側、具体例としてＭＭＥは、移動端末ＢをＣＳＧ  ＩＤ「２」に登録し、ＣＳＧ  ＩＤ「２」を収録した許可ＣＳＧリストを管理する。ステップＳＴ２８０３にて移動端末Ｂは、ＣＳＧ  ＩＤ「２」を登録し、ＣＳＧ  ＩＤ「２」を収録した許可ＣＳＧリストを管理する。ステップＳＴ２８０４にて移動端末Ｂは、ＣＳＧセルとしてＣＳＧ  ＩＤ「２」を伴うハイブリッドアクセスモードで運用されているハイブリッドセル３をリセレクトする。つまり移動端末Ｂは、ＣＳＧ  ＩＤ「２」に対するＣＳＧメンバーとして、ハイブリッドセル３をリセレクトする。結果、移動端末Ｂは、ハイブリッドセル３へキャンプオンする。ステップＳＴ２８０５にて移動端末ＢのＣＳＧ  ＩＤ「２」へのテンポラリー期間が満了する。ステップＳＴ２８０６にてネットワーク側、具体例としてＭＭＥは、移動端末ＢのＣＳＧ  ＩＤ「２」への登録を期限切れのＣＳＧ登録（expired CSG subscriptions）として管理する。
【０２５３】
図２９に通話状態の移動端末でテンポラリー期間が満了した場合の移動体通信システムの動作の一例を示す。図２８と同じ参照符号は相当する部分であるので、説明は省略する。ステップＳＴ２９０１にて移動端末Ｂは、テンポラリー登録を行ったＣＳＧ  ＩＤ「２」を伴うハイブリッドセル３をサービングセルとして通話を開始する。つまり移動端末Ｂは、ＣＳＧ  ＩＤ「２」に対するＣＳＧメンバーとして、ハイブリッドセル３とコネクションを確立する。ステップＳＴ２８０５にて移動端末ＢのＣＳＧ  ＩＤ「２」へのテンポラリー期間が満了する。ステップＳＴ２８０６にてネットワーク側、具体例としてＭＭＥは、移動端末ＢのＣＳＧ  ＩＤ「２」への登録を期限切れのＣＳＧ登録（expired CSG subscriptions）として管理する。ステップＳＴ２９０２にて移動端末Ｂは、オープンアクセスモードを用いて、ハイブリッドセル３をサービングセルとして通話を継続する。つまり移動端末Ｂは、ＣＳＧ  ＩＤ「２」に対する非ＣＳＧメンバーとして、ハイブリッドセル３とコネクションを継続する。
【０２５４】
本実施の形態６は、実施の形態１、実施の形態１の変形例１、実施の形態２、実施の形態２の変形例１、実施の形態３、実施の形態３の変形例１、実施の形態３の変形例２、実施の形態５、実施の形態５の変形例１と組み合わせて用いることができる。
【０２５５】
実施の形態６により以下の効果を得ることが出来る。ハイブリッドアクセスモードで運用されているセルは、クローズドアクセスモードに対してのテンポラリー期間が満了した場合であっても、該登録に係る移動端末のキャンプオンを継続可能とすることができる。ハイブリッドアクセスモードで運用されているセルは、クローズドアクセスモードに対してのテンポラリー期間が満了した場合であっても、該登録に係る移動端末の通話を継続可能とできる。これにより、ハイブリッドアクセスモードで運用されるセルがオープンアクセスモードとクローズドアクセスモードの両方をサポートすることを生かした、ユーザにとって使いやすいサービスが提供可能となる。
【０２５６】
また、ハイブリッドアクセスモードで運用されているセルは、クローズドアクセスモードに対してのテンポラリー期間が満了した場合であっても、該登録に係る移動端末の通話を継続とする場合、該移動端末を非ＣＳＧメンバーとして取扱う事が可能となる。これにより、ＣＳＧセルの所有者（オーナー）、あるいはオペレータの意思を尊重した移動体通信システムを構築可能となる。
【０２５７】
実施の形態６  変形例１．
実施の形態６の変形例１にて解決する課題について説明する。実施の形態６の解決策を実行した場合において以下課題が発生する。現在の移動端末内の許可ＣＳＧリストの更新方法では、該ＣＳＧ  ＩＤを削除するためには、テンポラリー登録の期間満了したＣＳＧ  ＩＤを伴うセルからの拒絶（reject）のメッセージを受信する必要がある。しかし実施の形態６により、該ハイブリッドアクセスモードで運用されているセルは、該テンポラリー登録のテンポラリー期間が満了した場合であっても、該移動端末のキャンプオンを継続可能となる。該ハイブリッドアクセスモードで運用されているセルは、該テンポラリー登録のテンポラリー期間が満了した場合であっても、該移動端末の通話を継続可能となる。よって該移動端末は、該テンポラリー登録のテンポラリー期間が満了になった場合であっても、該テンポラリー登録に係るＣＳＧ  ＩＤを伴うハイブリッドアクセスモードで運用されているセルから拒絶の通知を受信することはない。よって、現在の移動端末内の許可ＣＳＧリストの更新方法では、移動端末内の許可ＣＳＧリストから該テンポラリー登録に係るＣＳＧ  ＩＤが削除されないこととなり、上記課題２が発生する。
【０２５８】
上記においては、テンポラリー登録のテンポラリー期間が満了になった場合を中心に説明した。一方、ハイブリッドアクセスモードで運用されているセルのＣＳＧへの登録が、何らかの理由で削除された場合においても同様の課題が発生する。
【０２５９】
また、ネットワーク側管理の許可ＣＳＧリストでは、該移動端末の該ＣＳＧ  ＩＤが登録されていないことにより、ネットワーク側では非ＣＳＧメンバーとして扱われるにも関わらず、該移動端末内の許可ＣＳＧリストに該ＣＳＧ  ＩＤが残存することにより、ユーザはＣＳＧメンバーとしてのサービスを享受できると間違った認識を持つという課題が発生する。当該課題が発生するサービスとして、例えば、ＣＳＧメンバーがパケット量に関わらず一定の通信料を負担するサービスや、非ＣＳＧメンバーがパケット量に応じた通信料を負担するサービスなどが考えられる。このようなサービスの場合、ネットワーク側では非ＣＳＧメンバーとして扱われ、パケット量に応じた通信料が加算されるのにも関わらず、ユーザはＣＳＧメンバーとしてのサービスを享受できると間違って認識することが原因で、パケット量に関わらず一定の通信料であるとの理解の基、大量のパケット通信を行い高額の通信料を負担する場合など、ユーザが不利益を被るという課題が発生する。
【０２６０】
実施の形態６の変形例１での解決策を以下に示す。移動端末のテンポラリー登録のテンポラリー期間が満了した場合、テンポラリー期間が満了したテンポラリー登録に係るＣＳＧ  ＩＤを伴うハイブリッドアクセスモードで運用されるセル経由で行われた、該移動端末からの要求に対して、ネットワーク側が受諾（accept、attach accept）応答する場合に、該移動端末のＣＳＧ登録状況を移動端末へ通知する。あるいは、ＣＳＧ登録が削除された場合、登録が削除されたＣＳＧ  ＩＤを伴うハイブリッドアクセスモードで運用されるセル経由で行われた、該移動端末からの要求に対して、ネットワーク側が受諾（accept、attach accept）応答する場合にも、該移動端末のＣＳＧ登録状況を移動端末へ通知する。ＣＳＧ登録状況の具体例は、実施の形態２の変形例１と同様であるので、説明を省略する。あるいはＣＳＧ登録状況として該移動端末がオープンアクセスモードを使用している旨、あるいはクローズドアクセスモードを使用していない旨の通知を行っても良い。移動端末は該ＣＳＧ登録状況を確認し、確認の結果テンポラリー期間が満了したＣＳＧ登録、削除されたＣＳＧ登録、オープンアクセスモードの使用通知があれば、自移動端末内の許可ＣＳＧリストから該ＣＳＧ  ＩＤを削除する。
【０２６１】
移動端末の要求に対して応答するネットワーク側のエンティティの具体例としては、ＭＭＥ、あるいはＨＳＳ（Home Subscriber Server）などがある。移動端末からネットワーク側への要求の具体例は、実施の形態３と同様であるので、説明を省略する。
【０２６２】
ネットワーク側が移動端末への応答の具体例として以下３つを開示する。（１）移動端末がＥＰＳ（Evolved Packet system）ベアラを設定（establish）するための方法である「E-UTRAN initial attach」を行った結果、ネットワーク側から通知する受諾（accept、attach accept）のメッセージ。（２）移動端末が、ユーザプレイン（u-plane）無線（radio）ベアラをセットアップするための方法である「UE triggered service Request」を行った結果、ネットワーク側から通知する受諾（accept、attach accept）のメッセージ。（３）移動端末が、トラッキングエリアを更新するための方法である「E-UTRAN Tracking Area update」を行った結果、ネットワーク側から通知する受諾（accept、attach accept）のメッセージ。
【０２６３】
ネットワーク側（ＭＭＥ、基地局など）が移動端末へ「該移動端末のＣＳＧ当登録状況」を通知する方法の具体例は、実施の形態３と同様であるので、説明を省略する。
【０２６４】
さらに、以下実施することで、上記課題１を合わせて解決することが出来る。解決策を２つ開示する。（１）実施の形態１及び実施の形態１の変形例１と組み合わせて用いる。（２）テンポラリー期間が満了したテンポラリー登録に係るＣＳＧ  ＩＤを伴うハイブリッドアクセスモードで運用されるセル、あるいは登録が削除されたＣＳＧ  ＩＤを伴うハイブリッドアクセスモードで運用されるセル経由で行われた、該移動端末からの要求に対して、ネットワーク側が受諾（accept、attach accept）応答にて該移動端末のＣＳＧ登録状況を移動端末へ通知する場合に以下を実行する。ネットワーク側は、該移動端末の該ＣＳＧ  ＩＤを期限切れのＣＳＧ登録の管理から削除する。これにより、移動端末内の許可ＣＳＧリストから該ＣＳＧ  ＩＤが削除されるときに、ネットワーク側の期限切れのＣＳＧ登録として該ＣＳＧ  ＩＤと該移動端末を関連付けての管理を終了することで、移動端末とネットワーク側で整合性の取れた移動体通信システムを構築することが出来る。
【０２６５】
図３０に待受け状態の移動端末でテンポラリー期間が満了した場合の移動体通信システムの動作の一例を示す。図２８と同じ参照符号は相当する部分であるので、説明は省略する。ステップＳＴ２８０１にて、移動端末Ｂ（ＵＥＢ）をＣＳＧ  ＩＤ「２」に対してテンポラリー登録する。ステップＳＴ３００１にて移動端末Ｂは、発呼要求があるか否かを判断する。発呼する場合は、ステップＳＴ３００２へ移行する。発呼しない場合は、ステップＳＴ３００１の判断を繰り返す。ステップＳＴ３００２にて移動端末Ｂは、ハイブリッドセル３経由でＭＭＥへユーザプレイン無線ベアラのセットアップ要求を通知する。具体例として移動端末Ｂは、「UE triggered service Request」を通知する。
【０２６６】
ステップＳＴ３００３にてＭＭＥは、ユーザプレイン無線ベアラのセットアップ要求に対して、移動端末Ｂへ受諾（accept、attach accept）を通知する。このとき、移動端末ＢのＣＳＧ  ＩＤ「２」へのテンポラリー期間が満了しているため、ネットワーク側管理の許可ＣＳＧリストには、移動端末ＢのＣＳＧ  ＩＤ「２」は登録された状態で管理されていない。よってＭＭＥは、ハイブリッドセル３が伴うＣＳＧ  ＩＤ「２」に関して移動端末Ｂを非ＣＳＧメンバーであると判断する。しかし、ユーザプレイン無線ベアラのセットアップ要求に対して、移動端末Ｂへ拒絶を通知するのではなく、ハイブリッドセル３におけるオープンアクセスモードの存在により受諾を通知する。
【０２６７】
ここで、ＭＭＥは移動端末の要求に対して、受諾を通知する場合、オープンアクセスモードを対象にしたか、クローズドアクセスモードを対象にしたかの情報をハイブリッドセルへ通知しても良い。これにより、ハイブリッドアクセスモードで運用されるセル単体においてオープンアクセスモードで接続する移動端末と、クローズドアクセスモードで接続する移動端末と異なる制御を行うことが可能となる。具体例としては、クローズドアクセスモードで接続する移動端末を、オープンアクセスモードで接続する移動端末より優先的に取扱うなどである。オープンアクセスモードを対象にしたか、クローズドアクセスモードを対象にしたかの情報の具体例としては、オープンアクセスモードであるか否か、クローズドアクセスモードであるか否か、オープンアクセスモードかクローズドアクセスモードかの別、などがある。
【０２６８】
ステップＳＴ３００４にてＭＭＥは、テンポラリー期間が満了した旨を移動端末Ｂへ通知する。あるいはオープンアクセスモードを使用している旨、あるいはクローズドアクセスモードを使用していない旨の通知を行っても良い。ステップＳＴ３００３とステップＳＴ３００４は同時であっても良い。また、テンポラリー期間が満了した旨をＴＡＵ受諾メッセージの情報要素の一部として通知しても良い。これにより、サービングセルの下りスケジューリングを１度実行するだけで良くなり、サービングセルの処理負荷軽減、及び無線リソースの有効活用という効果を得ることが出来る。
【０２６９】
ステップＳＴ３００５にてＭＭＥは、移動端末への応答にて「該移動端末のＣＳＧ登録状況」としてテンポラリー期間が満了した旨などを通知したＣＳＧ  ＩＤについて、該移動端末の該ＣＳＧ  ＩＤを期限切れのＣＳＧ登録の管理から削除する。本動作例においては、移動端末ＢのＣＳＧ  ＩＤ「２」を期限切れのＣＳＧ登録の管理から削除する。ステップＳＴ３００６にて移動端末Ｂは、ステップＳＴ３００４にて送信されたＣＳＧ登録状況にテンポラリー期間が満了したＣＳＧ登録、削除されたＣＳＧ登録が含まれていれば、あるいはオープンアクセスモードを使用している旨、あるいはクローズドアクセスモードを使用していない旨が含まれていれば、自移動端末内の許可ＣＳＧリストから該ＣＳＧ  ＩＤを削除する。本動作例においては、ＣＳＧ登録にて、テンポラリー期間が満了したＣＳＧ登録としてＣＳＧ  ＩＤ「２」を確認し、ＣＳＧ  ＩＤ「２」を移動端末内の許可ＣＳＧリストから削除する。
【０２７０】
通話状態の移動端末でテンポラリー期間が満了した場合の移動体通信システムの動作の一例を以下に開示する。移動端末Ｂ（ＵＥＢ）をＣＳＧ  ＩＤ「２」に対してテンポラリー登録したとして説明する。移動端末Ｂは、テンポラリー登録を行ったＣＳＧ  ＩＤ「２」を伴うハイブリッドセル３をサービングセルとして通話を開始する。つまり移動端末Ｂは、ＣＳＧ  ＩＤ「２」に対するＣＳＧメンバーとして、ハイブリッドセル３とコネクションを確立する。その後、移動端末ＢのＣＳＧ  ＩＤ「２」へのテンポラリー期間が満了する。これ以降の動作を２つ開示する。
【０２７１】
（１）ＭＭＥは、ＣＳＧメンバーとしてハイブリッドセル３と移動端末Ｂの間で確立しているコネクションを用いて、テンポラリー期間が満了した旨を移動端末Ｂへ通知する。あるいはオープンアクセスモードを使用している旨、あるいはクローズドアクセスモードを使用していない旨の通知を行っても良い。その後、ネットワーク側管理の許可ＣＳＧリストから、移動端末ＢのＣＳＧ  ＩＤ「２」への登録を削除するが、移動端末ＢのＣＳＧ  ＩＤ「２」への登録を期限切れのＣＳＧ登録（expired CSG subscriptions）として管理することを開始しない。移動端末Ｂは、テンポラリー期間が満了したＣＳＧ登録（ＣＳＧ  ＩＤ「２」）に関して、自移動端末内の許可ＣＳＧリストから該ＣＳＧ  ＩＤを削除する。移動端末Ｂは、オープンアクセスモードを用いてハイブリッドセル３をサービングセルとして通話を継続する。つまり移動端末Ｂは、ＣＳＧ  ＩＤ「２」に対する非ＣＳＧメンバーとして、ハイブリッドセル３とコネクションを継続する。
【０２７２】
（２）ＭＭＥは、移動端末ＢのＣＳＧ  ＩＤ「２」への登録を期限切れのＣＳＧ登録（expired CSG subscriptions）として管理する。移動端末Ｂは、オープンアクセスモードを用いてハイブリッドセル３をサービングセルとして通話を継続する。つまり移動端末Ｂは、ＣＳＧ  ＩＤ「２」に対する非ＣＳＧメンバーとして、ハイブリッドセル３とコネクションを継続する。ＭＭＥは、非ＣＳＧメンバーとしてハイブリッドセル３と移動端末Ｂの間で確立しているコネクションを用いて、移動端末Ｂへテンポラリー期間が満了した旨を通知する。その後、移動端末ＢのＣＳＧ  ＩＤ「２」への登録を期限切れのＣＳＧ登録（expired CSG subscriptions）として管理を終了する。移動端末Ｂは、テンポラリー期間が満了したＣＳＧ登録（ＣＳＧ  ＩＤ「２」）に関して自移動端末内の許可ＣＳＧリストから該ＣＳＧ  ＩＤを削除する。
【０２７３】
また、テンポラリー期間が満了した旨の通知を移動端末が受信した場合、あるいはオープンアクセスモードを使用している旨、あるいはクローズドアクセスモードを使用していない旨を受信した場合、許可ＣＳＧリストから該テンポラリー登録に関するＣＳＧ  ＩＤを削除する場合、など、移動端末がユーザに対してその旨を通知するようにしても良い。これによりユーザがテンポラリー期間満了を知ることができ、ユーザが使いやすい移動体通信システムを構築することが可能となる。
【０２７４】
ユーザへの通知方法の具体例として以下３つを開示する。（１）移動端末、あるいは移動端末が接続されたディスプレイに表示することで通知する。表示内容としてはローカルテンポラリー期間が満了するＣＳＧ  ＩＤなどがある。（２）通知音を用いて通知する。（３）バイブレータ機能を用いて通知する。
【０２７５】
本実施の形態６の変形例１は、実施の形態１、実施の形態１の変形例１、実施の形態２、実施の形態２の変形例１、実施の形態３、実施の形態３の変形例１、実施の形態３の変形例２、実施の形態５、実施の形態５の変形例１と組み合わせて用いることができる。
【０２７６】
実施の形態６の変形例１により、実施の形態６の効果に加えて以下の効果を得ることが出来る。ハイブリッドアクセスモードで運用されているＣＳＧに対しての、テンポラリー登録の満了時に、ネットワーク側から該移動端末へ該移動端末のＣＳＧ登録状況が通知される。この通知により、ネットワーク側の期限切れのＣＳＧ登録としての、該移動端末の、該テンポラリー登録に係るＣＳＧ  ＩＤの管理を終了することが可能となる。これにより上記課題１を解決することが出来る。よって、実施の形態１と同様の効果を得ることが出来る。
【０２７７】
また、移動端末のＣＳＧ登録状況をネットワーク側から該移動端末へ通知することにより、該移動端末が、自移動端末内の許可ＣＳＧリストから該ＣＳＧ  ＩＤを削除する。これにより上記課題２を解決することが出来る。よって、実施の形態２同様の効果を得ることが出来る。また本実施の形態６の変形例１では移動端末は、ネットワーク側から送られてきたＣＳＧ登録状況を確認することから、移動端末とネットワーク側で整合性の取れた移動体通信システムを構築することが出来るという更なる効果を得ることが出来る。
【０２７８】
また、ハイブリッドアクセスモードで運用されているセルにおいて、テンポラリー登録のテンポラリー期間が満了したことなどにより、ＣＳＧメンバーとしての取扱いから非ＣＳＧメンバーとしての取扱いに変更となったことを、移動端末またはユーザが知ることができるようになったため、ユーザにとって使いやすい移動体通信システムの構築が可能となる。
【０２７９】
実施の形態７．
実施の形態７にて解決する課題について説明する。通常のＣＳＧメンバー登録であっても、何らかの理由で該登録を削除する場合が存在する。現在の移動端末内の許可ＣＳＧリストの更新方法では、ＣＳＧメンバー登録の削除に係る該ＣＳＧ  ＩＤを削除するためには、登録の削除に係るＣＳＧ  ＩＤを伴うセルからの拒絶（reject）のメッセージを受信する必要がある。移動端末がＣＳＧセルのカバレッジエリアから離れた後、該移動端末の該ＣＳＧセルが伴うＣＳＧ  ＩＤへの登録を削除した場合は、該ＣＳＧセルから拒絶（reject）されることはない。このように、ネットワーク側管理の許可ＣＳＧリストと移動端末内の許可ＣＳＧリストの不整合が継続することにより上記課題２が発生する。
【０２８０】
また、以下の状況が発生し、それに伴い以下の課題４が発生する。セルのオーナー、あるいはオペレータなどの意思などにより、ＣＳＧメンバー登録の削除を理由にネットワーク側管理の許可ＣＳＧリストに含まれなくなったＣＳＧ  ＩＤであっても、移動端末内の許可ＣＳＧリストからは削除されていないために、移動端末の自動モードにおけるＣＳＧセルセレクション、リセレクションにて該ＣＳＧ  ＩＤを伴うセルを選択、あるいはキャンプオンする状況が発生する。つまり、移動端末がその後のサービスを受けることが出来ないセルを選択、あるいはキャンプオンする状況が発生する。
【０２８１】
この状況により、前述の現行のページング方法においては、以下の通り課題４が発生する。削除されたＣＳＧ  ＩＤを伴うＣＳＧセルがページングの最適化を実行する場合は、該ＣＳＧセルから該移動端末宛のページングメッセージが送信されない。上記の状況の通り、移動端末内の許可ＣＳＧリストから該ＣＳＧ  ＩＤが削除されないため、移動端末の自動モードによって該削除されたＣＳＧ  ＩＤを伴うＣＳＧセルへ該移動端末がキャンプオンしている場合を検討する。該ＣＳＧ  ＩＤを伴うＣＳＧセルから、該移動端末宛のページングメッセージは送信されないことから、該移動端末はページングメッセージを受信できず、該移動端末からのページングに対する応答は行われない。該移動端末からのページングに対する応答が無いことを契機に、ネットワーク側はページング最適化を行わずに、ページングの反復を実行する。該移動端末は、削除されたＣＳＧ  ＩＤを伴うＣＳＧセル経由でページングに対する応答を行う。ネットワーク側管理の許可ＣＳＧリストでは、該移動端末の該ＣＳＧ  ＩＤは削除されていることから、該移動端末からの該ページングの応答は拒絶される。該拒絶を受信した該移動端末は、該ＣＳＧ  ＩＤを移動端末内の許可ＣＳＧセルリストから削除する。これにより該移動端末は、該ＣＳＧ  ＩＤ以外のＣＳＧ  ＩＤであって、移動端末内の許可ＣＳＧリスト中に含まれるＣＳＧ  ＩＤを伴うＣＳＧセル、あるいはｎｏｎ−ＣＳＧセルをリセレクトし、該セルからのページングメッセージを受信する。該移動端末は、該ページングメッセージへ応答し、該セル経由でページング応答の受諾の通知を受信する。
【０２８２】
上記のように、（１）通常のページングによりページングの最適化を実行、（２）移動端末からページング応答が無いことによりネットワーク側からのページングが反復、（３）移動端末による、未登録のＣＳＧ  ＩＤを伴うＣＳＧセル経由でのページングへの応答、（４）ネットワークにて未登録を理由にページング応答に対する拒絶を通知、（５）移動端末による、移動端末内の許可ＣＳＧリストを更新、（６）移動端末による、他セルをリセレクト、（７）移動端末による、登録済みのＣＳＧセル、あるいはｎｏｎ−ＣＳＧセル経由でのページングへ応答、という処理の流れになる。このように、（１）（２）にて移動体通信システムとして制御遅延の蓄積が起こるという課題４が発生する。また、ページングの反復が行われるため、無線リソースの無駄も発生する。
【０２８３】
図３１にて上記の課題３が発生する具体的動作例を説明する。ステップＳＴ３１０１にて、移動端末Ｃ（ＵＥＣ）をＣＳＧ  ＩＤ「３」に対して登録する。ステップＳＴ３１０２にてネットワーク側、具体例としてＭＭＥは、移動端末ＣをＣＳＧ  ＩＤ「３」に登録し、ＣＳＧ  ＩＤ「３」を収録した許可ＣＳＧリストを管理する。ステップＳＴ３１０３にて移動端末Ｃは、ＣＳＧ  ＩＤ「３」を登録しＣＳＧ  ＩＤ「３」を収録した許可ＣＳＧリストを管理する。ステップＳＴ３１０４にて待受け状態の移動端末Ｃは、ＣＳＧ  ＩＤ「３」を伴うＣＳＧセル４をセルリセレクトする。つまり、移動端末Ｃは、ＣＳＧメンバーとしてＣＳＧセル４にキャンプオンする。
【０２８４】
ステップＳＴ３１０５にて移動端末ＣのＣＳＧ  ＩＤ「３」への登録が削除される。ステップＳＴ３１０６にてネットワーク側、具体例としてＭＭＥは、移動端末ＣのＣＳＧ  ＩＤ「３」への登録を、ネットワーク側管理の許可ＣＳＧリストから削除する。ステップＳＴ３１０７にてＭＭＥは、移動端末Ｃ宛のページングが発生するか否か判断する。移動端末Ｃ宛のページングが発生する場合はステップＳＴ３１０８へ移行し、発生しない場合はステップＳＴ３１０７の判断を繰り返す。
【０２８５】
ステップＳＴ３１０８にてネットワーク側、具体例としてＭＭＥは、移動端末Ｃへのページングに関して、ページングの最適化を実行する。ページング最適化の具体的動作例では、ページングメッセージ中に移動端末Ｃのネットワーク側管理の許可ＣＳＧリストが含まれている場合、許可ＣＳＧリストに含まれないＣＳＧ  ＩＤを伴うＣＳＧセルへはページングを通知しない。本動作例においては、ＭＭＥは移動端末Ｃが属するトラッキングエリア内のＣＳＧ  ＩＤ「３」を伴うＣＳＧセルへ、ページングを通知しない。つまり、ＣＳＧセル４へ該ページングを通知しない。
【０２８６】
ステップＳＴ３１０９にてネットワーク側、具体例としてＭＭＥは、移動端末Ｃが属するトラッキングエリア内のマクロセル５へ移動端末Ｃ宛のページングを送信する。ステップＳＴ３１１０にてマクロセル５は、移動端末Ｃ宛のページング送信処理を行う。処理の具体例としては、物理下り共有チャネル（ＰＤＳＣＨ）にページングメッセージをマッピングするためのスケジューリングなどがある。ステップＳＴ３１１１にてマクロセル５は、移動端末Ｃ宛にページングを送信する。移動端末Ｃは、ＣＳＧセル４へキャンプオンしていることから、マルコセル５のページングをモニタしていない。
【０２８７】
ステップＳＴ３１１２にてネットワーク側、具体例としてＭＭＥは、移動端末Ｃからのページング送信に対する応答の有無を判断する。応答が無かった場合、ステップＳＴ３１１３へ移行する。応答があった場合、本実施の形態の特徴部分ではないので説明を省略する。ステップＳＴ３１１３にてネットワーク側、具体例としてＭＭＥはページングの反復を実行する。ステップＳＴ３１１４にてネットワーク側、具体例としてＭＭＥは、移動端末Ｃへのページングに関して、ページングの最適化を行わない。何故ならば、ページングの反復を実行する場合、ページングの最適化用実行しないことが現在の規格にて決定されている。ステップ３１０８からステップＳＴ３１１４のように上記課題４が発生する。
【０２８８】
ステップＳＴ３１１５にてネットワーク側、具体例としてＭＭＥは、マクロセル５へ移動端末Ｃ宛のページングを送信する。ステップＳＴ３１１６にてネットワーク側、具体例としてＭＭＥは、ＣＳＧセル４へ移動端末Ｃ宛のページングを送信する。ステップＳＴ３１１７にてマクロセル５は、移動端末Ｃ宛のページング送信処理を行う。処理の具体例としては、物理下り共有チャネル（ＰＤＳＣＨ）にページングメッセージをマッピングするためのスケジューリングなどがある。ステップＳＴ３１１８にてマクロセル５は、移動端末Ｃ宛にページングを送信する。ステップＳＴ３１１９にてＣＳＧセル４は、移動端末Ｃ宛のページング送信処理を行う。処理の具体例としては、物理下り共有チャネル（ＰＤＳＣＨ）にページングメッセージをマッピングするためのスケジューリングなどがある。ステップＳＴ３１２０にてＣＳＧセル４は、移動端末Ｃ宛にページングを送信する。ステップＳＴ３１２１にて移動端末Ｃは、ＣＳＧセル４からページングを受信し、ページング受信処理を行う。ステップＳＴ３１２２にて移動端末Ｃは、ＣＳＧセル４経由でＭＭＥへページング応答を送信する。
【０２８９】
実施の形態７での解決策を以下に示す。ＣＳＧメンバー登録を削除された場合、ネットワークにて、該移動端末の該ＣＳＧ  ＩＤを期限切れのＣＳＧ登録として管理する。ＣＳＧメンバー登録を削除された場合、ネットワーク側にてテンポラリー登録のテンポラリー期間が満了した場合と同様の管理、及び制御を行う。
【０２９０】
これにより、現行のページング方法にてページングの最適化用には、期限切れのＣＳＧ登録（expired CSG subscriptions）は有効なＣＳＧ登録（valid CSG subscriptions）のように扱うとされているため、ＣＳＧメンバー登録が削除された場合においても、該移動端末宛のページングに対してページングの最適化が実行されない。つまり図３１を用いて説明すると、ステップＳＴ３１０８が行われないことにより、ステップＳＴ３１０９からステップＳＴ３１１３までを削減できる。よって課題４を解決することが出来る。
【０２９１】
また本実施の形態７での解決策では、現存するネットワーク側の「期限切れのＣＳＧ登録」の技術を用いるため、ネットワークの負荷の増加を防止しつつ課題４を解決できるという効果を得ることができる。これにより、移動体通信システムの複雑性回避という効果を得ることができる。
【０２９２】
本実施の形態７は、実施の形態１、実施の形態１の変形例１、実施の形態２、実施の形態２の変形例１、実施の形態３、実施の形態３の変形例１、実施の形態３の変形例２、実施の形態４、実施の形態４の変形例１、実施の形態４の変形例２、実施の形態５、実施の形態５の変形例１、実施の形態６、実施の形態６の変形例１と組み合わせて用いることができる。
【０２９３】
実施の形態７  変形例１．
実施の形態７の変形例１にて解決する課題は、実施の形態７と同様であるので、説明を省略する。
【０２９４】
実施の形態７の変形例１での解決策を以下に示す。ＣＳＧメンバー登録を削除された場合、ネットワークにて、該移動端末の該ＣＳＧ  ＩＤを期限切れのＣＳＧ登録とは別に、「削除のＣＳＧ登録（削除 CSG subscriptions）」として管理する。ページングの最適化用には、削除のＣＳＧ登録（削除 CSG subscriptions）は有効なＣＳＧ登録（valid CSG subscriptions）のように扱う。これにより、ＣＳＧメンバー登録が削除された場合においても、該移動端末宛のページングに対してページングの最適化が実行されない。つまり図３１を用いて説明すると、ステップＳＴ３１０８が行われないことにより、ステップＳＴ３１０９からステップＳＴ３１１３までを削減できる。よって課題４を解決することが出来る。
【０２９５】
また本実施の形態７の変形例１での解決策では、現存するネットワーク側の「期限切れのＣＳＧ登録」とは別に「削除のＣＳＧ登録」を管理、及び制御するため、移動体通信システムとして柔軟な仕様変更などに対応可能となる、効果を得ることが出来る。
【０２９６】
本実施の形態７の変形例１の「削除のＣＳＧ登録」には、実施の形態１、実施の形態１の変形例１、実施の形態２、実施の形態２の変形例１、実施の形態３、実施の形態３の変形例１、実施の形態３の変形例２、実施の形態４、実施の形態４の変形例１、実施の形態４の変形例２、実施の形態５、実施の形態５の変形例１、実施の形態６、実施の形態６の変形例１が適用可能である。
【０２９７】
ＣＳＧセルとしてＨｏｍｅ−ｅＮＢが用いられるＬＴＥ方式を用いた通信システムについて示したが、ＣＳＧセルとしてＨｏｍｅ−ＮＢが用いられるＵＭＴＳ方式の通信システムの場合でも、本発明は適用可能である。
【０２９８】
ＣＳＧセルとしてＨｏｍｅ−ＮＢが用いられるＵＭＴＳ方式の通信システムの場合は、基地局（Ｈｏｍｅ−ＮＢ、ＮＢ）とコアネットワークの間にＲＮＣを設け、ＲＲＣコネクション要求などのＲＲＣメッセージは移動端末とＲＮＣ間で送受信を行うようにすれば良く、ＴＡＵ要求などのＮＡＳメッセージは移動端末から基地局（Ｈｏｍｅ−ＮＢ、ＮＢ）およびＲＮＣを介してコアネットワークへ送受信されるようにすれば良い。こうすることによって、ＣＳＧセルとしてＨｏｍｅ−ＮＢが用いられるＵＭＴＳ方式の通信システムの場合でも適用可能となる。
【符号の説明】
【０２９９】
１  ＣＳＧセル、２  マクロセル、３  ハイブリッドセル、４  ＣＳＧセル、５  マクロセル、７１  移動端末（ＵＥ）、７２  基地局、７３  ＭＭＥ、３１１  移動端末、３１２  基地局、８０１  プロトコル処理部、８０２  アプリケーション部、８０３  送信データバッファ部、８０４  エンコーダー部、８０５  変調部、８０６  周波数変換部、８０７  アンテナ、８０８  復調部、８０９  デコーダー部、８１０  制御部、９０１  ＥＰＣ通信部、９０２  他基地局通信部、９０３  プロトコル処理部、９０４  送信データバッファ部、９０５  エンコーダー部、９０６  変調部、９０７  周波数変換部、９０８  アンテナ、９０９  復調部、９１０  デコーダー部、９１１  制御部、１００１  ＧＷ通信部、１００２  基地局通信部、１００３  ユーザプレイン処理部、１００４  通信部、１００５  制御プレイン制御部、１００５−１  ＮＡＳセキュリティ部、１００５−２  ＳＡＥベアラコントロール部、１００５―３  アイドルステートモビリティ管理部、１００６  制御部、１１０１  ＥＰＣ通信部、１１０２  基地局通信部、１１０３  ロケーション処理部、１１０４  制御部。
【図１】
2014220827.tif 000003
【図２】
2014220827.tif 000004
【図３】
2014220827.tif 000005
【図４】
2014220827.tif 000006
【図５】
2014220827.tif 000007
【図６】
2014220827.tif 000008
【図７】
2014220827.tif 000009
【図８】
2014220827.tif 000010
【図９】
2014220827.tif 000011
【図１０】
2014220827.tif 000012
【図１１】
2014220827.tif 000013
【図１２】
2014220827.tif 000014
【図１３】
2014220827.tif 000015
【図１４】
2014220827.tif 000016
【図１５】
2014220827.tif 000017
【図１６】
2014220827.tif 000018
【図１７】
2014220827.tif 000019
【図１８】
2014220827.tif 000020
【図１９】
2014220827.tif 000021
【図２０】
2014220827.tif 000022
【図２１】
2014220827.tif 000023
【図２２】
2014220827.tif 000024
【図２３】
2014220827.tif 000025
【図２４】
2014220827.tif 000026
【図２５】
2014220827.tif 000027
【図２６】
2014220827.tif 000028
【図２７】
2014220827.tif 000029
【図２８】
2014220827.tif 000030
【図２９】
2014220827.tif 000031
【図３０】
2014220827.tif 000032
【図３１】
2014220827.tif 000033
【図３２】
2014220827.tif 000034